(57)【要約】【課題】遊技興趣を高めることが可能な遊技機を提供すること。【解決手段】パチンコ遊技機ＰＹ１は、大当たり遊技を実行するか否かの判定が実行可能で、所定演出を制御可能な演出制御用マイコン１２１と、第１盤可動体５５ｋとを備える。演出制御用マイコン１２１は、所定期間において、当選期待度を複数の継続回数画像のうちから、いずれかの継続回数画像で示すことで示唆可能な継続回数示唆演出と、第１盤可動体５５ｋを用いて当選期待度を、複数の発光色のうちから、いずれかの発光色で示すことで示唆可能な第１盤可動体演出とを実行可能である。また演出制御用マイコン１２１は、所定期間において継続回数示唆演出で示す継続回数画像と第１盤可動体演出で示す発光色に基づいて当選期待度を示唆する場合がある。【選択図】図１６
2020162868.tif 000002
【特許請求の範囲】
【請求項１】
所定の条件が成立することに基づいて、遊技者に有利な特別遊技状態に制御するか否かの判定を実行可能な遊技機において、
所定の演出を制御可能な演出制御手段と、
可動可能な可動役物と、を備え、
前記演出制御手段は、
前記特別遊技状態に制御される期待度を、複数の演出態様のうちから、いずれかの演出態様で示すことにより示唆可能な第１示唆演出と、
前記可動役物を用いて前記特別遊技状態に制御される期待度を、複数の期待度態様のうちから、いずれかの期待度態様で示すことにより示唆可能な第２示唆演出と、を実行可能であり、
所定期間において、前記第１示唆演出で示す演出態様と前記第２示唆演出で示す期待度態様に基づいて前記特別遊技状態に制御される期待度を示唆可能であることを特徴とする遊技機。
【請求項２】
請求項１に記載の遊技機において、
前記演出制御手段は、
前記所定期間において、前記第１示唆演出では複数段階にわたって前記演出態様を変化可能であり、
前記所定期間において、前記第２示唆演出では複数段階にわたって前記期待度態様を変化可能であることを特徴とする遊技機。
【請求項３】
請求項１又は請求項２に記載の遊技機において、
前記演出制御手段は、
前記所定期間において、複数の変動サイクルを含む擬似連演出を実行可能であり、
前記複数の変動サイクルのうち所定の変動サイクルから、次の変動サイクルが開始されるときに、前記第１示唆演出で示す演出態様と前記第２示唆演出で示す期待度態様に基づいて前記特別遊技状態に制御される期待度を示唆可能であることを特徴とする遊技機。
【請求項４】
所定の条件が成立することに基づいて、遊技者に有利な特別遊技状態に制御するか否かの判定を実行可能な遊技機において、
所定の演出を制御可能な演出制御手段と、
可動可能な可動役物と、を備え、
前記演出制御手段は、
前記特別遊技状態に制御される期待度を、複数の演出態様のうちから、いずれかの演出態様で示すことにより示唆可能な第１示唆演出と、
前記可動役物を用いて前記特別遊技状態に制御される期待度を、複数の期待度態様のうちから、いずれかの期待度態様で示すことにより示唆可能な第２示唆演出と、を実行可能であり、
所定期間において、前記第１示唆演出で示す演出態様と前記第２示唆演出で示す期待度態様が対応する場合と、前記第１示唆演出で示す演出態様と前記第２示唆演出で示す期待度態様が対応しない場合と、があることを特徴とする遊技機。
【発明の詳細な説明】
【技術分野】
【０００１】
本発明は、パチンコ遊技機等に代表される遊技機に関する。
【背景技術】
【０００２】
遊技機の一例としてパチンコ遊技機には、演出を制御可能な演出制御手段が設けられている。演出制御手段は、様々な演出を実行させることが可能である。
【０００３】
例えば下記特許文献１のパチンコ遊技機では、可動可能な可動役物が備えられている。下記特許文献１のパチンコ遊技機に備えられた可動役物が、演出制御手段により実行される所定の演出の演出態様に対応して様々なタイミングで所定の演出動作を行う。
【先行技術文献】
【特許文献】
【０００４】
【特許文献１】特開２００３−２１０６９４号公報
【発明の概要】
【発明が解決しようとする課題】
【０００５】
しかしながら、可動役物を備えた遊技機について、遊技興趣を高めるための改善の余地がある。
【０００６】
本発明は上記事情に鑑みてなされたものである。すなわちその課題は、遊技興趣を高めることが可能な遊技機を提供することにある。
【課題を解決するための手段】
【０００７】
本発明の遊技機は、
所定の条件が成立することに基づいて、遊技者に有利な特別遊技状態に制御するか否かの判定を実行可能な遊技機において、
所定の演出を制御可能な演出制御手段と、
可動可能な可動役物と、を備え、
前記演出制御手段は、
前記特別遊技状態に制御される期待度を、複数の演出態様のうちから、いずれかの演出態様で示すことにより示唆可能な第１示唆演出と、
前記可動役物を用いて前記特別遊技状態に制御される期待度を、複数の期待度態様のうちから、いずれかの期待度態様で示すことにより示唆可能な第２示唆演出と、を実行可能であり、
所定期間において、前記第１示唆演出で示す演出態様と前記第２示唆演出で示す期待度態様に基づいて前記特別遊技状態に制御される期待度を示唆可能であることを特徴とする遊技機である。
【発明の効果】
【０００８】
本発明の遊技機によれば、遊技興趣を高めることが可能となる。
【図面の簡単な説明】
【０００９】
【図１】実施形態に係る遊技機の斜視図である。
【図２】同遊技機が備える遊技機枠の構造を示す斜視図である。
【図３】実施形態に係る遊技機の正面図である。
【図４】同遊技機が備える遊技盤の正面図である。
【図５】表示器類の正面図である。
【図６】（Ａ）は盤上可動装置と盤下可動装置とが待機状態のときの演出用ユニットの正面図、（Ｂ）は盤上可動装置が作動状態で、盤下可動装置が待機状態のときの演出用ユニットの正面図、（Ｃ）は盤上可動装置が作動状態で、盤下可動装置が作動状態のときの演出用ユニットの正面図である。
【図７】同遊技機の遊技制御基板側の電気的な構成を示すブロック図である。
【図８】同遊技機の演出制御基板側の電気的な構成を示すブロック図である。
【図９】当たり種別判定テーブルである。
【図１０】遊技制御用マイコンが取得する各種乱数を示す表である。
【図１１】（Ａ）は大当たり判定テーブルであり、（Ｂ）はリーチ判定テーブルであり、（Ｃ）は普通図柄当たり判定テーブルであり、（Ｄ）は普通図柄変動パターン選択テーブルである。
【図１２】特図変動パターン判定テーブルである。
【図１３】電チューの開放パターン決定テーブルである。
【図１４】（Ａ）は擬似連演出において表示される継続回数画像の種類を示すテーブルであり、（Ｂ）は盤上可動装置ランプ６０の発光パターンを示すテーブルである。
【図１５】（Ａ）は変動パターンＰ３、変動パターンＰ２３が選択された場合に実行される擬似連３回に関してのタイミングチャートであり、（Ｂ）は変動パターンＰ２、変動パターンＰ２２が選択された場合に実行される擬似連３回に関してのタイミングチャートである。
【図１６】（Ａ）は変動パターンＰ３、変動パターンＰ２３が選択された場合に実行される擬似連３回に関してのタイミングチャートであり、（Ｂ）は変動パターンＰ１、変動パターンＰ２１が選択された場合に実行される擬似連３回に関してのタイミングチャートである。
【図１７】演出例１を示す図である。
【図１８】演出例２を示す図である。
【図１９】演出例３を示す図である。
【図２０】演出例４を示す図である。
【図２１】主制御メイン処理のフローチャートである。
【図２２】メイン側タイマ割り込み処理のフローチャートである。
【図２３】センサ検出処理のフローチャートである。
【図２４】ゲート通過処理のフローチャートである。
【図２５】普通動作処理のフローチャートである。
【図２６】特別動作処理のフローチャートである。
【図２７】特別図柄待機処理のフローチャートである。
【図２８】大当たり判定処理のフローチャートである。
【図２９】変動パターン選択処理のフローチャートである。
【図３０】変動パターン選択処理のフローチャートである。
【図３１】特別図柄変動中処理のフローチャートである。
【図３２】特別図柄確定処理のフローチャートである。
【図３３】遊技状態管理処理のフローチャートである。
【図３４】特別電動役物処理のフローチャートである。
【図３５】遊技状態設定処理のフローチャートである。
【図３６】サブ制御メイン処理のフローチャートである。
【図３７】受信割り込み処理のフローチャートである。
【図３８】１ｍｓタイマ割り込み処理のフローチャートである。
【図３９】１０ｍｓタイマ割り込み処理のフローチャートである。
【図４０】受信コマンド解析処理のフローチャートである。
【図４１】変動演出開始処理のフローチャートである。
【図４２】変動演出パターン選択処理のフローチャートである。
【発明を実施するための形態】
【００１０】
１．遊技機の構造
本発明の実施形態であるパチンコ遊技機ＰＹ１ついて、図面に基づいて説明する。なお、以下の説明においてパチンコ遊技機ＰＹ１の各部の左右方向は、そのパチンコ遊技機ＰＹ１に対面する遊技者にとっての左右方向に一致させて説明する。また、パチンコ遊技機ＰＹ１の各部の前方向をパチンコ遊技機ＰＹ１に対面する遊技者に近づく方向とし、パチンコ遊技機ＰＹ１の各部の後方向をパチンコ遊技機ＰＹ１に対面する遊技者から離れる方向として説明する。
【００１１】
図１に示すように、実施形態のパチンコ遊技機ＰＹ１は、遊技機枠２を備えている。遊技機枠２は、図２に示すように、外枠２２と内枠２１と前扉２３（前枠）とを備えている。外枠２２は、パチンコ遊技機ＰＹ１の外郭部を形成する縦長方形状の枠体である。内枠２１は、外枠２２の内側に配置されていて、遊技盤ユニットＹＵを取付ける縦長方形状の枠体である。遊技盤ユニットＹＵは、遊技盤１と、遊技盤１の背面側に取り付けられた演出用ユニット１Ｕと、を有する。遊技盤１の背面に取り付けられた演出用ユニット１Ｕは、主に演出を行う複数の装置をユニット（後述する各種制御基板、画像表示装置５０、ハーネス等を取付けるユニット）が一体化したものである（図６参照）。演出用ユニット１Ｕには、画像表示装置５０、第１盤可動装置（以下「盤上可動装置」）５５、第２盤可動装置（以下、「盤下可動装置」）５６が搭載されている（図６参照）。前扉２３は、外枠２２及び内枠２１の前面側に配置されていて、遊技盤１を保護する縦長方形状のものである。前扉２３は、遊技者に正対する部分であり、種々の飾り付けがなされている。
【００１２】
遊技機枠２は、左端側にヒンジ部２４を備えて構成されている。このヒンジ部２４により、前扉２３は、外枠２２及び内枠２１に対してそれぞれ回動自在になっていて、内枠２１は、外枠２２及び前扉２３に対してそれぞれ回動自在になっている。前扉２３の中央には開口部２３ａが形成されていて、遊技者が後述の遊技領域６を視認できるように透明の透明板２３ｔが開口部２３ａに取付けられている。透明板２３ｔは、本形態ではガラス板であるが、透明な合成樹脂板であってもよい。すなわち、透明板２３ｔは、前方から遊技領域６を視認可能なものであればよい。
【００１３】
図１〜図３に示すように、前扉２３には、回転角度に応じた発射強度で遊技球を発射させるためのハンドル７２ｋ（遊技球打込手段）、遊技球を貯留する打球供給皿（上皿）３４、及び打球供給皿３４に収容しきれない遊技球を貯留する余剰球受皿（下皿）３５が設けられている。また前扉２３には、遊技の進行に伴って実行される演出時などに遊技者が操作し得る演出ボタン（入力部）４０ｋ及びセレクトボタン４２ｋが設けられている。なおセレクトボタン（十字キー）４２ｋは、上方向ボタンと下方向ボタンと左方向ボタンと右方向ボタンとによって構成されている。また前扉２３には、装飾用の枠ランプ２１２及び音を出力するスピーカ（図１において不図示）が設けられている。
【００１４】
図４に示すように、遊技盤１には、ハンドル７２ｋの操作により発射された遊技球が流下する遊技領域６が、レール部材６２で囲まれて形成されている。また遊技盤１には、装飾用の盤ランプ５４が多数設けられている。また遊技領域６には、遊技球を誘導する複数の遊技くぎが突設されている。
【００１５】
また遊技領域６の中央付近には、液晶表示装置である画像表示装置５０（演出表示手段，画像表示手段）が設けられている。なお画像表示装置は、有機ＥＬ表示装置などの他の画像表示装置であってもよい。画像表示装置５０の表示画面５０ａ（表示部）には、後述の第１特別図柄および第２特別図柄の可変表示に同期した演出図柄ＥＺ（装飾図柄）の可変表示を行う演出図柄表示領域がある。なお、演出図柄ＥＺを表示する演出を演出図柄変動演出という。演出図柄変動演出を「装飾図柄変動演出」や単に「変動演出」と称することもある。
【００１６】
演出図柄表示領域は、例えば「左」「中」「右」の３つの演出図柄表示領域からなる。左演出図柄表示領域には左演出図柄ＥＺ１が表示され、中演出図柄表示領域には中演出図柄ＥＺ２が表示され、右演出図柄表示領域には右演出図柄ＥＺ３が表示される。演出図柄ＥＺはそれぞれ、例えば「１」〜「８」までの数字をあらわした複数の図柄からなる。画像表示装置５０は、左演出図柄ＥＺ１、中演出図柄ＥＺ２、右演出図柄ＥＺ３の組み合わせによって、後述の第１特図表示器８１ａおよび第２特図表示器８１ｂにて表示される第１特別図柄および第２特別図柄の可変表示の結果（つまりは大当たり抽選の結果）を、わかりやすく表示する。
【００１７】
例えば大当たりに当選した場合には「７７７」などのゾロ目で演出図柄を停止表示する。また、はずれであった場合には「６３７」などのバラケ目で演出図柄を停止表示する。これにより、遊技者による遊技の進行状況の把握が容易となる。つまり遊技者は、一般的には大当たり抽選の結果を第１特図表示器８１ａや第２特図表示器８１ｂにより把握するのではなく、画像表示装置５０にて把握する。なお、演出図柄表示領域の位置は固定的でなくてもよい。また、演出図柄の変動表示の態様としては、例えば上下方向にスクロールする態様がある。
【００１８】
画像表示装置５０は、上記のような演出図柄ＥＺを用いた演出図柄変動演出のほか、大当たり遊技（特別遊技状態）に並行して行われる大当たり演出や、客待ち用のデモ演出（客待ち演出）などを表示画面５０ａに表示する。なお演出図柄変動演出では、数字等の演出図柄ＥＺのほか、背景画像やキャラクタ画像などの演出図柄ＥＺ以外の演出画像も表示される。
【００１９】
また画像表示装置５０の表示画面５０ａには、後述の第１特図保留や第２特図保留の記憶数に応じて保留アイコンＨＡ（演出保留画像）を表示する保留アイコン表示領域がある。保留アイコンＨＡの表示により、後述の第１特図保留表示器８３ａにて表示される第１特図保留の記憶数や、後述の第２特図保留表示器８３ｂにて表示される第２特図保留の記憶数を、遊技者にわかりやすく示すことができる。
【００２０】
遊技領域６における画像表示装置５０の下方には、遊技球の入球し易さが常に変わらない第１始動口１１を備える第１始動入賞装置１１Ｄが設けられている。第１始動口１１を、第１入球口や、固定入球口、第１始動入賞口、第１始動領域ともいう。また第１始動入賞装置１１Ｄを、第１入球手段や、固定入球手段、第１始動入賞装置ともいう。第１始動口１１への遊技球の入賞は、第１特別図柄の抽選（大当たり抽選、すなわち大当たり乱数等の取得と判定）の契機となっている。
【００２１】
また遊技領域６における第１始動口１１の下方には、第２始動口１２を備える普通可変入賞装置（普通電動役物いわゆる電チュー）１２Ｄが設けられている。第２始動口１２を、第２入球口や、可変入球口、第２始動入賞口、第２始動領域ともいう。電チュー１２Ｄを、第２入球手段や、可変入球手段、第２始動入賞装置ともいう。第２始動口１２への遊技球の入賞は、第２特別図柄の抽選（大当たり抽選）の契機となっている。
【００２２】
電チュー１２Ｄは、開状態と閉状態とをとる電チュー開閉部材１２ｋ（入球口開閉部材）を備え、電チュー開閉部材１２ｋの作動によって第２始動口１２を開閉するものである。電チュー開閉部材１２ｋは、後述の電チューソレノイド１２ｓにより駆動される。電チュー開閉部材１２ｋが開状態にあるときには、第２始動口１２への遊技球の入球が可能となり、閉状態にあるときには、第２始動口１２への遊技球の入球が不可能となる。つまり、第２始動口１２は、遊技球の入球し易さが変化可能な始動口である。なお、電チューは、電チュー開閉部材が開状態にあるときの方が閉状態にあるときよりも第２始動口への入球を容易にするものであれば、閉状態にあるときに第２始動口への入球を不可能とするものでなくてもよい。
【００２３】
また、遊技領域６には、遊技球を第２始動口１２へ誘導する誘導ステージ１２ｇが設けられている。なお、誘導ステージ１２ｇの上面を転動する遊技球は、第２始動口１２の方へ向かって流下可能である。
【００２４】
また、遊技領域６における第１始動口１１の右方には、大入賞口１４を備えた大入賞装置（特別電動役物）１４Ｄが設けられている。大入賞口１４を、特別入賞口ともいう。また大入賞装置１４Ｄを、アタッカー（ＡＴ）や、特別入賞手段、特別可変入賞装置ともいう。大入賞装置１４Ｄは、開状態と閉状態とをとるＡＴ開閉部材１４ｋ（特別入賞口開閉部材）を備え、ＡＴ開閉部材１４ｋの作動により大入賞口１４を開閉するものである。ＡＴ開閉部材１４ｋは、後述のＡＴソレノイド１４ｓにより駆動される。大入賞口１４は、ＡＴ開閉部材１４ｋが開状態であるときだけ遊技球が入球可能となる。
【００２５】
また、遊技領域６における大入賞口１４の上方には、遊技球が通過可能なゲート１３が設けられている。ゲート１３を、通過口や通過領域ともいう。ゲート１３への遊技球の通過は、電チュー１２Ｄを開放するか否かを決める普通図柄抽選（すなわち普通図柄乱数（当たり乱数）の取得と判定）の実行契機となっている。さらに遊技領域６の下部には、複数の一般入賞口１０が設けられている。また遊技領域６の最下部には、遊技領域６へ打ち込まれたもののいずれの入賞口にも入賞しなかった遊技球を遊技領域６外へ排出するアウト口１９が設けられている。
【００２６】
このように各種の入賞口等が配されている遊技領域６には、左右方向の中央より左側の左遊技領域６Ｌ（第１遊技領域）と、右側の右遊技領域６Ｒ（第２遊技領域）とがある。左遊技領域６Ｌを遊技球が流下するように遊技球を発射する打方を、左打ちという。一方、右遊技領域６Ｒを遊技球が流下するように遊技球を発射する打方を、右打ちという。本形態のパチンコ遊技機ＰＹ１では、左打ちにて遊技したときに遊技球が流下する流路を、第１流路Ｒ１といい、右打ちにて遊技したときに遊技球が流下する流路を、第２流路Ｒ２という。
【００２７】
第１流路Ｒ１上には、第１始動口１１と、一般入賞口１０、電チュー１２Ｄと、アウト口１９とが設けられている。遊技者は第１流路Ｒ１を流下するように遊技球を打ち込むことで、第１始動口１１や一般入賞口１０への入賞を狙うことができる。なお、第１流路Ｒ１上にゲートは配されていないため、左打ちをしている場合に電チュー１２Ｄが開放されることはない。
【００２８】
一方、第２流路Ｒ２上には、ゲート１３と、一般入賞口１０と、大入賞装置１４Ｄと、電チュー１２Ｄと、アウト口１９とが設けられている。遊技者は第２流路Ｒ２を流下するように遊技球を打ち込むことで、ゲート１３への通過や、一般入賞口１０、第２始動口１２、及び大入賞口１４への入賞を狙うことができる。
【００２９】
また図４に示すように、遊技盤１の左下部には表示器類８が配置されている。表示器類８には、図５に示すように、第１特別図柄を可変表示する第１特図表示器８１ａ、第２特別図柄を可変表示する第２特図表示器８１ｂ、及び、普通図柄（普図）を可変表示する普図表示器８２が含まれている。第１特別図柄を、第１特図又は特図１ともいい、第２特別図柄を第２特図又は特図２ともいう。また、普通図柄を普図ともいう。
【００３０】
また表示器類８には、第１特図表示器８１ａの作動保留（第１特図保留）の記憶数を表示する第１特図保留表示器８３ａ、第２特図表示器８１ｂの作動保留（第２特図保留）の記憶数を表示する第２特図保留表示器８３ｂ、および普図表示器８２の作動保留（普図保留）の記憶数を表示する普図保留表示器８４が含まれている。
【００３１】
第１特別図柄の可変表示は、第１始動口１１への遊技球の入賞を契機として行われる。第２特別図柄の可変表示は、第２始動口１２への遊技球の入賞を契機として行われる。なお以下の説明では、第１特別図柄および第２特別図柄を総称して特別図柄（特図）ということがある。また、第１特図表示器８１ａおよび第２特図表示器８１ｂを総称して特図表示器８１ということがある。また、第１特図保留表示器８３ａおよび第２特図保留表示器８３ｂを総称して特図保留表示器８３ということがある。また第１特図保留および第２特図保留を総称して特図保留ということがある。
【００３２】
特図表示器８１では、特別図柄を可変表示（変動表示）したあと停止表示することにより、第１始動口１１又は第２始動口１２への入賞に基づく抽選（特別図柄抽選、大当たり抽選）の結果を報知する。停止表示される特別図柄（停止図柄、可変表示の表示結果として導出表示される特別図柄）は、特別図柄抽選によって複数種類の特別図柄の中から選択された一つの特別図柄である。停止図柄が予め定めた特定特別図柄（特定の停止態様の特別図柄すなわち大当たり図柄）である場合には、停止表示された特定特別図柄の種類（つまり当選した大当たりの種類）に応じた開放パターンにて大入賞口１４を開放させる大当たり遊技（特別遊技の一例）が行われる。なお、特別遊技における大入賞口の開放パターンについては後述する。
【００３３】
具体的には特図表示器８１は、例えば横並びに配された８個のＬＥＤ（Ｌｉｇｈｔ  Ｅｍｉｔｔｉｎｇ  Ｄｉｏｄｅ）から構成されており、その点灯態様によって大当たり抽選の結果に応じた特別図柄を表示するものである。例えば大当たり（後述の複数種類の大当たりのうちの一つ）に当選した場合には、「○○●●○○●●」（○：点灯、●：消灯）というように左から１，２，５，６番目にあるＬＥＤが点灯した大当たり図柄を表示する。また、ハズレである場合には、「●●●●●●●○」というように一番右にあるＬＥＤのみが点灯したハズレ図柄を表示する。ハズレ図柄として全てのＬＥＤを消灯させる態様を採用してもよい。なおハズレ図柄は、特定特別図柄ではない。また、特別図柄が停止表示される前には所定の変動時間にわたって特別図柄の変動表示がなされるが、その変動表示の態様は、例えば左から右へ光が繰り返し流れるように各ＬＥＤが点灯するという態様である。なお変動表示の態様は、各ＬＥＤが停止表示（特定の態様での点灯表示）されていなければ、全ＬＥＤが一斉に点滅するなどなんでもよい。
【００３４】
本パチンコ遊技機ＰＹ１では、第１始動口１１または第２始動口１２への遊技球の入賞（入球）があると、その入賞に対して取得した大当たり乱数等の各種乱数の値（数値情報、判定用情報）は、後述の特図保留記憶部１０５に一旦記憶される。詳細には、第１始動口１１への入賞であれば第１特図保留として、後述の第１特図保留記憶部１０５ａに記憶され、第２始動口１２への入賞であれば第２特図保留として、後述の第２特図保留記憶部１０５ｂに記憶される。各々の特図保留記憶部１０５に記憶可能な特図保留の数には上限があり、本形態における上限値はそれぞれ「４」となっている。
【００３５】
特図保留記憶部１０５に記憶された特図保留は、その特図保留に基づく特別図柄の可変表示が可能となったときに消化される。特図保留の消化とは、その特図保留に対応する大当たり乱数等を判定して、その判定結果を示すための特別図柄の可変表示を実行することをいう。従って本パチンコ遊技機ＰＹ１では、第１始動口１１または第２始動口１２への遊技球の入賞に基づく特別図柄の可変表示がその入賞後にすぐに行えない場合、すなわち特別図柄の可変表示の実行中や特別遊技の実行中に入賞があった場合であっても、所定数を上限として、その入賞に対する大当たり抽選の権利を留保することができるようになっている。
【００３６】
そしてこのような特図保留の数は、特図保留表示器８３に表示される。具体的には特図保留表示器８３はそれぞれ、例えば４個のＬＥＤで構成されており、特図保留の数だけＬＥＤを点灯させることにより特図保留の数を表示する。
【００３７】
普通図柄の可変表示は、ゲート１３への遊技球の通過を契機として行われる。普図表示器８２では、普通図柄を可変表示（変動表示）したあと停止表示することにより、ゲート１３への遊技球の通過に基づく普通図柄抽選の結果を報知する。停止表示される普通図柄（普図停止図柄、可変表示の表示結果として導出表示される普通図柄）は、普通図柄抽選によって複数種類の普通図柄の中から選択された一つの普通図柄である。停止表示された普通図柄が予め定めた特定普通図柄（所定の停止態様の普通図柄すなわち普通当たり図柄）である場合には、現在の遊技状態に応じた開放パターンにて第２始動口１２を開放させる補助遊技が行われる。なお、第２始動口１２の開放パターンについては後述する。
【００３８】
具体的には普図表示器８２は、例えば２個のＬＥＤから構成されており（図５参照）、その点灯態様によって普通図柄抽選の結果に応じた普通図柄を表示するものである。例えば抽選結果が当たりである場合には、「○○」（○：点灯、●：消灯）というように両ＬＥＤが点灯した普通当たり図柄を表示する。また抽選結果がハズレである場合には、「●○」というように右のＬＥＤのみが点灯した普通ハズレ図柄を表示する。普通ハズレ図柄として全てのＬＥＤを消灯させる態様を採用してもよい。なお普通ハズレ図柄は、特定普通図柄ではない。普通図柄が停止表示される前には所定の変動時間にわたって普通図柄の変動表示がなされるが、その変動表示の態様は、例えば両ＬＥＤが交互に点灯するという態様である。なお変動表示の態様は、各ＬＥＤが停止表示（特定の態様での点灯表示）されていなければ、全ＬＥＤが一斉に点滅するなどなんでもよい。
【００３９】
本パチンコ遊技機ＰＹ１では、ゲート１３への遊技球の通過があると、その通過に対して取得した普通図柄乱数（当たり乱数）の値は、後述の普図保留記憶部１０６に普図保留として一旦記憶される。普図保留記憶部１０６に記憶可能な普図保留の数には上限があり、本形態における上限値は「４」となっている。
【００４０】
普図保留記憶部１０６に記憶された普図保留は、その普図保留に基づく普通図柄の可変表示が可能となったときに消化される。普図保留の消化とは、その普図保留に対応する普通図柄乱数（当たり乱数）を判定して、その判定結果を示すための普通図柄の可変表示を実行することをいう。従って本パチンコ遊技機ＰＹ１では、ゲート１３への遊技球の通過に基づく普通図柄の可変表示がその通過後にすぐに行えない場合、すなわち普通図柄の可変表示の実行中や補助遊技の実行中に入賞があった場合であっても、所定数を上限として、その通過に対する普通図柄抽選の権利を留保することができるようになっている。
【００４１】
そしてこのような普図保留の数は、普図保留表示器８４に表示される。具体的には普図保留表示器８４は、例えば４個のＬＥＤで構成されており、普図保留の数だけＬＥＤを点灯させることにより普図保留の数を表示する。
【００４２】
次に、図６を用いて盤上可動装置５５と盤下可動装置５６について説明する。盤上可動装置５５は、表示画面５０ａよりも前方に配置され、表示画面５０ａに沿って移動可能であり、装飾が施された第１盤可動体５５ｋを具備する。盤下可動装置５６は、表示画面５０ａよりも前方に配置され、表示画面５０ａに沿って移動可能であり、装飾が施された第２盤可動体５６ｋを具備する。
【００４３】
図６（Ａ）は、第１盤可動体５５ｋおよび第２盤可動体５６ｋが作動していない通常の待機状態（初期位置）で保持されている様子を概略化して表している。そして図６（Ａ）に示す様子から、第１盤可動体５５ｋを駆動させるための駆動源（例えばモータ）が駆動すると、第１盤可動体５５ｋは下向きに移動（下降）し、第２盤可動体５６ｋが待機状態で保持され、図６（Ｂ）に示す様子となる。また図６（Ａ）に示す様子から、第１盤可動体５５ｋを駆動させるための駆動源（例えばモータ）が駆動すると、第１盤可動体５５ｋは下向きに移動（下降）し、第２盤可動体５６ｋを駆動させるための駆動源（例えばモータ）が駆動すると、第２盤可動体５６ｋが上向きに移動（上昇）し、図６（Ｃ）に示す様子となる。本形態では、画像表示装置５０は下降した第１盤可動体５５ｋ、上昇した第２盤可動体５６ｋに覆われ、画像表示装置５０は視認困難となる場合がある。
【００４４】
また図６に示すように、盤上可動装置５５には盤上可動装置ランプ６０（第１盤上可動装置ランプ６０ａ、第２盤上可動装置ランプ６０ｂ、第３盤上可動装置ランプ６０ｃ、第４盤上可動装置ランプ６０ｄ）が設けられている。本形態では、第１盤可動体５５ｋを駆動させるための駆動源（例えばモータ）が駆動し、第１盤可動体５５ｋが下向きへの移動（下降）を開始することに伴って、盤上可動装置ランプ６０（第１盤上可動装置ランプ６０ａ、第２盤上可動装置ランプ６０ｂ、第３盤上可動装置ランプ６０ｃ、第４盤上可動装置ランプ６０ｄ）が点灯する。ここで本形態の盤上可動装置ランプ６０は、選択される発光パターンに応じて３種類（青色、緑色、赤色）の発光色（期待度態様）のうちから、いずれかの発光色で点灯することが可能となっている（図１４（Ｂ）参照）。
【００４５】
２．遊技機の電気的構成
次に図７及び図８に基づいて、本パチンコ遊技機ＰＹ１における電気的な構成を説明する。図７及び図８に示すように、パチンコ遊技機ＰＹ１は、大当たり抽選や遊技状態の移行などの遊技利益に関する制御を行う遊技制御基板１００（主制御基板）、遊技の進行に伴って実行する演出に関する制御を行う演出制御基板１２０（サブ制御基板）、遊技球の払い出しに関する制御を行う払出制御基板１７０等を備えている。なお、遊技制御基板１００は、メイン制御部を構成し、演出制御基板１２０は、後述する画像制御基板１４０、音声制御基板１６１、及びサブドライブ基板１６２とともにサブ制御部を構成する。
【００４６】
なお、サブ制御部は、少なくとも演出制御基板１２０を備え、演出手段（画像表示装置５０やスピーカ６１０、盤ランプ５４、第１盤可動体５５ｋ、第２盤可動体５６ｋ、盤上可動装置ランプ６０（第１盤上可動装置ランプ６０ａ、第２盤上可動装置ランプ６０ｂ、第３盤上可動装置ランプ６０ｃ、第４盤上可動装置ランプ６０ｄ）、枠ランプ２１２等）を用いた遊技演出を制御可能であればよい。
【００４７】
またパチンコ遊技機ＰＹ１は、電源基板１９０を備えている。電源基板１９０（電源供給部）は、外部からＡＣ２４Ｖの電源を入力して、ＡＣ２４Ｖの電源に基づいてパチンコ遊技機ＰＹ１の動作に必要な各種電圧（ＤＣ５Ｖ，ＤＣ１２Ｖ，ＤＣ１８Ｖ，ＤＣ２４Ｖ，ＤＣ３７Ｖ）の電源を生成するものである。電源基板１９０は、生成した電源を遊技制御基板１００、演出制御基板１２０、及び払出制御基板１７０に対して供給するとともに、これらの基板を介してその他の機器に対して供給する。
【００４８】
電源基板１９０には、バックアップ電源回路１９２が設けられている。バックアップ電源回路１９２は、本パチンコ遊技機ＰＹ１に対して電力が供給されていない場合に、後述する遊技制御基板１００の遊技用ＲＡＭ（Ｒａｎｄｏｍ  Ａｃｃｅｓｓ  Ｍｅｍｏｒｙ）１０４や演出制御基板１２０の演出用ＲＡＭ１２４に対して電力を供給する。従って、遊技制御基板１００の遊技用ＲＡＭ１０４や演出制御基板１２０の演出用ＲＡＭ１２４に記憶されている情報は、パチンコ遊技機ＰＹ１の電断時であっても保持される。また、電源基板１９０には、電源スイッチ１９１が接続されている。電源スイッチ１９１のＯＮ／ＯＦＦ操作により、電源の投入／遮断が切替えられる。なお、遊技制御基板１００の遊技用ＲＡＭ１０４に対するバックアップ電源回路を遊技制御基板１００に設けたり、演出制御基板１２０の演出用ＲＡＭ１２４に対するバックアップ電源回路を演出制御基板１２０に設けたりしてもよい。
【００４９】
図７に示すように、遊技制御基板１００には、プログラムに従ってパチンコ遊技機ＰＹ１の遊技の進行を制御する遊技制御用ワンチップマイコン（以下「遊技制御用マイコン」）１０１が実装されている。遊技制御用マイコン１０１には、遊技の進行を制御するためのプログラム等を記憶した遊技用ＲＯＭ（Ｒｅａｄ  Ｏｎｌｙ  Ｍｅｍｏｒｙ）１０３、ワークメモリとして使用される遊技用ＲＡＭ１０４、遊技用ＲＯＭ１０３に記憶されたプログラムを実行する遊技用ＣＰＵ（Ｃｅｎｔｒａｌ  Ｐｒｏｃｅｓｓｉｎｇ  Ｕｎｉｔ）１０２、データや信号の入出力を行うための遊技用Ｉ／Ｏ（Ｉｎｐｕｔ／Ｏｕｔｐｕｔ）ポート１１８が含まれている。遊技用ＲＡＭ１０４には、上述した特図保留記憶部１０５（第１特図保留記憶部１０５ａおよび第２特図保留記憶部１０５ｂ）と普図保留記憶部１０６とが設けられている。なお、遊技用ＲＯＭ１０３は外付けであってもよい。
【００５０】
遊技制御基板１００には、中継基板１１０を介して各種センサやソレノイドが接続されている。そのため、遊技制御基板１００には各センサから信号が入力され、各ソレノイドには遊技制御基板１００から信号が出力される。具体的にはセンサ類としては、第１始動口センサ１１ａ、第２始動口センサ１２ａ、ゲートセンサ１３ａ、大入賞口センサ１４ａ、および一般入賞口センサ１０ａが接続されている。
【００５１】
第１始動口センサ１１ａは、第１始動口１１内に設けられて第１始動口１１に入賞した遊技球を検出するものである。第２始動口センサ１２ａは、第２始動口１２内に設けられて第２始動口１２に入賞した遊技球を検出するものである。ゲートセンサ１３ａは、ゲート１３内に設けられてゲート１３を通過した遊技球を検出するものである。大入賞口センサ１４ａは、大入賞口１４内に設けられて大入賞口１４に入賞した遊技球を検出するものである。一般入賞口センサ１０ａは、一般入賞口１０内に設けられて一般入賞口１０に入賞した遊技球を検出するものである。
【００５２】
またソレノイド類としては、電チューソレノイド１２ｓ、およびＡＴソレノイド１４ｓが接続されている。電チューソレノイド１２ｓは、電チュー１２Ｄの電チュー開閉部材１２ｋを駆動するものである。ＡＴソレノイド１４ｓは、大入賞装置１４ＤのＡＴ開閉部材１４ｋを駆動するものである。
【００５３】
さらに遊技制御基板１００には、特図表示器８１（第１特図表示器８１ａおよび第２特図表示器８１ｂ）、普図表示器８２、特図保留表示器８３（第１特図保留表示器８３ａおよび第２特図保留表示器８３ｂ）、および普図保留表示器８４が接続されている。すなわち、これらの表示器類８の表示制御は、遊技制御用マイコン１０１によりなされる。
【００５４】
また遊技制御基板１００は、払出制御基板１７０に各種コマンドや信号を送信するとともに、払い出し監視のために払出制御基板１７０から信号を受信する。払出制御基板１７０には、カードユニットＣＵ（パチンコ遊技機ＰＹ１に隣接して設置され、挿入されているプリペイドカード等の情報に基づいて球貸しを可能にするもの）、および賞球払出装置７３が接続されているとともに、発射制御回路１７５を介して発射装置７２が接続されている。発射装置７２には、ハンドル７２ｋ（図１参照）が含まれる。
【００５５】
払出制御基板１７０は、遊技制御用マイコン１０１からの信号や、パチンコ遊技機ＰＹ１に接続されたカードユニットＣＵからの信号に基づいて、賞球払出装置７３の賞球モータ７３ｍを駆動して賞球の払い出しを行ったり、貸球の払い出しを行ったりする。払い出される遊技球は、その計数のため賞球センサ７３ａにより検知されて、賞球センサ７３ａによる検知信号が払出制御基板１７０に出力される。
【００５６】
なお遊技者による発射装置７２のハンドル７２ｋ（図１参照）の操作があった場合には、タッチスイッチ７２ａがハンドル７２ｋへの接触を検知し、発射ボリューム７２ｂがハンドル７２ｋの回転量を検知する。そして、発射ボリューム７２ｂの検知信号の大きさに応じた強さで遊技球が発射されるよう発射ソレノイド７２ｓが駆動されることとなる。本パチンコ遊技機ＰＹ１においては、０．６秒程度で一発の遊技球が発射されるようになっている。
【００５７】
また遊技制御基板１００は、演出制御基板１２０に対し各種コマンドを送信する。遊技制御基板１００と演出制御基板１２０との接続は、遊技制御基板１００から演出制御基板１２０への信号の送信のみが可能な単方向通信接続となっている。すなわち、遊技制御基板１００と演出制御基板１２０との間には、通信方向規制手段としての図示しない単方向性回路（例えばダイオードを用いた回路）が介在している。
【００５８】
図８に示すように、演出制御基板１２０には、プログラムに従ってパチンコ遊技機ＰＹ１の演出を制御する演出制御用ワンチップマイコン（以下「演出制御用マイコン」）１２１が実装されている。演出制御用マイコン１２１には、遊技の進行に伴って演出を制御するためのプログラム等を記憶した演出用ＲＯＭ１２３、ワークメモリとして使用される演出用ＲＡＭ１２４、演出用ＲＯＭ１２３に記憶されたプログラムを実行する演出用ＣＰＵ１２２、データや信号の入出力を行うための演出用Ｉ／Ｏポート１３８が含まれている。なお、演出用ＲＯＭ１２３は外付けであってもよい。
【００５９】
また図８に示すように、演出制御基板１２０には、画像制御基板１４０、音声制御基板１６１（音声制御回路）、サブドライブ基板１６２（サブドライブ回路）が接続されている。画像制御基板１４０には画像表示装置５０が接続され、音声制御基板１６１にはスピーカ６１０が接続されている。またサブドライブ基板１６２には、盤ランプ５４、盤上可動装置ランプ６０（第１盤上可動装置ランプ６０ａ、第２盤上可動装置ランプ６０ｂ、第３盤上可動装置ランプ６０ｃ、第４盤上可動装置ランプ６０ｄ）、盤上可動装置５５（可動役物）、盤下可動装置５６（他の可動役物）、枠ランプ２１２が接続されている。
【００６０】
図８に示すように、演出制御基板１２０の演出制御用マイコン１２１（演出制御手段）は、遊技制御基板１００から受信したコマンドに基づいて、画像制御基板１４０の画像用ＣＰＵ１４１に画像表示装置５０の制御を行わせる。画像制御基板１４０は、画像表示等の制御のためのプログラム等を記憶した画像用ＲＯＭ１４２、ワークメモリとして使用される画像用ＲＡＭ１４３、及び、画像用ＲＯＭ１４２に記憶されたプログラムを実行する画像用ＣＰＵ１４１を備えている。なお、画像用ＲＯＭ１４２には、画像表示装置５０に表示される静止画データや動画データ、具体的にはキャラクタ、アイテム、図形、文字、数字および記号等（演出図柄を含む）や背景画像等の画像データが格納されている。
【００６１】
また演出制御用マイコン１２１は、遊技制御基板１００から受信したコマンドに基づいて、音声制御基板１６１を介してスピーカ６１０から音声、楽曲、効果音等を出力する。スピーカ６１０から出力する音声等の音響データは、演出制御基板１２０の演出用ＲＯＭ１２３に格納されている。なお、音声制御基板１６１にＣＰＵを実装してもよく、その場合、そのＣＰＵに音声制御を実行させてもよい。さらにこの場合、音声制御基板１６１にＲＯＭを実装してもよく、そのＲＯＭに音響データを格納してもよい。また、スピーカ６１０を画像制御基板１４０に接続し、画像制御基板１４０の画像用ＣＰＵ１４１又は画像制御基板１４０に設ける音声用のＣＰＵに音声制御を実行させてもよい。さらにこの場合、画像制御基板１４０の画像用ＲＯＭ１４２に音響データを格納してもよい。
【００６２】
また図８に示すように、演出制御用マイコン１２１は、遊技制御基板１００から受信したコマンドに基づいて、サブドライブ基板１６２を介して、枠ランプ２１２や盤ランプ５４、盤上可動装置ランプ６０（第１盤上可動装置ランプ６０ａ、第２盤上可動装置ランプ６０ｂ、第３盤上可動装置ランプ６０ｃ、第４盤上可動装置ランプ６０ｄ）等のランプの点灯制御を行う。詳細には演出制御用マイコン１２１は、各ランプの発光態様を決める発光パターンデータ（点灯/消灯や発光色等を決めるデータ、ランプ駆動データともいう）を作成し、発光パターンデータに従って各ランプの発光を制御する。なお、発光パターンデータの作成には演出制御基板１２０の演出用ＲＯＭ１２３に格納されているデータを用いる。本形態では、例えば図１４（Ｂ）に示す盤上可動装置ランプ６０の発光パターンデータに従って、盤上可動装置ランプ６０（第１盤上可動装置ランプ６０ａ、第２盤上可動装置ランプ６０ｂ、第３盤上可動装置ランプ６０ｃ、第４盤上可動装置ランプ６０ｄ）が３種類の発光色のうちから、いずれの発光色で発光するかを制御する。
【００６３】
さらに演出制御用マイコン１２１は、遊技制御基板１００から受信したコマンドに基づいて、サブドライブ基板１６２を介して、盤上可動装置５５、盤下可動装置５６の駆動制御を行う。詳細には演出制御用マイコン１２１は、盤上可動装置５５、盤下可動装置５６の動作態様を決める動作パターンデータ（駆動データともいう）を作成し、動作パターンデータに従って、盤上可動装置５５、盤下可動装置５６を駆動させるためのモータの駆動制御を行う。動作パターンデータの作成には演出制御基板１２０の演出用ＲＯＭ１２３に格納されているデータを用いる。
【００６４】
なお、サブドライブ基板１６２にＣＰＵを実装してもよく、その場合、そのＣＰＵにランプの点灯制御や、盤上可動装置５５、盤下可動装置５６の駆動制御を行わせてもよい。さらにこの場合、サブドライブ基板１６２にＲＯＭを実装してもよく、そのＲＯＭに発光パターンや動作パターンに関するデータを格納してもよい。
【００６５】
また演出制御基板１２０には、入力部検知センサ（演出ボタン検知センサ）４０ａおよびセレクトボタン検知センサ４２ａが接続されている。入力部検知センサ４０ａは、入力部４０ｋ（図１参照）が押下操作されたことを検出するものである。入力部４０ｋが押下操作されると入力部検知センサ４０ａから演出制御基板１２０に対して検知信号が出力される。セレクトボタン検知センサ４２ａは、セレクトボタン４２ｋ（図１参照）が押下操作されたことを検知するものである。セレクトボタン４２ｋが押下操作されるとセレクトボタン検知センサ４２ａから演出制御基板１２０に対して検知信号が出力される。
【００６６】
なお図７及び図８は、あくまで本パチンコ遊技機ＰＹ１における電気的な構成を説明するための機能ブロック図であり、図７及び図８に示す基板だけが設けられているわけではない。遊技制御基板１００を除いて、図７及び図８に示す何れか複数の基板を１つの基板として構成しても良く、図７及び図８に示す１つの基板を複数の基板として構成しても良い。
【００６７】
３．大当たり等の説明
本形態のパチンコ遊技機ＰＹ１では、大当たり抽選（特別図柄抽選）の結果として、「大当たり」と「はずれ」がある。「大当たり」のときには、特図表示器８１に「大当たり図柄」が停止表示される。「はずれ」のときには、特図表示器８１に「ハズレ図柄」が停止表示される。大当たりに当選すると、停止表示された特別図柄の種類（大当たりの種類）に応じた開放パターンにて、大入賞口１４を開放させる「大当たり遊技」が実行される。大当たり遊技を特別遊技ともいう。
【００６８】
大当たり遊技は、本形態では、複数回のラウンド遊技（単位開放遊技）と、初回のラウンド遊技が開始される前のオープニング（ＯＰとも表記する）と、最終回のラウンド遊技が終了した後のエンディング（ＥＤとも表記する）とを含んでいる。各ラウンド遊技は、ＯＰの終了又は前のラウンド遊技の終了によって開始し、次のラウンド遊技の開始又はＥＤの開始によって終了する。ラウンド遊技間の大入賞口の閉鎖の時間（インターバル時間）は、その閉鎖前の開放のラウンド遊技に含まれる。
【００６９】
大当たりには複数の種別がある。大当たりの種別は図９に示す通りである。図９に示すように、本形態では大きく分けて２つの種別がある。確変大当たりと通常大当たりである。確変大当たりは、大当たり遊技後の遊技状態を後述する高確率状態に制御する大当たりである。通常大当たりは、大当たり遊技後の遊技状態を後述する通常確率状態（低確率状態）に制御する大当たりである。
【００７０】
より具体的には、特図１の抽選（第１特別図柄の抽選）にて当選可能な確変大当たり及び通常大当たりは、１Ｒから５Ｒまでは大入賞口１４を１Ｒ当たり最大２９．５秒にわたって開放し、６Ｒから１０Ｒまでは大入賞口１４を１Ｒ当たり最大０．１秒にわたって開放する大当たりである。つまり、これらの大当たりの総ラウンド数は１０Ｒであるものの、実質的なラウンド数は５Ｒである。実質的なラウンド数とは、１ラウンド当たりの入賞上限個数（本形態では８個）まで遊技球が入賞可能なラウンド数のことである。これらの大当たりでは６Ｒから１０Ｒまでは、大入賞口１４の開放時間が極めて短く、賞球の見込めないラウンドとなっている。なお、特図１の抽選によって「確変大当たり」に当選した場合には、第１特図表示器８１ａに「特図１＿確変図柄」が停止表示され、「通常大当たり」に当選した場合には、第１特図表示器８１ａに「特図１＿通常図柄」が停止表示される。
【００７１】
また、特図２の抽選（第２特別図柄の抽選）にて当選可能な確変大当たり及び通常大当たりは、１Ｒから１０Ｒまで大入賞口１４を１Ｒ当たり最大２９．５秒にわたって開放する大当たりである。つまり、これらの大当たりは実質的なラウンド数も１０Ｒである。特図２の抽選によって「確変大当たり」に当選した場合には、第２特図表示器８１ｂに「特図２＿確変図柄」が停止表示され、「通常大当たり」に当選した場合には、第２特図表示器８１ｂに「特図２＿通常図柄」が停止表示される。
【００７２】
いずれの大当たりに当選した場合であっても、大当たり遊技後には後述する電サポ制御状態（高ベース状態）に制御される。電サポ制御状態は、高確率状態に伴って制御される場合には次回の大当たり当選まで継続する。一方、通常確率状態（低確率状態）に伴って制御される場合には、電サポ回数（時短回数）が１００回に設定される。電サポ回数とは、電サポ制御状態における特別図柄の変動表示の上限実行回数のことである。
【００７３】
なお図９に示すように、特図１の抽選および特図２の抽選における大当たりの振分率は、共に確変大当たりが６５％、通常大当たりが３５％となっている。但し、特図１の抽選に基づいて大当たりに当選した場合には実質的なラウンド数が５ラウンドの大当たり遊技が実行される一方、特図２の抽選に基づいて大当たりに当選した場合には実質的なラウンド数が１０ラウンドの大当たり遊技が実行される点で、特図１の抽選よりも特図２の抽選の方が、遊技者にとって有利となるように設定されている。
【００７４】
ここで本パチンコ遊技機ＰＹ１では、大当たりか否かの抽選は「大当たり乱数」に基づいて行われ、当選した大当たりの種別の抽選は「当たり種別乱数」に基づいて行われる。図１０（Ａ）に示すように、大当たり乱数は０〜６５５３５までの範囲で値をとる。当たり種別乱数は、０〜９９までの範囲で値をとる。なお、第１始動口１１又は第２始動口１２への入賞に基づいて取得される乱数には、大当たり乱数および当たり種別乱数の他に、「リーチ乱数」および「変動パターン乱数」がある。
【００７５】
リーチ乱数は、大当たり判定の結果がはずれである場合に、その結果を示す演出図柄変動演出においてリーチを発生させるか否かを決める乱数である。リーチとは、複数の演出図柄のうち変動表示されている演出図柄が残り一つとなっている状態であって、変動表示されている演出図柄がどの図柄で停止表示されるか次第で大当たり当選を示す演出図柄の組み合わせとなる状態（例えば「７↓７」の状態）のことである。なお、リーチ状態において停止表示されている演出図柄は、表示画面５０ａ内で多少揺れているように表示されていたり、拡大と縮小を繰り返すように表示されていたりしてもよい。このリーチ乱数は、０〜２５５までの範囲で値をとる。
【００７６】
また、変動パターン乱数は、変動時間を含む変動パターンを決めるための乱数である。変動パターン乱数は、０〜９９までの範囲で値をとる。また、ゲート１３への通過に基づいて取得される乱数には、図１０（Ｂ）に示す普通図柄乱数（当たり乱数）がある。普通図柄乱数は、電チュー１２Ｄを開放させる補助遊技を行うか否かの抽選（普通図柄抽選）のための乱数である。普通図柄乱数は、０〜６５５３５までの範囲で値をとる。
【００７７】
４．遊技状態の説明
次に、本形態のパチンコ遊技機ＰＹ１の遊技状態に関して説明する。パチンコ遊技機ＰＹ１の特図表示器８１および普図表示器８２には、それぞれ、確率変動機能と変動時間短縮機能がある。特図表示器８１の確率変動機能が作動している状態を「高確率状態」といい、作動していない状態を「通常確率状態（非高確率状態）」という。高確率状態では、大当たり確率が通常確率状態よりも高くなっている。すなわち、大当たりと判定される大当たり乱数の値が通常確率状態で用いる大当たり判定テーブルよりも多い大当たり判定テーブルを用いて、大当たり判定を行う（図１１（Ａ）参照）。つまり、特図表示器８１の確率変動機能が作動すると、作動していないときに比して、特図表示器８１による特別図柄の可変表示の表示結果（すなわち停止図柄）が大当たり図柄となる確率が高くなる。
【００７８】
また、特図表示器８１の変動時間短縮機能が作動している状態を「時短状態」といい、作動していない状態を「非時短状態」という。時短状態では、特別図柄の変動時間（変動表示開始時から表示結果の導出表示時までの時間）が、非時短状態よりも短くなっている。すなわち、変動時間の短い変動パターンが選択されることが非時短状態よりも多くなるように定められた特別図柄の変動パターン判定テーブル（特図変動パターン判定テーブル）を用いて、特別図柄の可変表示の変動パターンを決定するための判定を行う（図１２参照）。つまり、特図表示器８１の変動時間短縮機能が作動すると、作動していないときに比して、特別図柄の可変表示の変動時間として短い変動時間が選択されやすくなる。その結果、時短状態では、特図保留の消化のペースが速くなり、始動口への有効な入賞（特図保留として記憶され得る入賞）が発生しやすくなる。そのため、スムーズな遊技の進行のもとで大当たりを狙うことができる。
【００７９】
特図表示器８１の確率変動機能と変動時間短縮機能とは同時に作動することもあるし、片方のみが作動することもある。そして、普図表示器８２の確率変動機能および変動時間短縮機能は、特図表示器８１の変動時間短縮機能に同期して作動するようになっている。すなわち、普図表示器８２の確率変動機能および変動時間短縮機能は、時短状態において作動し、非時短状態において作動しない。よって、時短状態では、普通図柄抽選における当選確率が非時短状態よりも高くなっている。すなわち、当たりと判定される普通図柄乱数（当たり乱数）の値が非時短状態で用いる普通図柄当たり判定テーブルよりも多い普通図柄当たり判定テーブルを用いて、当たり判定（普通図柄の判定）を行う（図１１（Ｃ）参照）。つまり、普図表示器８２の確率変動機能が作動すると、作動していないときに比して、普図表示器８２による普通図柄の可変表示の表示結果が、普通当たり図柄となる確率が高くなる。
【００８０】
また時短状態では、普通図柄の変動時間が非時短状態よりも短くなっている。本形態では、普通図柄の変動時間は非時短状態では７秒であるが、時短状態では１秒である（図１１（Ｄ）参照）。さらに時短状態では、補助遊技における電チュー１２Ｄの開放時間が、非時短状態よりも長くなっている（図１３参照）。すなわち、電チュー１２Ｄの開放時間延長機能が作動している。加えて時短状態では、補助遊技における電チュー１２Ｄの開放回数が非時短状態よりも多くなっている（図１３参照）。すなわち、電チュー１２Ｄの開放回数増加機能が作動している。
【００８１】
普図表示器８２の確率変動機能と変動時間短縮機能、および電チュー１２Ｄの開放時間延長機能と開放回数増加機能が作動している状況下では、これらの機能が作動していない場合に比して、電チュー１２Ｄが頻繁に開放され、第２始動口１２へ遊技球が頻繁に入賞することとなる。その結果、発射球数に対する賞球数の割合であるベースが高くなる。従って、これらの機能が作動している状態を「高ベース状態」といい、作動していない状態を「低ベース状態」という。高ベース状態では、手持ちの遊技球を大きく減らすことなく大当たりを狙うことができる。なお、高ベース状態とは、いわゆる電サポ制御（電チュー１２Ｄにより第２始動口１２への入賞をサポートする制御）が実行されている状態である。よって、高ベース状態を電サポ制御状態や入球容易状態ともいう。これに対して、低ベース状態を非電サポ制御状態や非入球容易状態ともいう。
【００８２】
高ベース状態は、上記の全ての機能が作動するものでなくてもよい。すなわち、普図表示器８２の確率変動機能、普図表示器８２の変動時間短縮機能、電チュー１２Ｄの開放時間延長機能、および電チュー１２Ｄの開放回数増加機能のうち一つ以上の機能の作動によって、その機能が作動していないときよりも電チュー１２Ｄが開放され易くなっていればよい。また、高ベース状態は、時短状態に付随せずに独立して制御されるようにしてもよい。
【００８３】
本形態のパチンコ遊技機ＰＹ１では、確変大当たりへの当選による大当たり遊技後の遊技状態は、高確率状態かつ時短状態かつ高ベース状態である。この遊技状態を特に、「高確高ベース状態」という。高確高ベース状態は、所定回数（本形態では１００００回）の特別図柄の可変表示が実行されるか、又は、大当たりに当選してその大当たり遊技が実行されることにより終了する。つまり本形態では、高確高ベース状態は実質的に次回の大当たり当選まで継続する。なお、高確高ベース状態の終了条件を、大当たりに当選してその大当たり遊技が実行されることだけとしてもよい。
【００８４】
また、通常大当たりへの当選による大当たり遊技後の遊技状態は、通常確率状態（非高確率状態すなわち低確率の状態）かつ時短状態かつ高ベース状態である。この遊技状態を特に、「低確高ベース状態」という。低確高ベース状態は、所定回数（本形態では１００回）の特別図柄の可変表示が実行されるか、又は、大当たりに当選してその大当たり遊技が実行されることにより終了する。
【００８５】
なお、パチンコ遊技機ＰＹ１を初めて遊技する場合において電源投入後の遊技状態は、通常確率状態かつ非時短状態かつ低ベース状態である。この遊技状態を特に、「低確低ベース状態」という。低確低ベース状態を「通常遊技状態」と称することとする。また、特別遊技（大当たり遊技）の実行中の状態を「特別遊技状態（大当たり遊技状態）」と称することとする。さらに、高確率状態および高ベース状態のうち少なくとも一方の状態に制御されている状態を、「特典遊技状態」と称することとする。
【００８６】
高確高ベース状態や低確高ベース状態といった高ベース状態では、右打ちにより右遊技領域６Ｒ（図４参照）へ遊技球を進入させた方が有利に遊技を進行できる。電サポ制御により低ベース状態と比べて電チュー１２Ｄが開放されやすくなっており、第１始動口１１への入賞よりも第２始動口１２への入賞の方が容易となっているからである。そのため、普通図柄抽選の契機となるゲート１３へ遊技球を通過させつつ、第２始動口１２へ遊技球を入賞させるべく右打ちを行う。これにより左打ちをするよりも、多数の始動入賞（始動口への入賞）を得ることができる。なお本パチンコ遊技機ＰＹ１では、大当たり遊技中も右打ちにて遊技を行う。
【００８７】
これに対して、低ベース状態では、左打ちにより左遊技領域６Ｌ（図４参照）へ遊技球を進入させた方が有利に遊技を進行できる。電サポ制御が実行されていないため、高ベース状態と比べて電チュー１２Ｄが開放されにくくなっており、第２始動口１２への入賞よりも第１始動口１１への入賞の方が容易となっているからである。そのため、第１始動口１１へ遊技球を入賞させるべく左打ちを行う。これにより右打ちするよりも、多数の始動入賞を得ることができる。
【００８８】
５．特別図柄の変動
上述したように本形態のパチンコ遊技機ＰＹ１では、図１２に示す特図変動パターン判定テーブルを用いて、特別図柄の可変表示の変動パターンを決定するための判定を行う。特別図柄の可変表示の変動パターンを決定するための判定は、大当たり判定の結果が大当たり、およびハズレのいずれの場合にも行われることになる。ここで特図変動パターンとは、特図変動時間や後述する特図変動演出の演出フロー（演出内容）などに関する所定事項を識別するための識別情報である。なお特図変動パターンには、特図変動時間や特図変動演出の演出フロー（演出内容）の他、大当たり判定の結果とリーチ判定の結果に関する識別情報を含ませることが可能である。なお本形態の特図変動パターンには、後述する擬似連演出、後述する第１盤可動体演出（第２示唆演出）、後述する盤上可動装置ランプ６０の発光パターン、後述する第２盤可動体演出などに関する識別情報が含まれている。
【００８９】
そして、各特図変動パターン判定テーブルは、遊技状態に関連づけることが可能である。非時短状態のときに用いられる特図変動パターン判定テーブルと、時短状態のときに用いられる特図変動パターン判定テーブルと、を区別することが可能である。また、遊技状態に関連付けられた各特図変動パターン判定テーブルは、さらに大当たり判定結果、またはリーチ判定結果にも関連付けることが可能である。すなわち、非時短状態のときに用いられる特図変動パターン判定テーブルには、大当たり用、リーチ有りハズレ用、およびリーチ無しハズレ用などがある。同様に、時短状態のときに用いられる特図変動パターン判定テーブルにも、大当たり用、リーチ有りハズレ用、およびリーチ無しハズレ用などがある。
【００９０】
さらに、非時短状態のときに用いられるリーチ無しハズレ用の特図変動パターン判定テーブルは、特図保留数にも関連付けることが可能である。例えば、特図保留数が０〜２のときに用いられるリーチ無しハズレ用の特図変動パターン判定テーブルと、特図保留数が３〜４のときに用いられるリーチ無しハズレ用の特図変動パターン判定テーブルと、を区別することが可能である。また時短状態のときに用いられるリーチ無しハズレ用の特図変動パターン判定テーブルは、特図保留数にも関連付けることが可能である。例えば、特図保留数が０〜１のときに用いられるリーチ無しハズレ用の特図変動パターン判定テーブルと、特図保留数が２〜４のときに用いられるリーチ無しハズレ用の特図変動パターン判定テーブルと、を区別することが可能である。
【００９１】
図１２の表の一番右の備考欄に示す特図変動演出の演出内容について説明する。本形態のパチンコ遊技機ＰＹ１の変動演出において、非リーチ、ノーマルリーチ、ＳＰリーチ（スーパーリーチ）、擬似連、盤上可動装置５５を用いた第１盤可動体演出、盤上可動装置５５と盤下可動装置５６とを用いた第２盤可動体演出などが実行され得る。ここで非リーチとは、演出図柄ＥＺ１，ＥＺ２，ＥＺ３の組み合わせが、バラケ目（例えば「４５８」）で停止表示される変動演出のことである。
【００９２】
ここでノーマルリーチとは、上述したリーチを形成した後に発展演出が実行されずに、変動表示し続けている残り一つの演出図柄が停止表示される変動演出のことである。ＳＰリーチは、上述したリーチを形成した後に発展演出が実行されて、ノーマルリーチよりもリーチ後の変動時間が長い変動演出のことである。
【００９３】
ＳＰリーチでは、当選期待度（大当たり当選に対する期待度）がノーマルリーチよりも高くなるように各種の変動パターンの振分率が設定されている（図１２参照）。従って遊技者は、変動時間が長いＳＰリーチを見れば、ノーマルリーチよりも当選期待度が高いことを把握することができる。ここでＳＰリーチの中には、弱ＳＰリーチ、強ＳＰリーチという種類が設けられている。弱ＳＰリーチ⇒強ＳＰリーチの順番に、大当たりへの当選期待度が高くなるように、各種の変動パターンの振分率が設定されている。よって遊技者は、強ＳＰリーチを見れば当選期待度が非常に高いことを把握することができ、弱ＳＰリーチを見れば強ＳＰリーチが表示される場合よりも当選期待度が引くことを把握することができる。
【００９４】
ここで擬似連とは、所謂擬似連演出のことである。以下、「擬似連演出」とも称する。本形態の擬似連演出は、１回の特別図柄の変動表示の開始からその特別図柄が停止表示するまでの期間を複数の単位期間（変動サイクル）で区切って、各単位期間において、演出図柄ＥＺの変動表示を開始させ、演出図柄ＥＺを仮停止表示させる演出（本実施例では、左演出図柄ＥＺ１及び右演出図柄ＥＺ３を同じ数字（例えば、「２」）で仮停止表示させ、中演出図柄ＥＺ２を「継続」で仮停止表示させる演出、図１７（Ｃ−１）、図１８（Ｃ−１）、図１９（Ｃ−１）、図２０（Ｃ−１）参照）が実行される演出のことである。また本形態では、１回の特別図柄の抽選が開始してから終了するまでの間に、演出図柄ＥＺの変動表示が１回行われる単位期間が１回だけある場合と、演出図柄ＥＺの変動表示が１回行われる単位期間が２回ある場合と、演出図柄ＥＺの変動表示が１回行われる単位期間が３回ある場合とがある。なお本形態では、演出図柄ＥＺの変動表示が開始することで、単位期間が開始となり、左演出図柄ＥＺ１及び右演出図柄ＥＺ３を同じ数字（例えば、「２」）で、中演出図柄ＥＺ２を「継続」で仮停止されると、上述した単位期間が終了となる。そして、演出図柄の再変動表示が開始されると、次の単位期間が開始されることになる。以下では、演出図柄ＥＺの変動表示が１回行われる単位期間を１回（所定の第１回数）だけ含む擬似連演出を「擬似連１回」と呼び、演出図柄ＥＺの変動表示が１回行われる単位期間を２回（所定の第２回数）含む擬似連演出を「擬似連２回」と呼び、演出図柄ＥＺの変動表示が１回行われる単位期間を３回（所定の第３回数）含む擬似連演出を「擬似連３回」と呼ぶことにする。なお、「擬似連１回」⇒「擬似連２回」⇒「擬似連３回」の順番に当選期待度が高くなり得るように設定されている。また本形態の擬似連演出における１回目の単位期間を「第１単位期間」と呼び、擬似連演出における２回目の単位期間を「第２単位期間」と呼び、擬似連演出における３回目の単位期間を「第３単位期間」と呼ぶことにする。そして、擬似連演出における最後の単位期間（例えば、擬似連１回の場合には１回の単位期間、擬似連２回の場合には第２単位期間、擬似連３回の場合には第３単位期間）は、演出図柄ＥＺの変動表示が開始されてから特別図柄が停止表示されるまでとする。これにより、本形態の最後の単位期間（例えば、擬似連１回の場合には１回の単位期間、擬似連２回の場合には第２単位期間、擬似連３回の場合には第３単位期間）において、上述したノーマルリーチ、ＳＰリーチが実行される場合がある（図１２参照）。
【００９５】
本形態では、擬似連演出における第２単位期間と第３単位期間が開始されることに伴って、継続回数示唆演出（第１示唆演出）が実行される。ここで継続回数示唆演出とは、擬似連演出における第２単位期間、第３単位期間が開始されることを遊技者に示唆可能な演出のことである（図１２、図１４（Ａ）参照）。また継続回数示唆演出は、遊技者に特別図柄の抽選で大当たりに当選する期待度を遊技者に段階的に示唆可能な段階演出でもある（図１２、図１４（Ａ）参照）。これにより、遊技者に特別図柄の抽選で大当たりに当選する期待度が段階的に高まっていることを把握させることが可能である。
【００９６】
先ず擬似連演出における第２単位期間が開始されることに伴って、実行される継続回数示唆演出について説明する。擬似連演出における第２単位期間の開始に伴って実行される継続回数示唆演出は、１段階目として、表示画面５０ａにて青色の表示色で示された第１継続回数画像ＧＡ（「２回目」の文字画像）が表示される（図１４（Ａ）、図１７（Ｄ−１）参照）。その第１継続回数画像ＧＡ（演出態様）を表示画面５０ａに表示することで、擬似連演出における第２単位期間が開始されることを示唆することが可能である。これにより、遊技者は第１継続回数画像ＧＡを確認することで、擬似連演出における第２単位期間が開始されることを把握することが可能である。また第１継続回数画像ＧＡを表示画面５０ａに表示することで、擬似連演出における第２単位期間が開始されるほどの当選期待度があることを遊技者に示唆することが可能である。これにより、擬似連演出における第２単位期間が開始されるほどの当選期待度があることを遊技者は把握することが可能である。
【００９７】
また本形態では、擬似連演出における第３単位期間が開始されると同時に、実行される継続回数示唆演出について説明する。擬似連演出における第３単位期間の開始に伴って実行される継続回数示唆演出は、２段階目として、表示画面５０ａにて緑色の表示色で示された第２継続回数画像ＧＢ（「３回目」の文字画像）が表示される（図１４（Ｂ）、図１８（Ｄ−１）、図１９（Ｄ−１）、図２０（Ｄ−１）参照）。その第２継続回数画像ＧＢ（演出態様）を表示画面５０ａに表示することで、擬似連演出における第３単位期間が開始されたことを示唆することが可能である。これにより、遊技者は擬似連演出における第３単位期間が開始されることを把握することが可能である。また第２継続回数画像ＧＢを表示画面５０ａに表示することで、擬似連演出における第３単位期間が開始されるほどの当選期待度があることを示唆することが可能である。これにより、擬似連演出における第３単位期間が開始されるほどの当選期待度があることを遊技者は把握することが可能である。
【００９８】
また本形態では、表示画面５０ａに青色の表示色で示された第１継続回数画像ＧＡが表示される場合よりも、表示画面５０ａに緑色の表示色で示された第２継続回数画像ＧＢが表示される場合のほうが、当選期待度が高くなるように設定されている（図１２、図１４（Ａ）参照）。
【００９９】
次に第１盤可動体演出について説明する。第１盤可動体演出とは、第１盤可動体５５ｋが下向きに移動（下降）し、第２盤可動体５６ｋが待機状態で保持され、図６（Ｂ）に示す様子からなる演出のことである（図１７（Ｄ−１）、図１８（Ｄ−１）、図２０（Ｄ−１）参照）。本形態の第１盤可動体演出は、遊技者に特別図柄の抽選で大当たりに当選する期待度を遊技者に段階的に示唆可能な段階演出である（図１２、図１４（Ｂ）参照）。
【０１００】
本形態では、擬似連演出における第２単位期間の開始時に、第１盤可動体演出が実行される（図１７（Ｄ−１）参照）。そして第２単位期間の開始時に実行される第１盤可動体演出では、１段階目として、複数の発光パターンのうちから、発光パターン１が選択され、その発光パターン１に基づく青色の発光色（期待度態様）で盤上可動装置ランプ６０が点灯することになる（図１４（Ｂ）、図１５、図１６参照）。これにより、擬似連演出における第２単位期間が開始されるほどの当選期待度があることを遊技者は把握することが可能である。
【０１０１】
次に、擬似連演出における第３単位期間の開始時に、第１盤可動体演出が実行される（図１８（Ｄ−１）、図２０（Ｄ−１）参照）。そして第３単位期間の開始時に実行される第１盤可動体演出では、２段階目として、複数の発光パターンのうちから、発光パターン２が選択され、その発光パターン２に基づく緑色の発光色（期待度態様）で盤上可動装置ランプ６０が点灯する場合がある（図１４（Ｂ）、図１５（Ａ）、図１６（Ａ）参照）。これにより、擬似連演出における第３単位期間が開始されるほどの当選期待度があることを遊技者は把握することが可能である。一方、第３単位期間の開始時に実行される第１盤可動体演出では、３段階目として、複数の発光パターンのうちから、発光パターン３が選択され、その発光パターン３に基づく赤色の発光色（期待度態様）で盤上可動装置ランプ６０が点灯する場合がある（図１４（Ｂ）、図１６（Ｂ）参照）。これにより、擬似連演出における第３単位期間が開始されるほどの当選期待度よりも当選期待度が高いことを遊技者は把握することが可能である。
【０１０２】
次に第２盤可動体演出について説明する。第２盤可動体演出とは、第１盤可動体５５ｋが下向きに移動（下降）し、第２盤可動体５６ｋが上向きに移動（上昇）して、図６（Ｃ）に示す様子からなる演出のことである（図１９（Ｄ−１）参照）。本形態の第２盤可動体演出は、遊技者に特別図柄の抽選で大当たりに当選する期待度を遊技者に示唆可能な演出である（図１２、図１４（Ｂ）参照）。本形態では、擬似連演出における第３単位期間の開始時に、第１盤可動体演出に代えて第２盤可動体演出が実行される場合がある（図１９（Ｄ−１）参照）。なお本形態の盤上可動装置５５や盤下可動装置５６は、盤可動体演出（第１盤可動体演出、第２盤可動体演出）だけでなく、変動演出における他の演出が実行される場合でも作動可能となっている。また変動演出だけでなく、大当たり遊技の実行中に行われる大当たり演出などでも盤上可動装置５５や盤下可動装置５６は作動可能となっている。
【０１０３】
６．擬似連３回について
本形態のパチンコ遊技機ＰＹ１では選択される変動パターン（変動パターンＰ１からＰ３、変動パターンＰ２１からＰ２３）に応じて、擬似連３回が実行される場合がある（図１２参照）。ところが、擬似連３回が実行される場合でも、擬似連３回における第３単位期間の開始時に実行される盤可動体演出（第１盤可動体演出、第２盤可動体演出）が異なる場合がある（変動パターンＰ２から変動パターンＰ３、変動パターンＰ２２から変動パターンＰ２３）。図１５を用いて変動パターンＰ２から変動パターンＰ３、又は変動パターンＰ２２から変動パターンＰ２３に基づく擬似連３回について説明する。なお本形態のパチンコ遊技機ＰＹ１では、特別図柄が停止表示を開始してから６００ｍｓの停止時間後に、特別図柄が確定されるが、図１５では省略して記載している。先ず、図１５（Ａ）を用いて、変動パターンＰ３又は変動パターンＰ２３に基づく擬似連３回について説明する。
【０１０４】
図１５（Ａ）に示すように、選択された変動パターンＰ３又は変動パターンＰ２３に基づいて特別図柄の変動表示が開始されることに伴って、表示画面５０ａにてその変動パターンＰ３又は変動パターンＰ２３に基づく変動演出が実行され、第１単位期間が開始される。擬似連３回における第１単位期間が終了すると、第２単位期間が開始される。その第２単位期間の開始と同時に、表示画面５０ａに青色の表示色で示された第１継続回数画像ＧＡ（「２回目」の文字画像）が表示される。また第２単位期間の開始と同時に、第１盤可動体５５ｋを用いた第１盤可動体演出が実行される。第１盤可動体演出が実行されると、第１盤可動体５５ｋが非可動から可動へと切り替わり、第１盤可動体５５ｋが移動（下降）して、図６（Ｂ）に示す様子となる。なお第１盤可動体５５ｋの可動開始と同時に、盤上可動装置ランプ６０が青色の発光色で点灯することになる。本形態では、第１継続回数画像ＧＡの表示色（青色）と盤上可動装置ランプ６０の発光色（青色）とが一致することで、遊技者に共通の当選期待度である印象を与えることが可能となっている。また本形態では、第１盤可動体５５ｋの可動開始から約３秒が経過すると、可動から非可動へと切り替わり、第１盤可動体５５ｋが移動（上昇）して、図６（Ａ）に示す様子となる。また盤上可動装置ランプ６０は青色の発光色で点灯を開始してから約３秒が経過すると、盤上可動装置ランプ６０は消灯となる。また表示画面５０ａにおける第１継続回数画像ＧＡの表示開始から約７秒が経過すると、表示画面５０ａでの第１継続回数画像ＧＡが非表示となる。
【０１０５】
本形態では、擬似連演出において第１盤可動体演出が実行されると、図６（Ａ）に示す様子から、図６（Ｂ）に示すように第１盤可動体５５ｋが下降して、表示画面５０ａが覆われてしまい、遊技者にとって表示画面５０ａに表示された演出を視認することが困難となってしまう。また擬似連演出において第２盤可動体演出が実行されると、図６（Ａ）に示す様子から、図６（Ｂ）に示すように第１盤可動体５５ｋが下降して、第２盤可動体５６ｋが上昇して、表示画面５０ａが覆われてしまい、遊技者にとって表示画面５０ａに表示された演出を視認することが困難となってしまう。そこで本形態では、第１盤可動体演出が実行されても、上述したように第１盤可動体５５ｋの可動開始から約３秒が経過すると、可動から非可動へと切り替わり、第１盤可動体５５ｋが移動（上昇）して、図６（Ａ）に示す様子となる。また第２盤可動体演出が実行されても、上述したように第１盤可動体５５ｋと第２盤可動体５６ｋの可動開始から約３秒が経過すると、可動から非可動へと切り替わり、図６（Ｃ）に示す様子から第１盤可動体５５ｋが移動（上昇）し、第２盤可動体５６ｋが移動（下降）して、図６（Ａ）に示す様子となる。これにより、表示画面５０ａが盤可動体（第１盤可動体５５ｋ、第２盤可動体５６ｋ）に覆われて、表示画面５０ａに表示された演出の視認し難い時間が短くなるようにしている。一方、継続回数示唆演出では、表示画面５０ａに継続回数画像（第１継続回数画像ＧＡ、第２継続回数画像ＧＢ）が表示されるため、遊技者が視認困難となることにはならないため、継続回数画像の表示時間は、盤可動体演出（第１盤可動体演出、第２盤可動体演出）における盤可動体（第１盤可動体５５ｋ、第２盤可動体５６ｋ）の可動時間よりも長くなっている。さらに本形態では、継続回数画像の表示時間を長くすることで、遊技者に擬似連演出における何回目の単位時間であるかを把握させ易くすることが可能である。
【０１０６】
その後、擬似連３回における第２単位期間が終了すると、第３単位期間が開始される。その第３単位期間の開始と同時に、表示画面５０ａには緑色の表示色で示された第２継続回数画像ＧＢ（「３回目」の文字画像）が表示される。また第３単位期間の開始と同時に、第１盤可動体５５ｋを用いた第１盤可動体演出が実行される。第１盤可動体演出が実行されると、第１盤可動体５５ｋが非可動から可動へと切り替わり、図６（Ｂ）に示す様子となる。なお第１盤可動体５５ｋの可動開始と同時に、盤上可動装置ランプ６０が緑色の発光色で点灯する。第１盤可動体５５ｋの可動開始から約３秒が経過すると、可動から非可動へと切り替わり、第１盤可動体５５ｋが移動（上昇）して、図６（Ａ）に示す様子となる。本形態では、第２継続回数画像ＧＢの表示色（緑色）と盤上可動装置ランプ６０の発光色（緑色）とが一致すること（第１示唆演出で示す演出態様と第２示唆演出で示す期待度態様が対応する場合）で、遊技者に共通の当選期待度である印象を与えることが可能となっている。また盤上可動装置ランプ６０は緑色の発光色で点灯を開始してから、約３秒が経過すると、盤上可動装置ランプ６０は消灯となる。また表示画面５０ａにおける第２継続回数画像ＧＢの表示開始から約７秒が経過すると、表示画面５０ａでの第２継続回数画像ＧＢが非表示となる。その後、擬似連３回における第３単位期間において、弱ＳＰリーチが行われ、特別図柄の変動時間が経過すると、特別図柄で大当たり図柄又はハズレ図柄で停止表示されると、第３単位期間が終了して変動演出が終了となる。
【０１０７】
次に図１５（Ｂ）を用いて変動パターンＰ２又は変動パターンＰ２２に基づく擬似連３回について説明する。図１５（Ｂ）に示すように、選択された変動パターンＰ２又は変動パターンＰ２２に基づいて特別図柄の変動表示が開始されることに伴って、表示画面５０ａにてその変動パターンＰ２又は変動パターンＰ２２に基づく変動演出が実行され、第１単位期間が開始される。擬似連３回における第１単位期間が終了すると、第２単位期間が開始される。その第２単位期間の開始と同時に、表示画面５０ａに青色の表示色で示された第１継続回数画像ＧＡ（「２回目」の文字画像）が表示される。また第２単位期間の開始と同時に、第１盤可動体演出が実行される。第１盤可動体演出が実行されると、第１盤可動体５５ｋが非可動から可動へと切り替わり、第１盤可動体５５ｋが移動（下降）して、図６（Ｂ）に示す様子となる。なお第１盤可動体５５ｋの可動開始と同時に、盤上可動装置ランプ６０が青色の発光色で点灯することになる。本形態では、第１継続回数画像ＧＡの表示色（青色）と盤上可動装置ランプ６０の発光色（青色）とが一致することで、遊技者に共通の当選期待度である印象を与えることが可能となっている。また本形態では、第１盤可動体５５ｋの可動開始から約３秒が経過すると、可動から非可動へと切り替わり、第１盤可動体５５ｋが移動（上昇）して、図６（Ａ）に示す様子となる。また盤上可動装置ランプ６０は青色の発光色で点灯を開始してから約３秒が経過すると、盤上可動装置ランプ６０は消灯する。また表示画面５０ａにおける第１継続回数画像ＧＡの表示開始から約７秒が経過すると、表示画面５０ａでの第１継続回数画像ＧＡが非表示となる。
【０１０８】
その後、擬似連３回における第２単位期間が終了すると、第３単位期間が開始される。その第３単位期間の開始と同時に、表示画面５０ａには緑色の表示色で示された第２継続回数画像ＧＢ（「３回目」の文字画像）が表示される。また第３単位期間の開始と同時に、第２盤可動体演出が実行される。第２盤可動体演出が実行されると、第１盤可動体５５ｋ及び第２盤可動体５６ｋが非可動から可動へと切り替わり、図６（Ｃ）に示す様子となる。なお第１盤可動体５５ｋの可動開始と同時に、盤上可動装置ランプ６０が緑色の発光色で点灯する。第１盤可動体５５ｋ及び第２盤可動体５６ｋの可動開始から約３秒が経過すると、可動から非可動へと切り替わり、第１盤可動体５５ｋが移動（上昇）し、第２盤可動体５６ｋが移動（下降）して、図６（Ａ）に示す様子となる。本形態では、第２継続回数画像ＧＢの表示色（緑色）と盤上可動装置ランプ６０の発光色（緑色）とが一致することで、遊技者に共通の当選期待度である印象を与えることが可能となっている。また盤上可動装置ランプ６０は緑色の発光色で点灯を開始してから、約３秒が経過すると、盤上可動装置ランプ６０は消灯する。また表示画面５０ａにおける第２継続回数画像ＧＢの表示開始から約７秒が経過すると、表示画面５０ａでの第２継続回数画像ＧＢが非表示となる。その後、擬似連３回における第３単位期間において、弱ＳＰリーチが行われ、特別図柄の変動時間が経過すると、特別図柄で大当たり図柄又はハズレ図柄で停止表示されると、第３単位期間が終了して変動演出が終了となる。
【０１０９】
以上で説明したように、変動パターンＰ２、変動パターンＰ３、変動パターンＰ２２、又は変動パターンＰ２３のいずれが選択された場合でも、擬似連３回における第２単位期間の開始に伴って、表示画面５０ａにて表示された第１継続回数画像ＧＡの表示色（青色）と第１盤可動体演出で点灯した盤上可動装置ランプ６０の発光色（青色）は一致する。さらに擬似連３回における第３単位期間が開始されると、表示画面５０ａにて表示された第２継続回数画像ＧＢの表示色（緑色）と、点灯した盤上可動装置ランプ６０の発光色（緑色）は一致する。ところが、変動パターンＰ２、又は変動パターンＰ２２に基づく擬似連３回における第３単位期間の開始時には、盤上可動装置５５と盤下可動装置５６を用いた第２盤可動体演出が実行されるが、変動パターンＰ３又は変動パターンＰ２４に基づく擬似連３回における第３単位期間の開始時には、盤上可動装置５５のみを用いた第１盤可動体演出が実行される点で異なっている（図１２、図１５参照）。本形態では、擬似連３回における第３単位期間の開始時に、盤上可動装置５５と盤下可動装置５６を用いた第２盤可動体演出が実行される場合のほうが、盤上可動装置５５を用いた第１盤可動体演出が実行される場合よりも、当選期待度が高くなるように各種の変動パターンの振分率が設定されている（図１２参照）。これにより、同じ擬似連３回が実行される場合でも、擬似連３回における第３単位期間の開始時に、第１盤可動体演出又は第２盤可動体演出が実行されるかに遊技者を注目させることが可能となる。
【０１１０】
本形態のパチンコ遊技機ＰＹ１では選択される変動パターン（変動パターンＰ１、変動パターンＰ３、変動パターンＰ２１、変動パターンＰ２３）に基づいて擬似連３回が実行される場合でも、擬似連３回における第３単位期間の開始時に、実行される第１盤可動体演出で点灯する盤上可動装置ランプ６０の発光色が異なる場合がある。図１６を用いて変動パターンＰ１と変動パターンＰ３、又は変動パターンＰ２１と変動パターンＰ２３に基づく擬似連３回について説明する。なお本形態のパチンコ遊技機ＰＹ１では、特別図柄が停止表示を開始してから６００ｍｓの停止時間後に、特別図柄が確定されるが、図１６では省略して記載している。なお図１６（Ａ）を用いた変動パターンＰ３又は変動パターンＰ２３が選択された場合に実行される擬似連３回は、図１５（Ａ）を用いた変動パターンＰ３又は変動パターンＰ２３が選択された場合に実行される擬似連３回と同じであるため、図１６（Ａ）を用いた変動パターンＰ３又は変動パターンＰ２３が選択された場合に実行される擬似連３回の説明は省略する。
【０１１１】
次に図１６（Ｂ）を用いて、変動パターンＰ１又は変動パターンＰ２１が選択された場合に実行される変動演出について説明する。図１６（Ｂ）に示すように、選択された変動パターンＰ１又は変動パターンＰ２１に基づいて特別図柄の変動表示が開始されることに伴って、変動パターンＰ１又は変動パターンＰ２１に基づく変動演出が実行され、擬似連３回における第１単位期間が開始される。擬似連３回における第１単位期間が終了すると、第２単位期間が開始される。その第２単位期間の開始と同時に、表示画面５０ａに青色の表示色で示された第１継続回数画像ＧＡ（「２回目」の文字画像）が表示され、第１盤可動体演出が実行される。第１盤可動体演出が実行されると、第１盤可動体５５ｋが非可動から可動へと切り替わり、第１盤可動体５５ｋが移動（下降）して、図６（Ｂ）に示す様子となる。なお第１盤可動体５５ｋの可動開始と同時に、盤上可動装置ランプ６０が青色の発光色で点灯することになる。本形態では、第１継続回数画像ＧＡの表示色（青色）と盤上可動装置ランプ６０の発光色（青色）とが一致することで、遊技者に共通の当選期待度である印象を与えることが可能となっている。また本形態では、第１盤可動体５５ｋの可動開始から約３秒が経過すると、可動から非可動へと切り替わり、第１盤可動体５５ｋが移動（上昇）して、図６（Ａ）に示す様子となる。また盤上可動装置ランプ６０は青色の発光色で点灯を開始してから約３秒が経過すると、盤上可動装置ランプ６０は消灯する。また表示画面５０ａにおける第１継続回数画像ＧＡの表示開始から約７秒が経過すると、表示画面５０ａでの第１継続回数画像ＧＡが非表示となる。
【０１１２】
その後、擬似連３回における第２単位期間が終了すると、第３単位期間が開始される。その第３単位期間の開始と同時に、表示画面５０ａには緑色の表示色で示された第２継続回数画像ＧＢ（「３回目」の文字画像）が表示され、第１盤可動体演出が実行される。そして第１盤可動体演出が実行されると、第１盤可動体５５ｋが非可動から可動へと切り替わり、図６（Ｂ）に示す様子となる。なお第１盤可動体５５ｋの可動開始と同時に、盤上可動装置ランプ６０が赤色の発光色で点灯する。第１盤可動体５５ｋの可動開始から約３秒が経過すると、可動から非可動へと切り替わり、第１盤可動体５５ｋが移動（上昇）して、図６（Ａ）に示す様子となる。本形態では、第２継続回数画像ＧＢの表示色（緑色）と盤上可動装置ランプ６０の発光色（赤色）とが一致しない（第１示唆演出で示す演出態様と第２示唆演出で示す期待度態様が対応しない場合）ことで、遊技者に違和感を与えて、特徴的な印象を与えることが可能となっている。また盤上可動装置ランプ６０は赤色の発光色で点灯を開始してから、約３秒が経過すると、盤上可動装置ランプ６０は消灯する。また表示画面５０ａにおける第２継続回数画像ＧＢの表示開始から約７秒が経過すると、表示画面５０ａでの第２継続回数画像ＧＢが非表示となる。その後、擬似連３回における第３単位期間にて、強ＳＰリーチが行われ、特別図柄の変動時間が経過すると、特別図柄で大当たり図柄又はハズレ図柄で停止表示されると、第３単位期間が終了して変動演出が終了となる。
【０１１３】
以上で説明したように、変動パターンＰ１、変動パターンＰ３、変動パターンＰ２１、又は変動パターンＰ２３のいずれが選択された場合でも、擬似連３回における第２単位期間の開始時に、表示画面５０ａにて表示された第１継続回数画像ＧＡの表示色（青色）と、第１盤可動体演出で点灯した盤上可動装置ランプ６０の発光色（青色）は一致する。ところが、変動パターンＰ１又は変動パターンＰ２１に基づく擬似連３回における第３単位期間の開始時には、表示画面５０ａにて表示された第２継続回数画像ＧＢの表示色（緑色）と、第１盤可動体演出で点灯した盤上可動装置ランプ６０の発光色（赤色）は不一致となる。一方、変動パターンＰ１又は変動パターンＰ２１に基づく擬似連３回における第３単位期間の開始時には、表示画面５０ａにて表示された第２継続回数画像ＧＢの表示色（緑色）と、点灯した盤上可動装置ランプ６０の発光色（緑色）が一致する。
【０１１４】
本形態では、擬似連３回における第３単位期間の開始時に、表示画面５０ａにて表示された第２継続回数画像ＧＢの表示色（緑色）と、第１盤可動体演出で点灯した盤上可動装置ランプ６０の発光色（赤色）が不一致となる場合のほうが、表示画面５０ａにて表示された第２継続回数画像ＧＢの表示色（緑色）と、第１盤可動体演出で点灯した盤上可動装置ランプ６０の発光色（緑色）が一致となる場合よりも、当選期待度が高くなるように各種の変動パターンの振分率が設定されている（図１２参照）。これにより、これにより、同じ擬似連３回が実行される場合でも、擬似連３回における第３単位期間の開始時に、表示画面５０ａにて表示された第２継続回数画像ＧＢの表示色と、第１盤可動体演出で点灯した盤上可動装置ランプ６０の発光色が一致するか否かに遊技者を注目させることが可能となる。
【０１１５】
次に図１７から図２０を用いて、非時短状態における本形態の演出例について説明する。先ず、図１７に基づいて、擬似連１回、擬似連２回、及び擬似連３回における第１単位期間に実行される変動演出の例について説明する。図１７（Ａ）では、表示画面５０ａにて特図の抽選に基づく変動演出が実行される。また図１７（Ａ）では、昼背景画像Ｈ１が表示画面５０ａに表示されている。
【０１１６】
その後、図１７（Ｂ）に示すように、左演出図柄ＥＺ１で「２」、右演出図柄ＥＺ３で「２」が仮停止し、演出図柄ＥＺの表示態様がリーチ態様となり、ノーマルリーチに移行する。擬似連２回、又は擬似連３回における第２単位期間となる場合には、図１７（Ｃ−１）に進む。一方、擬似連１回における第１単位期間が終了する場合には、図１７（Ｃ−２）に進む。
【０１１７】
擬似連２回、又は擬似連３回における第２単位期間となる場合には、中演出図柄ＥＺ２が表示画面５０ａにて「継続」で仮停止表示され、擬似連２回、又は擬似連３回における第１単位期間が終了となる。そして、擬似連２回、又は擬似連３回における第２単位期間が開始される場合には、図１７（Ｄ−１）に進む。
【０１１８】
図１７（Ｄ−１）に示すように、表示画面５０ａにて演出図柄ＥＺの変動表示が再度行われると、擬似連２回、又は擬似連３回における第２単位期間が開始される。その擬似連２回、又は擬似連３回における第２単位期間の開始に伴って、継続回数示唆演出が実行される。継続回数示唆演出では、表示画面５０ａにて青色の表示色で示す第１継続回数画像ＧＡ（「２回目」の文字画像）が表示される。表示画面５０ａに第１継続回数画像ＧＡが表示されることで、遊技者に擬似連演出における第２単位期間が開始されることを把握させることが可能となる。また擬似連演出における第２単位期間の開始時に、盤上可動装置５５を用いた第１盤可動体演出が実行される。なお盤上可動装置５５に設けられた盤上可動装置ランプ６０が青色の発光色で点灯される。その後、選択された変動パターンに応じて図１８（Ａ）、図１９（Ａ）、又は図２０（Ａ）のいずれかに進む（図１２参照）。
【０１１９】
一方、図１７（Ｂ）に示すノーマルリーチから、図１７（Ｃ−２）に進んだ場合、図１７（Ｃ−２）に示すように、中演出図柄ＥＺ２が表示画面５０ａの中央で「継続」で仮停止することなく、中演出図柄ＥＺ２がすべることになる。その後、図１７（Ｄ−２）に示すように、演出図柄ＥＺがハズレ表示態様（「２３２」）で停止することになる。
【０１２０】
次に、図１８を用いて変動パターンＰ３又は変動パターンＰ２３に基づく擬似連３回における第２単位期間、又は擬似連２回における第２単位期間に実行される演出の例について説明する。図１８（Ａ）に示すように、演出図柄ＥＺの再変動が行われている。また図１８（Ａ）に示すように、表示画面５０ａに青色の表示色で示す第１継続回数画像ＧＡ（「２回目」の文字画像）が表示されている。これにより、遊技者に擬似連演出における第２単位期間であることを遊技者が把握することが可能である。なお、継続回数示唆演出が開始されてから、約７秒が経過すると、継続回数示唆演出が終了して、第１継続回数画像ＧＡが非表示となる。
【０１２１】
その後、図１８（Ｂ）に示すように、左演出図柄ＥＺ１で「２」、右演出図柄ＥＺ３で「２」が仮停止し、演出図柄ＥＺの表示態様がリーチ態様となり、ノーマルリーチに移行する。擬似連３回における第３単位期間となる場合には、図１８（Ｃ−１）に進む。一方、擬似連２回における第２単位期間である、図１８（Ｃ−２）に進む。
【０１２２】
変動パターンＰ３又は変動パターンＰ２３に基づく擬似連３回における第３単位期間となる場合には、中演出図柄ＥＺ２が表示画面５０ａにて「継続」で仮停止され、擬似連３回における第２単位期間が終了となる。そして、擬似連３回における第３単位期間が開始される場合には、図１８（Ｄ−１）に進む。
【０１２３】
図１８（Ｄ−１）に示すように、表示画面５０ａにて演出図柄ＥＺの変動表示が再度行われることで、擬似連３回における第３単位期間が開始される。その擬似連３回における第３単位期間の開始に伴って、継続回数示唆演出が実行される。図１８（Ｄ−１）に示すように、継続回数示唆演出では、表示画面５０ａにて緑色の表示色で示す第２継続回数画像ＧＢ（「３回目」の文字画像）が表示される。表示画面５０ａに第２継続回数画像ＧＢが表示されることで、遊技者に擬似連３回における第３単位期間が開始されることを把握させることが可能となる。また擬似連３回における第３単位期間の開始時に、盤上可動装置５５を用いた第１盤可動体演出が実行される。なお盤上可動装置５５に設けられた盤上可動装置ランプ６０が緑色の発光色で点灯される。その後、弱ＳＰリーチに発展することになる。
【０１２４】
一方、図１８（Ｂ）に示すノーマルリーチから、図１８（Ｃ−２）に進んだ場合、図１８（Ｃ−２）に示すように、中演出図柄ＥＺ２が表示画面５０ａの中央で「継続」で仮停止することなく、中演出図柄ＥＺ２がすべることになる。その後、第２単位期間において、演出図柄ＥＺがハズレ表示態様（「２３２」）で停止するか、弱ＳＰリーチに発展するか、又は強ＳＰリーチに発展することになる。
【０１２５】
次に、図１９を用いて変動パターンＰ２又は変動パターンＰ２２に基づく擬似連３回における第２単位期間、又は擬似連２回における第２単位期間に実行される演出の例について説明する。図１９（Ａ）に示すように、演出図柄ＥＺの再変動が行われている。また図１９（Ａ）に示すように、表示画面５０ａに青色の表示色で示す第１継続回数画像ＧＡ（「２回目」の文字画像）が表示されている。これにより、遊技者に擬似連演出における第２単位期間であることを遊技者が把握することが可能である。なお、継続回数示唆演出が開始されてから、約７秒が経過すると、継続回数示唆演出が終了して、第１継続回数画像ＧＡが非表示となる。
【０１２６】
その後、図１９（Ｂ）に示すように、左演出図柄ＥＺ１で「２」、右演出図柄ＥＺ３で「２」が仮停止し、演出図柄ＥＺの表示態様がリーチ態様となり、ノーマルリーチに移行する。擬似連３回における第３単位期間となる場合には、図１９（Ｃ−１）に進む。一方、擬似連２回における第２単位期間である、図１９（Ｃ−２）に進む。
【０１２７】
変動パターンＰ２又は変動パターンＰ２２に基づく擬似連３回における第３単位期間となる場合には、中演出図柄ＥＺ２が表示画面５０ａにて「継続」で仮停止され、擬似連３回における第２単位期間が終了となる。そして、擬似連３回における第３単位期間が開始される場合には、図１９（Ｄ−１）に進む。
【０１２８】
表示画面５０ａにて演出図柄ＥＺの変動表示が再度行われることで、図１９（Ｄ−１）に示すように、擬似連３回における第３単位期間が開始される。その擬似連３回における第３単位期間の開始に伴って、表示画面５０ａに緑色の表示色で示す第２継続回数画像ＧＢ（「３回目」の文字画像）が表示される。表示画面５０ａに第２継続回数画像ＧＢが表示されることで、遊技者に擬似連３回における第３単位期間が開始されることを把握させることが可能となる。また擬似連３回における第３単位期間の開始時に、盤上可動装置５５と盤下可動装置５６とを用いた第２盤可動体演出が実行される。なお盤上可動装置５５に設けられた盤上可動装置ランプ６０が緑色の発光色で点灯される。その後、第３単位期間において、強ＳＰリーチに発展することになる。
【０１２９】
一方、図１９（Ｂ）に示すノーマルリーチから、図１９（Ｃ−２）に進んだ場合、図１９（Ｃ−２）に示すように、中演出図柄ＥＺ２が表示画面５０ａの中央で「継続」で仮停止することなく、中演出図柄ＥＺ２がすべることになる。その後、第２単位期間において、演出図柄ＥＺがハズレ表示態様（「２３２」）で停止するか、弱ＳＰリーチに発展するか、又は強ＳＰリーチに発展することになる。
【０１３０】
次に、図２０を用いて変動パターンＰ１又は変動パターンＰ２１に基づく擬似連３回における第２単位期間、又は擬似連２回における第２単位期間に実行される演出の例について説明する。図２０（Ａ）に示すように、演出図柄ＥＺの再変動が行われている。また図２０（Ａ）に示すように、表示画面５０ａに青色の表示色で示す第１継続回数画像ＧＡ（「２回目」の文字画像）が表示されている。これにより、擬似連演出における第２単位期間であることを遊技者は把握することが可能である。なお、継続回数示唆演出が開始されてから、約７秒が経過すると、継続回数示唆演出が終了して、第１継続回数画像ＧＡが非表示となる。
【０１３１】
その後、図２０（Ｂ）に示すように、左演出図柄ＥＺ１で「２」、右演出図柄ＥＺ３で「２」が仮停止し、演出図柄ＥＺの表示態様がリーチ態様となり、ノーマルリーチに移行する。擬似連３回における第３単位期間となる場合には、図２０（Ｃ−１）に進む。一方、擬似連２回における第２単位期間である、図２０（Ｃ−２）に進む。
【０１３２】
変動パターンＰ１又は変動パターンＰ２１に基づく擬似連３回における第３単位期間となる場合には、中演出図柄ＥＺ２が表示画面５０ａにて「継続」で仮停止され、擬似連３回における第２単位期間が終了となる。そして、擬似連３回における第３単位期間が開始される場合には、図２０（Ｄ−１）に進む。
【０１３３】
図２０（Ｄ−１）に示すように、表示画面５０ａにて演出図柄ＥＺの変動表示が再度行われることで、擬似連３回における第３単位期間が開始される。その擬似連３回における第３単位期間の開始に伴って、表示画面５０ａに緑色の表示色で示す第２継続回数画像ＧＢ（「３回目」の文字画像）が表示される。表示画面５０ａに第２継続回数画像ＧＢが表示されることで、遊技者に擬似連３回における第３単位期間が開始されることを把握させることが可能となる。また擬似連３回における第３単位期間の開始時に、盤上可動装置５５を用いた第１盤可動体演出が実行される。なお盤上可動装置５５に設けられた盤上可動装置ランプ６０が赤色の発光色で点灯される。その後、擬似連３回における第３単位期間において強ＳＰリーチに発展することになる。
【０１３４】
一方、図２０（Ｂ）に示すノーマルリーチから、図２０（Ｃ−２）に進んだ場合、図２０（Ｃ−２）に示すように、中演出図柄ＥＺ２が表示画面５０ａの中央で「継続」で仮停止することなく、中演出図柄ＥＺ２がすべることになる。その後、擬似連２回における第２単位期間において、演出図柄ＥＺがハズレ表示態様（「２３２」）で停止するか、弱ＳＰリーチに発展するか、又は強ＳＰリーチに発展することになる。
【０１３５】
従来のパチンコ遊技機には、可動体を備えたものがある。そのパチンコ遊技機は、液晶表示装置の表示画面にて表示される変動演出などの演出態様に応じて様々なタイミングで可動体を可動させて、遊技者を楽しませることが可能となっていた。ところが、単に液晶表示装置の表示画面にて表示される変動演出などの演出態様に応じて様々なタイミングで可動体を可動させるだけでは、遊技者を楽しませるにも限界がある。
【０１３６】
本形態のパチンコ遊技機ＰＹ１では、変動パターンＰ１からＰ６、変動パターンＰ２１からＰ２６のうちから、選択された変動パターンに基づく擬似連演出が実行される場合でも、その擬似連演出における第２単位期間の開始時には、第１継続回数画像ＧＡが表示画面５０ａに表示され、第１盤可動体５５ｋを用いた第１盤可動体演出が実行される。そして本形態では、擬似連演出における第２単位期間の開始時に、表示画面５０ａに表示される第１継続回数画像ＧＡの表示色（青色）と、第１盤可動演出において点灯する盤上可動装置ランプ６０の発光色（青色）が一致する。これにより、本形態のパチンコ遊技機ＰＹ１によれば、第１継続回数画像ＧＡの表示色と、第１盤可動演出において点灯する盤上可動装置ランプ６０の発光色とを一致させて、遊技者に共通の当選期待度である印象を与えることが可能となる。そのため、遊技者は単に可動体を可動させるだけよりも、遊技者をより楽しませることが可能となる。
【０１３７】
本形態のパチンコ遊技機ＰＹ１では、変動パターンＰ３又は変動パターンＰ２３に基づく擬似連３回が実行される場合と、変動パターンＰ１又は変動パターンＰ２１に基づく擬似連３回が実行される場合とでは、擬似連３回における第３単位期間の開始時に、第２継続回数画像ＧＢが表示画面５０ａに表示され、第１盤可動体５５ｋを用いた第１盤可動体演出が実行される。しかし、変動パターンＰ３又は変動パターンＰ２３に基づく擬似連３回における第３単位期間の開始時に、表示画面５０ａに表示される第２継続回数画像ＧＢの表示色（緑色）と第１盤可動体演出での盤上可動装置ランプ６０の発光色（緑色）とが一致する。一方、変動パターンＰ１又は変動パターンＰ２１に基づく擬似連３回における第３単位期間の開始時に、表示画面５０ａに表示される第２継続回数画像ＧＢの表示色（緑色）と第１盤可動体演出での盤上可動装置ランプ６０の発光色（赤色）とが一致しない。そして、擬似連３回における第３単位期間の開始時に、表示画面５０ａに表示される第２継続回数画像ＧＢの表示色（緑色）と第１盤可動体演出での盤上可動装置ランプ６０の発光色（赤色）とが一致しない場合のほうが、擬似連３回における第３単位期間の開始時に、表示画面５０ａに表示される第２継続回数画像ＧＢの表示色（緑色）と第１盤可動体演出での盤上可動装置ランプ６０の発光色（緑色）とが一致する場合よりも、大当たりへの当選期待度が高くなるように、各種の変動パターンの振分率が設定されている（図１２参照）。これにより本形態のパチンコ遊技機ＰＹ１によれば、擬似連３回における第３単位期間の開始時に、擬似連演出に応じて可動する第１盤可動体５５ｋだけでなく、擬似連３回における第３単位期間の開始時に、第２継続回数画像ＧＢの表示色と第１盤可動体演出での盤上可動装置ランプ６０の発光色に遊技者を注目させることが可能である。そのため、擬似連３回における第２単位期間の開始時には、継続回数示唆演出と第１盤可動体演出が共通の当選期待度である印象を与えていたのに、擬似連３回における第３単位期間の開始時には、遊技者に継続回数示唆演出と第１盤可動体演出が共通の当選期待度でない印象を与えて、違和感を与えることが可能となる。さらに第２継続回数画像ＧＢの表示色と盤上可動装置ランプ６０の発光色が一致するか否かによって、今後の遊技展開の推測を面白くさせることが可能である。こうして、擬似連演出における単位期間の開始に伴って、第１盤可動体５５ｋを可動させるだけでなく、表示画面５０ａに表示される第２継続回数画像ＧＢの表示色（緑色）と第１盤可動体演出での盤上可動装置ランプ６０の発光色によって、遊技者を高揚させて、楽しませることが可能となる。
【０１３８】
また本形態のパチンコ遊技機ＰＹ１では、変動パターンＰ２又は変動パターンＰ２２に基づく擬似連３回が実行される場合において、擬似連３回における第３単位期間の開始時に、第２継続回数画像ＧＢが表示画面５０ａに表示され、盤上可動装置ランプ６０が緑色で点灯された第１盤可動体５５ｋと第２盤可動体５６ｋが可動することになる。そして、擬似連３回における第３単位期間の開始時に、第１盤可動体演出が実行される場合よりも、第２盤可動体演出が実行される場合のほうが、大当たりへの当選期待度が高くなるように、各種の変動パターンの振分率が設定されている（図１２参照）。これにより本形態のパチンコ遊技機ＰＹ１によれば、擬似連３回における第３単位期間の開始時に、第２継続回数画像ＧＢの表示色、第１盤可動体５５ｋの可動、盤上可動装置ランプ６０の発光色だけでなく、第２盤可動体５６ｋの可動にも遊技者を注目させることが可能である。そのため、当選期待度が高い擬似連３回であるだけでなく、第２継続回数画像ＧＢの表示色と第１盤可動体演出での盤上可動装置ランプ６０の発光色が一致であっても、第２盤可動体５６ｋが可動するか否かによって、今後の遊技展開の推測を面白くさせることが可能である。こうして、擬似連演出における単位期間の開始に伴って、第２継続回数画像ＧＢの表示色、第１盤可動体５５ｋの可動、盤上可動装置ランプ６０の発光色だけでなく、第２盤可動体５６ｋの可動により、遊技者を高揚させて、楽しませることが可能となる。
【０１３９】
７．遊技制御用マイコン１０１の動作
［主制御メイン処理］次に図２１〜図３５に基づいて遊技制御用マイコン１０１の動作について説明する。なお、遊技制御用マイコン１０１の動作説明にて登場するカウンタ、タイマ、フラグ、ステータス、バッファ等は、遊技用ＲＡＭ１０４に設けられている。遊技制御基板１００に備えられた遊技制御用マイコン１０１は、パチンコ遊技機ＰＹ１の電源がオンされると、遊技用ＲＯＭ１０３から図２１に示した主制御メイン処理のプログラムを読み出して実行する。同図に示すように、主制御メイン処理では、まず初期設定を行う（ステップS001）。初期設定では例えば、スタックの設定、定数設定、割り込み時間の設定、遊技用ＣＰＵ１０２の設定、ＳＩＯ、ＰＩＯ、ＣＴＣ（割り込み時間の管理のための回路）の設定や、各種のフラグ、ステータス及びカウンタ等のリセット等を行う。フラグの初期値は「０」つまり「ＯＦＦ」であり、ステータスの初期値は「１」であり、カウンタの初期値は「０」である。なお初期設定(S001)は、電源投入後に一度だけ実行され、それ以降は実行されない。
【０１４０】
初期設定(S001)に次いで、割り込みを禁止し(S002)、普通図柄・特別図柄主要乱数更新処理(S003)を実行する。この普通図柄・特別図柄主要乱数更新処理(S003)では、図９に示した種々の乱数カウンタ値を１加算して更新する。各乱数カウンタ値は上限値に至ると「０」に戻って再び加算される。なお各乱数カウンタの初期値は「０」以外の値であってもよく、ランダムに変更されるものであってもよい。また各乱数は、カウンタＩＣ等からなる公知の乱数生成回路を利用して生成される所謂ハードウェア乱数であってもよい。
【０１４１】
普通図柄・特別図柄主要乱数更新処理(S003)が終了すると、割り込みを許可する(S004)。割り込み許可中は、メイン側タイマ割り込み処理(S005)の実行が可能となる。メイン側タイマ割り込み処理(S005)は、例えば４ｍｓｅｃ周期で遊技用ＣＰＵ１０２に繰り返し入力される割り込みパルスに基づいて実行される。すなわち、例えば４ｍｓｅｃ周期で実行される。そして、メイン側タイマ割り込み処理(S005)が終了してから、次にメイン側タイマ割り込み処理(S005)が開始されるまでの間に、普通図柄・特別図柄主要乱数更新処理(S003)による各種カウンタ値の更新処理が繰り返し実行される。なお、割り込み禁止状態のときに遊技用ＣＰＵ１０２に割り込みパルスが入力された場合は、メイン側タイマ割り込み処理(S005)はすぐには開始されず、割り込み許可(S004)がされてから開始される。
【０１４２】
［メイン側タイマ割り込み処理］次に、メイン側タイマ割り込み処理(S005)について説明する。図２２に示すように、メイン側タイマ割り込み処理(S005)では、まず出力処理(S101)を実行する。出力処理(S101)では、以下に説明する各処理において遊技制御基板１００の遊技用ＲＡＭ１０４に設けられた出力バッファにセットされたコマンド等を、演出制御基板１２０や払出制御基板１７０等に出力する。
【０１４３】
出力処理(S101)に次いで行われる入力処理(S102)では、主にパチンコ遊技機ＰＹ１に取付けられている各種センサ（第１始動口センサ１１ａ、第２始動口センサ１２ａ、ゲートセンサ１３ａ、大入賞口センサ１４ａ、一般入賞口センサ１０ａ等（図７参照））が検知した検出信号を読み込み、賞球情報として遊技用ＲＡＭ１０４の出力バッファに記憶（セット）する。また、下皿３５の満杯を検出する下皿満杯スイッチからの検出信号も取り込み、下皿満杯データとして遊技用ＲＡＭ１０４の出力バッファに記憶する。
【０１４４】
次に行われる普通図柄・特別図柄主要乱数更新処理(S103)は、図２１の主制御メイン処理で行う普通図柄・特別図柄主要乱数更新処理(S003)と同じである。即ち、図１０に示した各種乱数カウンタ値（普通図柄乱数カウンタ値も含む）の更新処理は、メイン側タイマ割り込み処理(S005)の実行期間と、それ以外の期間（メイン側タイマ割り込み処理(S005)の終了後、次のメイン側タイマ割り込み処理(S005)が開始されるまでの期間）との両方で行われている。
【０１４５】
普通図柄・特別図柄主要乱数更新処理(S103)に次いで、後述するセンサ検出処理(S104)、普通動作処理(S105)、および特別動作処理(S106)を実行する。その後、その他の処理(S107)を実行して、メイン側タイマ割り込み処理(S005)を終了する。その他の処理(S107)としては、後述の特図２保留球数に基づいて第２特図保留表示器８３ｂをその数を示す表示態様に制御したり、後述の特図１保留球数に基づいて第１特図保留表示器８３ａをその数を示す表示態様に制御したりする。そして、次に遊技用ＣＰＵ１０２に割り込みパルスが入力されるまでは主制御メイン処理のステップS002〜S004の処理が繰り返し実行され（図２１参照）、割り込みパルスが入力されると（約４ｍｓｅｃ後）、再びメイン側タイマ割り込み処理(S005)が実行される。再び実行されたメイン側タイマ割り込み処理(S005)の出力処理(S101)においては、前回のメイン側タイマ割り込み処理(S005)にて遊技用ＲＡＭ１０４の出力バッファにセットされたコマンド等が出力される。
【０１４６】
［センサ検出処理］図２３に示すように、センサ検出処理(S104)ではまず、ゲート１３に遊技球が通過したか否か、即ち、ゲートセンサ１３ａによって遊技球が検出されたか否か判定する(S201)。ゲート１３を遊技球が通過していれば(S201でYES)、後述のゲート通過処理を行う(S202)。一方、遊技球がゲート１３を通過していなければ(S201でNO)、ゲート通過処理(S202)をパスしてステップS203に進む。
【０１４７】
ステップS203では、第２始動口１２に遊技球が入賞したか否か、即ち、第２始動口センサ１２ａによって遊技球が検出されたか否か判定する(S203)。第２始動口１２に遊技球が入賞していない場合(S203でNO)にはステップS207に進むが、第２始動口１２に遊技球が入賞した場合には(S203でYES)、特図２保留球数（第２特図保留の数、具体的には遊技用ＲＡＭ１０４に設けた第２特図保留の数をカウントするカウンタの数値）が「４」（上限記憶数）に達しているか否か判定する(S204)。そして、特図２保留球数が「４」に達している場合(S204でYES)には、ステップS207に進むが、特図２保留球数が「４」未満である場合には(S204でNO)、特図２保留球数に１を加算する(S205)。
【０１４８】
続いて特図２関係乱数取得処理を行う(S206)。特図２関係乱数取得処理(S206)では、大当たり乱数カウンタ値（ラベル−ＴＲＮＤ−Ａ）、当たり種別乱数カウンタ値（ラベル−ＴＲＮＤ−ＡＳ）、リーチ乱数カウンタ値（ラベル−ＴＲＮＤ−ＲＣ）及び変動パターン乱数カウンタ値（ラベル−ＴＲＮＤ−Ｔ１）を取得し（つまり図１０（Ａ）に示す乱数値群を取得し）、それら取得乱数値を第２特図保留記憶部１０５ｂのうち現在の特図２保留球数に応じた第２特図保留記憶部１０５ｂの記憶領域に格納する。
【０１４９】
続いてセンサ検出処理(S104)では、第１始動口１１に遊技球が入賞したか否か、即ち、第１始動口センサ１１ａによって遊技球が検出されたか否かを判定する(S207)。第１始動口１１に遊技球が入賞していない場合(S207でNO)には処理を終えるが、第１始動口１１に遊技球が入賞した場合には(S207でYES)、特図１保留球数（第１特図保留の数、具体的には遊技用ＲＡＭ１０４に設けた第１特図保留の数をカウントするカウンタの数値）が「４」（上限記憶数）に達しているか否か判定する(S208)。そして、特図１保留球数が「４」に達している場合(S208でYES)には、処理を終えるが、特図１保留球数が「４」未満である場合には(S208でNO)、特図１保留球数に「１」を加算する(S209)。
【０１５０】
続いて特図１関係乱数取得処理(S210)を行って、本処理を終える。特図１関係乱数取得処理(S210)では、特図２関係乱数取得処理(S206)と同様に、大当たり乱数カウンタ値（ラベル−ＴＲＮＤ−Ａ）、当たり種別乱数カウンタ値（ラベル−ＴＲＮＤ−ＡＳ）、リーチ乱数カウンタ値（ラベル−ＴＲＮＤ−ＲＣ）及び変動パターン乱数カウンタ値（ラベル−ＴＲＮＤ−Ｔ１）を取得し（つまり図１０（Ａ）に示す乱数値群を取得し）、それら取得乱数値を第１特図保留記憶部１０５ａのうち現在の特図１保留球数に応じた第１特図保留記憶部１０５ａの記憶領域に格納する。
【０１５１】
[ゲート通過処理]図２４に示すようにゲート通過処理(S202)では、普通図柄保留球数（普図保留の数、具体的には遊技用ＲＡＭ１０４に設けた普図保留の数をカウントするカウンタの値）が４以上であるか否かを判定し(S301)、普通図柄保留球数が４以上であれば(S301でYES)、処理を終了する。一方、普通図柄保留球数が４以上でなければ(S301でNO)、普通図柄保留球数に「１」を加算し(S302)、普通図柄乱数取得処理を行う(S303)。普通図柄乱数取得処理(S303)では、普通図柄乱数カウンタ値（ラベル−ＴＲＮＤ−Ｈの値、図９（Ｂ）参照）を取得し、その取得乱数値を遊技用ＲＡＭ１０４の普図保留記憶部１０６のうち現在の普通図柄保留球数に応じた記憶領域に格納する。
【０１５２】
[普通動作処理]遊技制御用マイコン１０１は、センサ検出処理(S104)に次いで普通動作処理(S105)を行う（図２２参照）。図２５に示すように、普通動作処理(S105)ではまず、電チュー１２Ｄの作動中か否かを判定する(S401)。電チュー１２Ｄの作動中でなければ(S401でNO)、続いて、普通図柄の停止表示中か否かを判定する(S402)。普通図柄の停止表示中でなければ(S402でNO)、続いて、普通図柄の変動表示中か否かを判定する(S403)。普通図柄の変動表示中でなければ(S403でNO)、続いて、普通図柄の保留球数が「０」か否かを判定する(S404)。普通図柄の保留球数が「０」であれば(S404でYES)、本処理を終える。
【０１５３】
ステップS404において普通図柄の保留球数が「０」でなければ(S404でNO)、当たり判定処理を行う(S405)。当たり判定処理(S405)では、普図保留記憶部１０６に格納されている普通図柄乱数カウンタ値（ラベル−ＴＲＮＤ−Ｈの値）を読み出し、図１１（Ｃ）に示す普通図柄当たり判定テーブルに基づいて当たりか否か判定する。そして、当たり判定の結果に応じた普図停止図柄データを遊技用ＲＡＭ１０４の所定の記憶領域にセットする図柄決定処理を行う(S406)。つまり図柄決定処理(S406)では、「ハズレ」であれば「普図ハズレ図柄」に応じたデータをセットし、「当たり」であれば「普通当たり図柄」に応じたデータをセットする。
【０１５４】
続いて遊技制御用マイコン１０１は、普通図柄変動時間決定処理を行う(S407)。普通図柄変動時間決定処理(S407)では、図１１（Ｄ）に示す普通図柄変動パターン選択テーブルを参照して、遊技状態が時短状態であれば、普通図柄の変動時間が１秒の普通図柄変動パターンを選択する。一方、遊技状態が非時短状態であれば、普通図柄の変動時間が７秒の普通図柄変動パターンを選択する。
【０１５５】
次いで遊技制御用マイコン１０１は、普通図柄保留球数を１ディクリメントする(S408)。そして、普図保留記憶部１０６における各普図保留の格納場所（記憶領域）を現在の位置から読み出される側に一つシフトするとともに、普図保留記憶部１０６における保留４個目に対応する記憶領域（読み出される側から最も遠い記憶領域）をクリアする(S409)。このようにして、普図保留が保留された順に消化されるようにしている。その後、遊技制御用マイコン１０１は、ステップS407で選択した普通図柄変動パターンにて普通図柄の変動表示を開始する(S410)。なおこれに伴い、演出制御基板１２０に普通図柄の変動開始を知らせるため、普通図柄変動開始コマンドをセットする。
【０１５６】
上述のステップS403にて普通図柄の変動表示中であれば(S403でYES)、続いて、普通図柄の変動時間が経過したか否か判定し(S411)、経過していなければ処理を終える。一方、経過していれば(S411でYES)、普通図柄の変動表示を、普通図柄乱数の判定結果に応じた表示結果（普通当たり図柄又は普通ハズレ図柄）で停止させる(S412)。そして、演出制御基板１２０に普通図柄の変動停止を知らせるための普通図柄変動停止コマンドをセットするとともに(S413)、普通図柄の停止時間をセットして(S414)本処理を終える。
【０１５７】
また、上述のステップS402にて普通図柄の停止表示中であれば(S402でYES)、続いて、ステップS414でセットした普通図柄の停止時間が経過したか否か判定し(S415)、経過していなければ処理を終える。一方、経過していれば(S415でYES)、普通当たり図柄の普図停止図柄データがセットされているか否かを判定し(S416)、普通当たり図柄のデータでなければ（つまり当たりでなければ(S416でNO)）、本処理を終える。一方、普通当たり図柄のデータであれば（つまり当たりであれば(S416でYES)）、電チュー１２Ｄの開放パターンをセットする(S417)。詳細には、時短状態中であれば、電チュー１２Ｄの開放パターンとして時短状態中の開放パターン（図１３の電チュー開放ＴＢＬ２参照）をセットする。これに対して、非時短状態中であれば、電チュー１２Ｄの開放パターンとして非時短状態中の開放パターン（図１３の電チュー開放ＴＢＬ１参照）をセットする。そして、ステップS417でセットした開放パターンに従って、電チュー１２Ｄを作動させる(S418)。
【０１５８】
また、上述のステップS401にて電チュー１２Ｄの作動中であれば(S401でYES)、続いて、電チュー１２Ｄの作動時間が経過したか否かを判定し(S419)、経過していなければ処理を終える。一方、経過していれば(S419でYES)、電チュー１２Ｄの作動を終了させる(S420)。
【０１５９】
［特別動作処理］遊技制御用マイコン１０１は、普通動作処理(S105)に次いで特別動作処理(S106)を行う（図２２参照）。図２６に示すように特別動作処理(S106)では、特図表示器８１および大入賞装置１４Ｄに関する処理を４つの段階に分け、それらの各段階に「特別動作ステータス１，２，３，４」を割り当てている。そして、遊技制御用マイコン１０１は、「特別動作ステータス」が「１」である場合には(S1301でYES)、特別図柄待機処理(S1302)を行い、「特別動作ステータス」が「２」である場合には(S1301でNO、S1303でYES)、特別図柄変動中処理(S1304)を行い、「特別動作ステータス」が「３」である場合には(S1301,S1303で共にNO、S1305でYES)、特別図柄確定処理(S1306)を行い、「特別動作ステータス」が「４」である場合には(S1301,S1303,S1305の全てがNO)、特別電動役物処理(S1307)を行う。なお特別動作ステータスは、初期設定では「１」である。
【０１６０】
［特別図柄待機処理］図２７に示すように、特別図柄待機処理(S1302)ではまず、第２始動口１２の保留球数（即ち特図２保留球数）が「０」であるか否かを判定する(S1401)。特図２保留球数が「０」である場合(S1401でYES)、即ち、第２始動口１２への入賞に起因して取得した乱数カウンタ値群の記憶がない場合には、第１始動口１１の保留球数（即ち特図１保留球数）が「０」であるか否かを判定する(S1407)。そして、特図１保留球数も「０」である場合(S1407でYES)、即ち、第１始動口１１への入賞に起因して取得した乱数カウンタ値群の記憶もない場合には、客待ちフラグがＯＮか否かを判定する(S1415)。ＯＮであれば(S1415でYES)本処理を終え、ＯＮでなければ(S1415でNO)、客待ちコマンドを遊技用ＲＡＭ１０４の出力バッファにセットするとともに(S1416)、客待ちフラグをＯＮにして(S1417)、本処理を終える。
【０１６１】
ステップS1401において特図２保留球数が「０」でない場合(S1401でNO)、即ち、第２始動口１２への入賞に起因して取得した乱数カウンタ値群の記憶（特図２の保留情報）が１つ以上ある場合には、後述の特図２大当たり判定処理(S1402)及び特図２変動パターン選択処理(S1403)を行う。その後、遊技制御用マイコン１０１は、特図２保留球数を１ディクリメントする(S1404)。そして、第２特図保留記憶部１０５ｂにおける各種カウンタ値の格納場所（記憶領域）を、現在の位置から読み出される側に一つシフトするとともに、第２特図保留記憶部１０５ｂにおける保留１個目に対応する記憶領域をクリアする(S1405)。続いて遊技制御用マイコン１０１は、特図２変動開始処理(S1406)を実行して、ステップS1413に進む。特図２変動開始処理(S1406)では、特別動作ステータスを「２」にセットするとともに変動開始コマンドを遊技用ＲＡＭ１０４の出力バッファにセットして、第２特別図柄の変動表示を開始する。なお、特図２変動開始処理(S1406)でセットされる変動開始コマンド（特図２変動開始コマンドともいう）には、特図２大当たり判定処理(S1402)でセットされた特図停止図柄データの情報や特図２変動パターン選択処理(S1403)でセットされた変動パターンの情報（変動時間の情報を含む情報）が含まれている。
【０１６２】
また、特図２保留球数が「０」であるが特図１保留球数が「０」でない場合(S1401でYES且つS1407でNO)、即ち、特図２の保留情報はないが、第１始動口１１への入賞に起因して取得した乱数カウンタ値群の記憶（特図１の保留情報）が１つ以上ある場合には、後述の特図１大当たり判定処理(S1408)及び特図１変動パターン選択処理(S1409)を行う。その後、遊技制御用マイコン１０１は、特図１保留球数を１ディクリメントする(S1410)。そして、第１特図保留記憶部１０５ａにおける各種カウンタ値の格納場所（記憶領域）を、現在の位置から読み出される側に一つシフトするとともに、第１特図保留記憶部１０５ａにおける保留４個目に対応する記憶領域（読み出される側から最も遠い記憶領域）をクリアする(S1411)。このようにして、第１特図保留が保留された順に消化されるようにしている。続いて遊技制御用マイコン１０１は、特図１変動開始処理(S1412)を実行して、ステップS1413に進む。特図１変動開始処理(S1412)では、特別動作ステータスを「２」にセットするとともに変動開始コマンドを遊技用ＲＡＭ１０４の出力バッファにセットして、第１特別図柄の変動表示を開始する。なお、特図１変動開始処理(S1412)でセットされる変動開始コマンド（特図１変動開始コマンドともいう）には、特図１大当たり判定処理(S1408)でセットされた特図停止図柄データの情報や特図１変動パターン選択処理(S1409)でセットされた変動パターンの情報（変動時間の情報を含む情報）が含まれている。
【０１６３】
ステップS1413に進むと客待ちフラグがＯＮか否かを判定し、ＯＮであれば客待ちフラグをＯＦＦして(S1414)、処理を終える。上記のように本形態では、第１特図保留に基づく特別図柄の変動表示は、第２特図保留が「０」の場合(S1401でYESの場合)に限って行われる。すなわち第２特図保留の消化は、第１特図保留の消化に優先して実行される。
【０１６４】
［特図２大当たり判定処理（特図１大当たり判定処理）］特図２大当たり判定処理(S1402)と特図１大当たり判定処理(S1408)とは、処理の流れが同じであるため図２８に基づいてまとめて説明する。図２８に示すように、特図２大当たり判定処理(S1402)又は特図１大当たり判定処理(S1408)ではまず、判定値として、大当たり乱数カウンタ値（ラベル−ＴＲＮＤ−Ａの値）を読み出す(S1501)。詳細には、特図２大当たり判定処理(S1402)では、遊技用ＲＡＭ１０４の第２特図保留記憶部１０５ｂの第１記憶領域（即ち第２特図保留の１個目に対応する記憶領域）に記憶されている大当たり乱数カウンタ値を読み出す。また特図１大当たり判定処理(S1408)では、遊技用ＲＡＭ１０４の第１特図保留記憶部１０５ａの第１記憶領域（即ち第１特図保留の１個目に対応する記憶領域）に記憶されている大当たり乱数カウンタ値を読み出す。
【０１６５】
次に、大当たり判定テーブル（図１１（Ａ）参照）をセットする(S1502)。次いで、確変フラグがＯＮであるか否か、すなわち高確率状態であるか否かを判定する(S1503)。そして、高確率状態でなければ(S1503でNO)、すなわち通常確率状態（非高確率状態）であれば、大当たり判定テーブル（図１１（Ａ）参照）のうち非高確率状態用のテーブル（大当たり判定値が「１」〜「２１０」）に基づいて大当たりか否かを判定する(S1504)。一方、高確率状態であれば(S1503でYES)、大当たり判定テーブル（図１１（Ａ）参照）のうち高確率状態用のテーブル（大当たり判定値が「１」〜「１６６０」）に基づいて大当たりか否かを判定する(S1505)。
【０１６６】
大当たり判定(S1504,S1505)の結果が「大当たり」であれば、当たり種別乱数カウンタ値（ラベル−ＴＲＮＤ−ＡＳの値）を読み出して、図９に示す当たり種別判定テーブルに基づいて当たり種別を判定する(S1506)。当たり種別を判定した後(S1506)、大当たりフラグをＯＮにするとともに(S1507)、当たり種別に応じた特図停止図柄データ（図９参照）を、遊技用ＲＡＭ１０４に設けた当たり種別バッファにセットして(S1508)処理を終える。一方、大当たり判定(S1504,S1505)の結果が「ハズレ」であれば、ハズレ図柄に応じた特図停止図柄データ（０１Ｈ）をセットして(S1508)処理を終える。
【０１６７】
［特図２変動パターン選択処理（特図１変動パターン選択処理）］特図２変動パターン選択処理(S1403)と特図１変動パターン選択処理(S1409)とは、処理の流れが同じであるため図２９及び図３０に基づいてまとめて説明する。図２９に示すように、特図２変動パターン選択処理(S1403)又は特図１変動パターン選択処理(S1409)ではまず、遊技状態が時短状態か否か（時短フラグがＯＮか否か）を判定する(S1601)。
【０１６８】
時短状態でなければ(S1601でNO)、すなわち非時短状態であれば、続いて大当たりフラグがＯＮか否かを判定する(S1602)。ＯＮであれば(S1602でYES)、非時短状態中大当たり通常テーブル（図１２に示す特図変動パターン判定テーブルのうち非時短状態且つ大当たりに該当する部分）を参照して、変動パターン乱数カウンタ値（ラベル−ＴＲＮＤ−Ｔ１の値）に基づいて変動パターンを選択する(S1603)。図１１に示すように、変動パターンが決まれば変動時間も決まる。
【０１６９】
図２９に示すステップS1602において、大当たりフラグがＯＮでなければ、リーチ乱数カウンタ値（ラベル−ＴＲＮＤ−ＲＣの値）がリーチ成立乱数値か否かを判定する(S1604)。なお、図１０（Ｂ）に示すように、リーチ成立乱数値は非時短状態であれば「１」〜「３０」であり、時短状態であれば「１」〜「１０」である。すなわち、時短状態の方が非時短状態よりもハズレ時のリーチがかかりにくくなっている。これは、時短状態において変動時間の短いリーチ無しハズレがより多く選択されようにすることで、特図保留の消化スピードを早めるためである。
【０１７０】
リーチ乱数カウンタ値がリーチ成立乱数値である場合(S1604でYES)、即ち、リーチ有りハズレの場合には、非時短状態中リーチ有りハズレテーブル（図１２に示す特図変動パターン判定テーブルのうち非時短状態且つリーチ有りハズレに該当する部分）を参照して、変動パターン乱数カウンタ値に基づいて変動パターンを選択する(S1605)。
【０１７１】
一方、リーチ乱数カウンタ値がリーチ成立乱数値でない場合(S1604でNO)、即ち、リーチ無しハズレの場合には、非時短状態中リーチ無しハズレテーブル（図１２に示す特図変動パターン判定テーブルのうち非時短状態且つリーチ無しハズレに該当する部分）を参照して、変動パターン乱数カウンタ値に基づいて変動パターンを選択する(S1606)。このリーチ無しハズレ時には、保留球数に応じた短縮変動の機能が働くようになっている。すなわち、特別図柄の保留球数が「３」又は「４」であるときは、特別図柄の保留球数が「０」〜「２」であるときに比して変動時間の短い変動パターンが選択されるようになっている（図１１参照）。
【０１７２】
またステップS1601において、遊技状態が時短状態であると判定した場合(S1601でYES)には、図３０に示すように、参照する特図変動パターン判定テーブルを時短状態中のテーブル（図１２に示す特図変動パターン判定テーブルのうち時短状態に該当する部分）にする事以外は上記ステップS1602〜S1606と同様の流れで処理(S1607〜S1611)を行う。
【０１７３】
すなわち大当たりであれば、図１２の時短状態中且つ大当たりに該当する部分を参照して、変動パターン乱数カウンタ値に基づいて変動パターンを選択する(S1608)。またリーチ有りハズレであれば、図１２の時短状態中且つリーチ有りハズレに該当する部分を参照して、変動パターン乱数カウンタ値に基づいて変動パターンを選択する(S1610)。またリーチ無しハズレであれば、図１２の時短状態中且つリーチ無しハズレに該当する部分を参照して、変動パターン乱数カウンタ値に基づいて変動パターンを選択する(S1611)。
【０１７４】
なお、時短状態中の特図変動パターン判定テーブル（図１２に示す特図変動パターン判定テーブルのうち時短状態に該当する部分）では、リーチ無しハズレ時の保留球数に応じた短縮変動の機能が保留球数「２」〜「４」のときに働く。すなわち、非時短状態中よりも短縮変動が選択され易くなっている。また、短縮変動としての変動時間は、時短状態中の方が非時短状態中よりも短くなっている。つまり、時短状態中の特図変動パターン判定テーブルは、非時短状態中の特図変動パターン判定テーブルよりも変動時間が短くなるようなテーブルとなっている。
【０１７５】
上記のようにして変動パターンの選択を行った後は、図２９に示すように、選択した変動パターンをセットして(S1612)、本処理を終える。ステップS1612でセットした変動パターンの情報は、特別図柄待機処理(S1302)におけるステップS1406又はS1412でセットされる変動開始コマンドに含められて、出力処理(S101)により演出制御基板１２０に送られる。
【０１７６】
［特別図柄変動中処理］図３１に示すように、特別図柄変動中処理(S1304)ではまず、特別図柄の変動時間（ステップS1403又はS1409で選択された変動パターンに応じて決まる変動時間、図１１参照)が経過したか否かを判定する(S1801)。経過していなければ(S1801でNO)、直ちにこの処理を終える。これにより特別図柄の変動表示が継続される。
【０１７７】
一方、変動時間が経過していれば(S1801でYES)、変動停止コマンドをセットするとともに(S1802)、特別動作ステータスを「３」にセットする(S1803)。そして、特別図柄の変動表示を、セットされている特図停止図柄データに応じた図柄（大当たり図柄又はハズレ図柄）で停止させる等のその他の処理を行ってから(S1804)、この処理を終える。
【０１７８】
［特別図柄確定処理］図３２に示すように、特別図柄確定処理(S1306)ではまず、特別図柄の停止時間(ステップS1403又はS1409で選択された変動パターンに応じて決まる停止時間、図１１参照)が経過したか否かを判定する(S1901)。経過していなければ(S1901でNO)、直ちにこの処理を終える。これにより特別図柄の停止表示が継続される。一方、停止時間が経過していれば(S1901でYES)、後述の遊技状態管理処理を行う(S1902)。
【０１７９】
次に、大当たりフラグがＯＮであるか否かを判定する(S1903)。大当たりフラグがＯＮであれば(S1903でYES)、当選した大当たりの種別に応じた開放パターン（詳しくは図８参照）をセットする(S1904)。なおこのときに、大当たり遊技中に実行した単位開放遊技（ラウンド遊技）の回数をカウントするラウンドカウンタの値を、当選した大当たりの種類に応じたラウンド数にセットする。なお、開放パターンのセット（開放パターンに応じたデータのセット）は、ラウンド毎に行うようにしてもよい。
【０１８０】
遊技制御用マイコン１０１は、ステップS1904に続いて、遊技状態リセット処理を行う(S1905)。遊技状態リセット処理(S1905)ではまず、確変フラグがＯＮであれば確変フラグをＯＦＦにして、時短フラグがＯＮであればＯＦＦにする。つまり、大当たり遊技の実行中は、非高確率状態且つ非時短状態に制御される。その後、大当たり遊技を開始するべく、大当たりのオープニングコマンドをセットするとともに(S1906)、大当たり遊技のオープニングを開始する(S1907)。そして特別動作ステータスを「４」にセットして(S1908)、本処理を終える。
【０１８１】
また、ステップS1903において大当たりフラグがＯＮでなければ(S1903でNO)、大当たり遊技を開始しないため、特別動作ステータスを「１」にセットして(S1909)、本処理を終える。
【０１８２】
［遊技状態管理処理］図３３に示すように、遊技状態管理処理(S1902)ではまず、確変フラグがＯＮか否か判定する(S2001)。ＯＮであれば(S2001でYES)、高確率状態中に実行した特別図柄の変動回数をカウントする確変カウンタの値を１ディクリメントして(S2002)、確変カウンタの値が「０」か否か判定する(S2003)。「０」であれば（S2003でYES）、確変フラグをＯＦＦにして(S2004)、ステップS2005に進む。ステップS2001又はS2003の判定結果がNOであれば、直ちにステップS2009に進む。
【０１８３】
ステップS2005では、時短フラグがＯＮか否か判定する。ＯＮであれば(S2005でYES)、時短状態中に実行した特別図柄の変動回数をカウントする時短カウンタの値を１ディクリメントして(S2006)、時短カウンタの値が「０」か否か判定する(S2007)。「０」であれば（S2007でYES）、時短フラグをＯＦＦにして(S2008)、ステップS2009に進む。ステップS2005又はS2007の判定結果がNOであれば、直ちにステップS2009に進む。ステップS2009では、現在の遊技状態の情報（確変フラグ及び時短フラグがＯＮ又はＯＦＦの何れであるかの情報）、確変カウンタの値及び時短カウンタの値の情報等を含む遊技状態指定コマンドを遊技用ＲＡＭ１０４の出力バッファにセットして、本処理を終える。
【０１８４】
［特別電動役物処理（大当たり遊技）］図３４に示すように、特別電動役物処理(S1307)ではまず、大当たり終了フラグがＯＮであるか否かを判定する(S2201)。大当たり終了フラグは、実行中の大当たり遊技において大入賞口１４の開放が全て終了したことを示すフラグである。
【０１８５】
大当たり終了フラグがＯＮでなければ(S2201でNO)、大入賞口１４の開放中か否かを判定する(S2202)。開放中でなければ(S2202でNO)、大入賞口１４を開放させる時間に至ったか否か、すなわち大当たり遊技のオープニングの時間が経過して初回のラウンド遊技における開放開始の時間に至ったか、又は、一旦閉鎖した大入賞口１４を再び開放させるまでのインターバル時間（閉鎖時間）が経過して開放開始の時間に至ったか否かを判定する(S2203)。
【０１８６】
ステップS2203の判定結果がNOであれば、そのまま処理を終える。一方、ステップS2203の判定結果がYESであれば、大当たりの種類に応じた開放パターン（図９参照）に従って大入賞口１４を開放させる(S2204)。
【０１８７】
続くステップS2205では、ラウンド指定コマンド送信判定処理を行う。ラウンド指定コマンド送信判定処理(S2205)では、ステップS2204での大入賞口１４の開放が１回のラウンド遊技中での初めての開放か否かを判定し、そうであれば、実行中の大当たり遊技のラウンド数の情報を含むラウンド指定コマンドを、遊技用ＲＡＭ１０４の出力バッファにセットする。なお本形態では、１回のラウンド遊技中に複数回の大入賞口１４の開放がなされることはない。そのため、このステップS2205では、必ずラウンド指定コマンドがセットされることとなる。
【０１８８】
特別電動役物処理(S1307)のステップS2202において、大入賞口１４の開放中であれば(S2202でYES)、大入賞口１４の閉鎖条件が成立しているか否かを判定する(S2206)。本形態では、閉鎖条件は、そのラウンド遊技における大入賞口１４への入賞個数が規定の最大入賞個数（本形態では１Ｒ当たり８個）に達したこと、又は、大入賞口１４を閉鎖させる時間に至ったこと（すなわち大入賞口１４を開放してから所定の開放時間（図８参照）が経過したこと）のいずれかが満たされていることである。そして、大入賞口１４の閉鎖条件が成立していなければ(S2206でNO)、処理を終える。
【０１８９】
これに対して、大入賞口１４の閉鎖条件が成立している場合には(S2206でYES)、大入賞口１４を閉鎖（閉塞）する(S2207)。そしてステップS2207の閉鎖によって１回のラウンド遊技が終了するか否かを判定する(S2208)。１回のラウンド遊技が終了しない場合には(S2208でNO)、本処理を終える。一方、１回のラウンド遊技が終了する場合には(S2208でYES)、ラウンドカウンタの値を１ディクリメントし(S2209)、ラウンドカウンタの値が「０」であるか否か判定する(S2210)。「０」でなければ(S2210でNO)、次のラウンド遊技を開始するためにそのまま処理を終える。
【０１９０】
一方「０」であれば(S2210でYES)、大当たり遊技を終了させる大当たり終了処理として、大当たりのエンディングコマンドをセットするとともに(S2211)、大当たりのエンディングを開始する(S2212)。そして、大当たり終了フラグをセットして(S2213)、処理を終える。
【０１９１】
またステップS2201において大当たり終了フラグがＯＮであれば(S2201でYES)、最終ラウンドが終了しているので、大当たりのエンディング時間が経過したか否かを判定する(S2214)。エンディング時間が経過していなければ(S2214でNO)処理を終える。一方、エンディング時間が経過していれば(S2214でYES)、大当たり終了フラグをＯＦＦするとともに(S2215)、大当たりフラグをＯＦＦし(S2216)、特別動作ステータスを「１」にセットする(S2217)。これにより、次回のメイン側タイマ割り込み処理(S005)において、特別動作処理（図１８参照）として再び特別図柄待機処理(S1302)が実行されることになる。その後、後述の遊技状態設定処理(S2218)を行って、本処理を終える。
【０１９２】
［遊技状態設定処理］図３５に示すように、遊技状態設定処理(S2218)ではまず、大当たりの種類が確変大当たり（停止図柄が特図１＿大当たり図柄１又は特図２＿大当たり図柄１、図８参照）であるか否かを判定する(S2301)。確変大当たりでなければ(S2301でNO)、時短フラグをＯＮするとともに(S2306)、時短カウンタに「１００」をセットして(S2307)、ステップS2308に進む。これにより、今回の大当たり遊技後の遊技状態が通常確率状態且つ時短状態且つ高ベース状態（すなわち低確高ベース状態）になる。この低確高ベース状態は、特別図柄の可変表示が１００回行われること、又は次の大当たりに当選することのいずれかの条件の成立により終了する。
【０１９３】
一方、ステップS2301において確変大当たりであれば、確変フラグをＯＮするとともに(S2302)、時短フラグをＯＮにする(S2303)。そして確変カウンタに「１００００」をセットすると共に(S2304)、時短カウンタに「１００００」をセットして(S2305)、ステップS2308に進む。これにより、今回の大当たり遊技後の遊技状態が、高確率状態且つ時短状態且つ高ベース状態（すなわち高確高ベース状態）になる。この高確高ベース状態は、実質的に次の大当たりに当選するまで継続することになる。確変カウンタの値及び時短カウンタの値が「１００００」から「０」になるまで特別図柄の変動表示が実行されることがほぼあり得ないため、確変フラグ及び時短フラグが次回の大当たり遊技が開始されるまでＯＦＦされることがないためである。なお確変カウンタを設けずに確変フラグだけを用いて、高確率状態が次の大当たりに当選するまで継続するようにしても良い。
【０１９４】
ステップS2308では、現在の遊技状態の情報（確変フラグ及び時短フラグがＯＮ又はＯＦＦの何れであるかの情報）、確変カウンタの値及び時短カウンタの値の情報等を含む遊技状態指定コマンドを遊技用ＲＡＭ１０４の出力バッファにセットして、本処理を終える。
【０１９５】
８．演出制御用マイコン１２１の動作
［サブ制御メイン処理］次に図３６〜図４２に基づいて演出制御用マイコン１２１の動作について説明する。なお、演出制御用マイコン１２１の動作説明にて登場するカウンタ、タイマ、フラグ、ステータス、バッファ等は、演出用ＲＡＭ１２４に設けられている。演出制御基板１２０に備えられた演出制御用マイコン１２１は、パチンコ遊技機ＰＹ１の電源がオンされると、演出用ＲＯＭ１２３から図３６に示したサブ制御メイン処理のプログラムを読み出して実行する。同図に示すように、サブ制御メイン処理では、まずＣＰＵ初期化処理を行う(S4001)。ＣＰＵ初期化処理(S4001)では、スタックの設定、定数設定、演出用ＣＰＵ１２２の設定、ＳＩＯ、ＰＩＯ、ＣＴＣ（割り込み時間の管理のための回路）等の設定等を行う。
【０１９６】
続いて、電源断信号がＯＮで且つ演出用ＲＡＭ１２４の内容が正常であるか否かを判定する(S4002)。そしてこの判定結果がNOであれば、演出用ＲＡＭ１２４の初期化をして(S4003)、ステップS4004に進む。一方、判定結果がYESであれば(S4002でYES)、演出用ＲＡＭ１２４の初期化をせずにステップS4004に進む。即ち電源断信号がＯＮでない場合、又は電源断信号がＯＮであっても演出用ＲＡＭ１２４内容が正常でない場合には(S4002でNO)、演出用ＲＡＭ１２４を初期化するが、停電などで電源断信号がＯＮとなったが演出用ＲＡＭ１２４内容が正常に保たれている場合には(S4002でYES)、演出用ＲＡＭ１２４を初期化しない。なお、演出用ＲＡＭ１２４を初期化すれば、各種のフラグ、ステータスおよびカウンタ等の値はリセットされる。また、このステップS4001〜S4003は、電源投入後に一度だけ実行され、それ以降は実行されない。
【０１９７】
ステップS4004では、割り込みを禁止する。次いで、乱数シード更新処理を実行する(S4005)。乱数シード更新処理(S4005)では、種々の演出決定用乱数カウンタの値を更新する。なお演出決定用乱数には、演出図柄を決定するための演出図柄決定用乱数、変動演出パターンを決定するための変動演出パターン抽選乱数、種々の予告演出を決定するための予告演出決定用乱数等がある。乱数の更新方法は、前述の遊技制御基板１００が行う乱数更新処理と同様の方法をとることができる。更新に際して乱数値を１ずつ加算するのではなく、２ずつ加算するなどしてもよい。これは、前述の遊技制御基板１００が行う乱数更新処理においても同様である。
【０１９８】
乱数シード更新処理(S4005)が終了すると、コマンド送信処理を実行する(S4006)。コマンド送信処理(S4006)では、演出制御基板１２０の演出用ＲＡＭ１２４内の出力バッファに格納されている各種のコマンドを、画像制御基板１４０に送信する。コマンドを受信した画像制御基板１４０は、コマンドに従い画像表示装置５０を用いて各種の演出（変動演出や、大当たり遊技に伴うオープニング演出、ラウンド演出、エンディング演出等）を実行する。なお、画像制御基板１４０による各種の演出の実行に伴って演出制御基板１２０は、音声制御基板１６１を介してスピーカ６１０から音声を出力したり、サブドライブ基板１６２を介して盤上可動装置ランプ６０、盤ランプ５４や枠ランプ２１２を発光させたり、盤上可動装置５５、盤下可動装置５６を駆動させたりする。演出制御用マイコン１２１は続いて、割り込みを許可する(S4007)。以降、ステップS4004〜S4007をループさせる。割り込み許可中においては、受信割り込み処理(S4008)、１ｍｓタイマ割り込み処理(S4009)および１０ｍｓタイマ割り込み処理(S4010)の実行が可能となる。
【０１９９】
[受信割り込み処理]受信割り込み処理(S4008)は、遊技制御基板１００から送られたストローブ信号（ＳＴＢ信号）が演出制御用マイコン１２１の外部ＩＮＴ入力部に入力されることに基づいて行われる。つまり、ストローブ信号が演出制御用マイコン１２１の外部ＩＮＴ入力部に入力されなければ、受信割り込み処理(S4008)は行われない。図３７に示すように、受信割り込み処理(S4008)では、遊技制御基板１００から送信されてきた各種のコマンドを演出用ＲＡＭ１２４の受信バッファに格納する(S4101)。この受信割り込み処理(S4008)は、他の割り込み処理(S4009、S4010)に優先して実行される処理である。
【０２００】
［１ｍｓタイマ割り込み処理］１ｍｓタイマ割り込み処理(S4009)は、演出制御基板１２０に１ｍｓｅｃ周期の割り込みパルスが入力される度に実行される。図３８に示すように、１ｍｓタイマ割り込み処理(S4009)ではまず、入力処理(S4201)を行う。入力処理(S4201)では、入力部検知センサ４０ａ（図８参照）、セレクトボタン検知センサ４２ａからの検知信号に基づいてスイッチデータ（エッジデータおよびレベルデータ）を作成する。
【０２０１】
続いて、ランプデータ出力処理(S4202)を行う。ランプデータ出力処理(S4202)では、演出に合うタイミングで盤上可動装置ランプ６０、盤ランプ５４や枠ランプ２１２を発光させるべく、後述の１０ｍｓタイマ割り込み処理(S4010)におけるその他の処理(S4305)で作成したランプデータをサブドライブ基板１６２に出力する。つまり、ランプデータに従って盤上可動装置ランプ６０、盤ランプ５４や枠ランプ２１２を所定の発光態様で発光させる。
【０２０２】
次いで、駆動制御処理を行う(S4203)。駆動制御処理(S4203)では、ＳＰリーチや大当たり演出中等の演出に合うタイミングで盤上可動装置５５、盤下可動装置５６を駆動させるべく、駆動データ（盤可動体駆動データ）を作成したり、出力したりする。つまり、駆動データに従って、盤上可動装置５５、盤下可動装置５６を所定の動作態様で駆動させる。
【０２０３】
駆動制御処理(S4203)の後、ウォッチドッグタイマのリセット設定を行うウォッチドッグタイマ処理(S4204)を行って、本処理を終える。
【０２０４】
［１０ｍｓタイマ割り込み処理］１０ｍｓタイマ割り込み処理(S4010)は、演出制御基板１２０に１０ｍｓｅｃ周期の割り込みパルスが入力される度に実行される。図３９に示すように、１０ｍｓタイマ割り込み処理(S4010)ではまず、後述する受信コマンド解析処理を行う(S4301)。
【０２０５】
続いて、１ｍｓタイマ割り込み処理(S4009)の入力処理(S4201)で作成したスイッチデータを１０ｍｓタイマ割り込み処理用のスイッチデータとして演出用ＲＡＭ１２４に格納するスイッチ状態取得処理を行う(S4302)。そして、スイッチ状態取得処理(S4302)にて格納したスイッチデータに基づいて表示画面５０ａの表示内容等を設定するスイッチ処理を行う(S4303)。
【０２０６】
続いて、音声制御処理(S4304)を行う。音声制御処理(S4304)では、音声データ（スピーカ６１０からの音声の出力を制御するデータ）の作成及び音声制御基板１６１への出力や、音声演出の時間管理等を行う。これにより、実行する演出に合った音声がスピーカ６１０から出力される。そして、各種の演出用の乱数を更新したりするなどのその他の処理を実行して(S4305)、本処理を終える。
【０２０７】
［受信コマンド解析処理］図４０に示すように、受信コマンド解析処理(S4301)ではまず、演出制御用マイコン１２１は、遊技制御基板１００から遊技状態指定コマンドを受信したか否かを判定し(S4401)、受信していればモードステータス設定処理を行う(S4402)。モードステータス設定処理(S4402)では、受信した遊技状態指定コマンドを解析して、遊技状態指定コマンドに含まれる遊技状態の情報に基づいて、モードステータスの値を設定する。モードステータスの値は、通常遊技状態であれば「１」に設定され、高確高ベース状態であれば「２」に設定され、低確時短状態であれば「３」に設定される。こうして演出制御用マイコン１２１は、現時点での遊技状態を把握することが可能である。
【０２０８】
続いて、演出制御用マイコン１２１は、遊技制御基板１００から変動開始コマンド（特図１変動開始コマンド又は特図２変動開始コマンド）を受信したか否か判定し(S4403)、受信していれば後述する変動演出開始処理を行う(S4404)。
【０２０９】
続いて、演出制御用マイコン１２１は、遊技制御基板１００から変動停止コマンド（特図１変動停止コマンド又は特図２変動停止コマンド）を受信したか否か判定し(S4405)、受信していれば変動演出終了処理を行う(S4406)。変動演出終了処理(S4406)では、変動停止コマンドを解析し、その解析結果に基づいて、変動演出を終了させるための変動演出終了コマンドを演出用ＲＡＭ１２４の出力バッファにセットする。
【０２１０】
続いて、演出制御用マイコン１２１は、遊技制御基板１００からオープニングコマンドを受信したか否か判定し(S4407)、受信していればオープニング演出選択処理を行う(S4408)。オープニング演出選択処理(S4408)では、オープニングコマンドを解析して、その解析結果に基づいて、大当たり遊技のオープニング中に実行するオープニング演出のパターン（内容）を選択する。そして、選択したオープニング演出パターンにてオープニング演出を開始するためのオープニング演出開始コマンドを演出用ＲＡＭ１２４の出力バッファにセットする。
【０２１１】
続いて、演出制御用マイコン１２１は、遊技制御基板１００からラウンド指定コマンドを受信したか否か判定し(S4409)、受信していればラウンド演出選択処理を行う(S4410)。ラウンド演出選択処理(S4410)では、ラウンド指定コマンドを解析して、その解析結果に基づいて、大当たり遊技のラウンド遊技中に実行するラウンド演出のパターン（内容）を選択する。そして、選択したラウンド演出パターンにてラウンド演出を開始するためのラウンド演出開始コマンドを演出用ＲＡＭ１２４の出力バッファにセットする。
【０２１２】
続いて、演出制御用マイコン１２１は、遊技制御基板１００からエンディングコマンドを受信したか否か判定し(S4411)、受信していればエンディング演出選択処理を行う(S4412)。エンディング演出選択処理(S4412)では、エンディングコマンドを解析して、その解析結果に基づいて、大当たり遊技のエンディング中に実行するエンディング演出のパターン（内容）を選択する。そして、選択したエンディング演出パターンにてエンディング演出を開始するためのエンディング演出開始コマンドを演出用ＲＡＭ１２４の出力バッファにセットする。
【０２１３】
続いて、演出制御用マイコン１２１は、その他の処理(S4413)として上記のコマンド以外の受信コマンドに基づく処理（例えば客待ちコマンドの受信に基づいて客待ち演出を行うための処理や、普通図柄変動開始コマンドの受信に基づいて普図変動演出を行うための処理）を行って、受信コマンド解析処理(S4301)を終える。
【０２１４】
［変動演出開始処理］図４１に示すように、変動演出開始処理(S4404)ではまず、演出制御用マイコン１２１は、変動開始コマンドを解析する(S4501)。変動開始コマンドには、特図１大当たり判定処理や特図２大当たり判定処理（図２８参照）でセットされた特図停止図柄データの情報や、特図１変動パターン選択処理や特図２変動パターン選択処理(図２９及び図３０参照)でセットされた変動パターンの情報、現在の遊技状態を指定する情報等が含まれている。なお、ここで演出制御用マイコン１２１が取得した情報は、これ以降に実行する処理においても適宜利用可能なものとする。
【０２１５】
次に演出制御用マイコン１２１は、現時点で設定されているモードステータスの値を参照する(S4502)。続いて、変動演出において最終的に停止表示する演出図柄ＥＺ１，ＥＺ２，ＥＺ３の選択を行う(S4503)。具体的には、演出図柄決定用乱数を取得するとともに、リーチの有無に応じて分類されている複数のテーブルの中から、変動開始コマンドの解析結果に基づいて一つのテーブルを選択する。そして、選択したテーブルを用いて、取得した演出図柄決定用乱数を判定することにより、演出図柄を選択する。これにより、最終的に停止表示される演出図柄ＥＺ１，ＥＺ２，ＥＺ３の組み合わせ（例えば「７７７」等）が決定される。
【０２１６】
続いて演出制御用マイコン１２１は、後述する変動演出パターン選択処理を実行する(S4504)。そして予告演出選択処理を実行する(S4506)。予告演出選択処理(S4506)では、予告演出決定用乱数を取得するとともに、リーチの有無に応じて分類されている複数のテーブルの中から、変動開始コマンドの解析結果に基づいて一つのテーブルを選択する。そして、その選択したテーブルを用いて、取得した予告演出決定用乱数を判定することにより、予告演出を選択する。これにより、いわゆるステップアップ予告演出やチャンスアップ予告演出などの予告演出の内容が決定される。
【０２１７】
その後、選択した演出図柄と変動演出パターンと予告演出とを開始するための変動演出開始コマンドを演出用ＲＡＭ１２４の出力バッファにセットして(S4507)、本処理を終える。ステップS4507でセットされた変動演出開始コマンドが、コマンド送信処理(S4006)により画像制御基板１４０に送信されると、表示画面５０ａにて特別図柄の変動表示に同期した変動演出が開始される。
【０２１８】
［変動演出パターン選択処理］図４２に示すように、変動演出パターン選択処理(S4504)ではまず、演出制御用マイコン１２１は、変動演出パターン抽選乱数を取得する(S4601)。なお変動演出パターン抽選乱数は、０〜９９までの範囲で値をとる。続いて、変動開始コマンドの解析結果に基づいて、変動パターンが擬似連１回の実行を示すものであるか否かを判定する(S4602)。具体的には、図１２に示すように、変動パターンＰ７〜Ｐ８、Ｐ２７〜Ｐ２８、Ｐ３１〜Ｐ３２、Ｐ４１〜Ｐ４６であるか否かを判定する。
【０２１９】
変動パターンが擬似連１回を実行するものでなければ(S4602でNO)、次に変動パターンが擬似連２回の実行を示すものであるか否かを判定する(S4603)。具体的には、図１２に示すように、変動パターンＰ４〜Ｐ６、Ｐ２４〜Ｐ２６であるか否かを判定する。変動パターンが擬似連２回を実行するものであれば(S4603でYES)、擬似連２回用変動演出パターン選択テーブルを用いて変動演出パターンを選択し(S4604)、本処理を終えて、ステップS4505に進む。
【０２２０】
ここでステップS4604において、変動パターンＰ４又は変動パターンＰ２４に基づく変動演出パターンが選択された場合には、１回の特別図柄の抽選に基づく変動演出（所定期間）において、「擬似連２回＋ノーマルリーチ＋第１盤可動体演出＋強ＳＰリーチ」が実行されることになる。なお上述したように、強ＳＰリーチは、２種類のＳＰリーチ（弱ＳＰリーチ、強ＳＰリーチ）のうち、１番目に当選期待度が高くなるように設定されている。また変動パターンＰ４又は変動パターンＰ２４に基づく変動演出パターンが選択された場合、擬似連２回における第２単位期間の開始に伴って、継続回数示唆演出が実行される。本形態の継続回数示唆演出では、表示画面５０ａに青色の表示色で示す第１継続回数画像ＧＡ（「２回目」の文字画像）が表示される。これにより、擬似連演出における第２単位期間が開始されることを把握させつつ、第１単位期間である場合よりも当選期待度が高いことを把握させることが可能となる。また擬似連２回における第２単位期間の開始時に、第１盤可動体５５ｋを用いた第１盤可動体演出が実行され、その第１盤可動体演出では盤上可動装置ランプ６０が青色の発光色で点灯されることになる。これにより、第１単位期間である場合よりも当選期待度が高いことを把握させることが可能となる。
【０２２１】
またステップS4604において、変動パターンＰ５又は変動パターンＰ２５に基づく変動演出パターンが選択された場合には、１回の特別図柄の抽選に基づく変動演出において、「擬似連２回＋ノーマルリーチ＋第１盤可動体演出＋弱ＳＰリーチ」が実行されることになる。なお上述したように、弱ＳＰリーチは、２種類のＳＰリーチ（弱ＳＰリーチ、強ＳＰリーチ）のうち、強ＳＰリーチの次に当選期待度が高くなるように設定されている。また変動パターンＰ５又は変動パターンＰ２５に基づく変動演出パターンが選択された場合、擬似連２回における第２単位期間の開始に伴って、継続回数示唆演出が実行される。本形態の継続回数示唆演出では、表示画面５０ａに青色の表示色で示す第１継続回数画像ＧＡ（「２回目」の文字画像）が表示される。また擬似連２回における第２単位期間の開始時に、第１盤可動体５５ｋを用いた第１盤可動体演出が実行され、その第１盤可動体演出では盤上可動装置ランプ６０が青色の発光色で点灯されることになる。
【０２２２】
ここでステップS4604において、変動パターンＰ６又は変動パターンＰ２６に基づく変動演出パターンが選択された場合には、１回の特別図柄の抽選に基づく変動演出において、「擬似連２回＋第１盤可動体演出＋ノーマルリーチ」が実行されることになる。なお上述したように、ノーマルリーチは、ＳＰリーチ（弱ＳＰリーチ、強ＳＰリーチ）よりも、当選期待度が低くなるように設定されている。また変動パターンＰ６又は変動パターンＰ２６に基づく変動演出パターンが選択された場合、擬似連２回における第２単位期間の開始に伴って、継続回数示唆演出が実行される。本形態の継続回数示唆演出では、表示画面５０ａに青色の表示色で示す第１継続回数画像ＧＡ（「２回目」の文字画像）が表示される。また擬似連２回における第２単位期間の開始時に、第１盤可動体５５ｋを用いた第１盤可動体演出が実行され、その第１盤可動体演出では盤上可動装置ランプ６０が青色の発光色で点灯されることになる。
【０２２３】
ステップS4603において、変動パターンが擬似連２回を実行するものでなければ、即ち変動パターンが擬似連３回を実行するものであれば(S4603でNO)、擬似連３回用変動演出パターン選択テーブルを用いて変動演出パターンを選択し(S4605)、本処理を終えて、ステップS4505に進む。ここで擬似連３回を実行する変動パターンとは、図１２に示すように、変動パターンＰ１〜Ｐ３、Ｐ２１〜Ｐ２３である。
【０２２４】
ここでステップS4605において、変動パターンＰ１又は変動パターンＰ２１に基づく変動演出パターンが選択された場合には、１回の特別図柄の抽選に基づく変動演出において、「擬似連３回＋ノーマルリーチ＋第１盤可動体演出＋強ＳＰリーチ」が実行されることになる。なお変動パターンＰ１又は変動パターンＰ２１に基づく変動演出パターンが選択された場合、擬似連３回における第２単位期間の開始に伴って、継続回数示唆演出が実行される。本形態の継続回数示唆演出では、表示画面５０ａに青色の表示色で示す第１継続回数画像ＧＡ（「２回目」の文字画像）が表示される。これにより、擬似連演出における第２単位期間が開始されることを把握させつつ、第１単位期間である場合よりも当選期待度が高いことを把握させることが可能となる。また擬似連２回における第２単位期間の開始時に、第１盤可動体５５ｋを用いた第１盤可動体演出が実行され、その第１盤可動体演出では盤上可動装置ランプ６０が青色の発光色で点灯されることになる。さらに擬似連３回における第３単位期間の開始に伴って、継続回数示唆演出が実行される。本形態の継続回数示唆演出では、表示画面５０ａに緑色の表示色で示す第２継続回数画像ＧＢ（「３回目」の文字画像）が表示される。これにより、擬似連演出における第３単位期間が開始されることを把握させる、第２単位期間である場合よりも当選期待度が高いことを把握させることが可能となる。また擬似連３回における第３単位期間の開始時に、第１盤可動体演出が実行され、その第１盤可動体演出では盤上可動装置ランプ６０が赤色の発光色で点灯されることになる。そのため、第２継続回数画像ＧＢ（「３回目」の文字画像）の表示色（緑色）と第１盤可動体演出での盤上可動装置ランプ６０の発光色（赤色）の組み合わせにより、当選期待度が非常に高いことを把握させることが可能となる（図１２参照）。
【０２２５】
ここでステップS4605において、変動パターンＰ２又は変動パターンＰ２２に基づく変動演出パターンが選択された場合には、１回の特別図柄の抽選に基づく変動演出において、「擬似連３回＋ノーマルリーチ＋第２盤可動体演出＋強ＳＰリーチ」が実行されることになる。なお変動パターンＰ２又は変動パターンＰ２２に基づく変動演出パターンが選択された場合、擬似連３回における第２単位期間の開始に伴って、継続回数示唆演出が実行される。継続回数示唆演出では、表示画面５０ａに青色の表示色で示す第１継続回数画像ＧＡ（「２回目」の文字画像）が表示される。また擬似連３回における第２単位期間の開始時に、第１盤可動体演出が実行され、その第１盤可動体演出では盤上可動装置ランプ６０が青色の発光色で点灯されることになる。さらに擬似連３回における第３単位期間の開始に伴って、継続回数示唆演出が実行される。本形態の継続回数示唆演出では、表示画面５０ａに緑色の表示色で示す第２継続回数画像ＧＢ（「３回目」の文字画像）が表示される。これにより、擬似連演出における第３単位期間が開始されることを把握させつつ、第２単位期間である場合よりも当選期待度が高いことを把握させることが可能となる。また擬似連３回における第３単位期間の開始時に、第１盤可動体５５ｋと第２盤可動体５６ｋとを用いた第２盤可動体演出が実行され、その第２盤可動体演出では盤上可動装置ランプ６０が緑色の発光色で点灯されることになる。これにより、擬似連３回における第３単位期間の開始時に、表示画面５０ａに表示される第２継続回数画像ＧＢの表示色（緑色）と盤上可動装置ランプ６０の発光色（赤色）が不一致となる場合の次に当選期待度が高いことを把握させることが可能となる（図１２参照）。
【０２２６】
ここでステップS4605において、変動パターンＰ３又は変動パターンＰ２３に基づく変動演出パターンが選択された場合には、１回の特別図柄の抽選に基づく変動演出において、「擬似連３回＋ノーマルリーチ＋第１盤可動体演出＋弱ＳＰリーチ」が実行されることになる。なお変動パターンＰ３又は変動パターンＰ２３に基づく変動演出パターンが選択された場合、擬似連３回における第２単位期間の開始に伴って、継続回数示唆演出が実行される。なお継続回数示唆演出では、表示画面５０ａに青色の表示色で示す第１継続回数画像ＧＡ（「２回目」の文字画像）が表示される。また擬似連３回における第２単位期間の開始時に、第１盤可動体演出が実行され、その第１盤可動体演出では盤上可動装置ランプ６０が青色の発光色で点灯されることになる。さらに擬似連３回における第３単位期間の開始に伴って、継続回数示唆演出が実行される。なお継続回数示唆演出では、表示画面５０ａに緑色の表示色で示す第２継続回数画像ＧＢ（「３回目」の文字画像）が表示される。これにより、擬似連演出における第３単位期間が開始されることを把握させつつ、第２単位期間である場合よりも当選期待度が高いことを把握させることが可能となる。また擬似連３回における第３単位期間の開始時に、第１盤可動体演出が実行され、その第１盤可動体演出では盤上可動装置ランプ６０が緑色の発光色で点灯されることになる。その
ため、第２継続回数画像ＧＢ（「３回目」の文字画像）の表示色（緑色）と第１盤可動体演出での盤上可動装置ランプ６０の発光色（緑色）の組み合わせにより、第２継続回数画像ＧＢ（「３回目」の文字画像）の表示色（緑色）と第１盤可動体演出での盤上可動装置ランプ６０の発光色（赤色）が不一致となる場合と、第２継続回数画像ＧＢが表示画面５０ａに表示されて第２盤可動体演出が実行される場合よりも、当選期待度が低いことを把握させることが可能である（図１２参照）。
【０２２７】
またステップS4602において、擬似連１回であると判定した場合には(S4602でYES)、その他のテーブルを用いて変動演出パターンを選択し(S4606)、本処理を終えて、ステップS4505に進む。その他テーブルは、擬似連２回用変動演出パターン選択テーブル、擬似連３回用変動演出パターン選択テーブル以外の変動演出パターン選択テーブルである。変動開始コマンドの解析結果に基づいて一つのテーブルを選択する。そして、選択したテーブルを用いて、取得した変動演出パターン抽選乱数を判定することにより、変動演出パターンを選択する(S4606)。これにより、「擬似連１回＋ノーマルリーチ＋弱ＳＰリーチ」、「擬似連１回＋ノーマル」を実行する場合などの変動演出の詳細が決定される。こうして変動演出パターンが決まれば、変動演出の時間、演出図柄の変動表示態様、リーチ演出の有無、リーチ演出の内容、演出ボタン演出（ＳＷ演出）の有無、演出ボタン演出の内容、演出展開構成、演出図柄の背景の種類等からなる変動演出の内容の詳細が決まることとなる。
【０２２８】
９．本形態の効果
以上詳細に説明したように第２形態のパチンコ遊技機ＰＹ１によれば、継続回数演出にて表示画面５０ａに表示される継続回数画像（第１継続回数画像ＧＡ、第２継続回数画像ＧＢ、図１４（Ａ）参照）と第１盤可動体演出にて盤上可動装置ランプ６０の発光色（青色、緑色、赤色、図１４（Ｂ）参照）に基づいて当選期待度を示唆可能とする擬似連演出が実行される場合がある（図１２参照）。これにより、擬似連演出が実行される場合には、継続回数演出での表示画面５０ａに表示される継続回数画像だけでなく、第１盤可動体演出での盤上可動装置ランプ６０の発光色にも注目させることが可能である。そのため、擬似連演出における継続回数演出にて表示画面５０ａに表示される継続回数画像と第１盤可動体演出にて盤上可動装置ランプ６０の発光色に基づいて示唆される当選期待度をもとに、特別図柄の抽選にて大当たりに当選するか否かを推測させることが可能となり、遊技者を楽しませることが可能となる。
【０２２９】
また本形態のパチンコ遊技機ＰＹ１によれば、例えば擬似連３回における第２単位期間、第３単位期間の開始時に、継続回数画像と盤上可動装置ランプ６０の発光色が変更可能である（図１２参照）。これにより、擬似連演出における単位期間の開始時に、継続回数画像と盤上可動装置ランプ６０の発光色を用いて遊技者に複数回当選期待度を示唆することが可能となる。そのため、覚醒オーラ画像、入力部ランプ４０Ｌａの発光色に興味を持たせることが可能となり、遊技者を楽しませることが可能となる。
【０２３０】
また本形態のパチンコ遊技機ＰＹ１によれば、例えば擬似連３回における第２単位期間、第３単位期間の開始時に、継続回数画像と盤上可動装置ランプ６０の発光色が変更可能で、継続回数画像と盤上可動装置ランプ６０の発光色を用いて当選期待度を示唆することが可能となる（図１２参照）。これにより、擬似連演出における単位期間の開始時に、継続回数画像と盤上可動装置ランプ６０の発光色をもとに、当選期待度を遊技者に推測させることが可能となり、遊技展開を面白くさせることが可能となる。
【０２３１】
また本形態のパチンコ遊技機ＰＹ１によれば、擬似連演出における単位期間（第２単位期間、第３単位期間）の開始に伴って、開始された単位期間を示唆し、且つ当選期待度を示唆する継続回数示唆演出が実行される場合がある（図１２、図１４（Ａ）、図１７（Ｄ−１）、図１８（Ｄ−１）、図１９（Ｄ−１）、図２０（Ｄ−１）参照）。本形態の継続回数示唆演出では、擬似連演出における単位期間に応じて表示画面５０ａに表示される継続回数画像（第１継続回数画像ＧＡ、第２継続回数画像ＧＢ）が異なるようになっている（図１２、図１４（Ａ）、図１７（Ｄ−１）、図１８（Ｄ−１）、図１９（Ｄ−１）、図２０（Ｄ−１）参照）。また擬似連演出における単位期間の開始時に、盤可動体演出（第１盤可動体演出、第２盤可動体演出）が実行される場合がある（図１２、図１７（Ｄ−１）、図１８（Ｄ−１）、図１９（Ｄ−１）、図２０（Ｄ−１）参照）。本形態では、盤可動体演出（第１盤可動体演出、第２盤可動体演出）の開始に伴って、盤上可動装置５５に設けられた盤上可動装置ランプ６０が点灯されることになる。本形態では、擬似連演出における単位期間に応じて盤上可動装置ランプ６０の発光色が異なるようになっている（図１２、図１４（Ｂ）、図１７（Ｄ−１）、図１８（Ｄ−１）、図１９（Ｄ−１）、図２０（Ｄ−１）参照）。盤可動体演出（第１盤可動体演出、第２盤可動体演出）では、盤上可動装置ランプ６０の発光色によって当選期待度を示唆することが可能である。そして本形態では、非時短状態である場合に、変動パターンＰ３又は変動パターンＰ２３が選択されたときには、擬似連３回が実行される。本形態の変動パターンが変動パターンＰ３又は変動パターンＰ２３に基づく擬似連３回における第３単位期間の開始時に、表示画面５０ａに表示される第２継続回数画像ＧＢの表示色（緑色）と盤上可動装置ランプ６０の発光色（緑色）が一致することになる（図１２、図１８（Ｄ−１）参照）。また非時短状態である場合に、変動パターンＰ１又は変動パターンＰ２１が選択されたときも、擬似連３回が実行される。しかしながら、本形態の変動パターンが変動パターンＰ１又は変動パターンＰ２１に基づく擬似連３回における第３単位期間の開始時には、表示画面５０ａに表示される第２継続回数画像ＧＢの表示色（緑色）と盤上可動装置ランプ６０の発光色（赤色）が不一致となる（図１２、図２０（Ｄ−１）参照）。これにより、擬似連演出における単位期間の開始時に、表示画面５０ａに表示される第２継続回数画像ＧＢと可動する第１盤可動体５５ｋだけでなく、第２継続回数画像ＧＢの表示色と盤上可動装置ランプ６０の発光色が一致するか否かにも遊技者を注目させることが可能である。そのため、擬似連３回における第３単位期間の開始時に、表示画面５０ａに表示される第２継続回数画像ＧＢの表示色と盤上可動装置ランプ６０の発光色が一致するか否かをもとに、今後の遊技展開を推測させることが可能となる。こうして、擬似連３回における第３単位期間が開始される場合でも、擬似連３回における第３単位期間の開始時における第２継続回数画像ＧＢの表示色と盤上可動装置ランプ６０の発光色とを用いて、遊技者に面白く斬新な演出を提供することが可能となる。
【０２３２】
また本形態のパチンコ遊技機ＰＹ１によれば、擬似連３回における第３単位期間の開始時に、表示画面５０ａに表示される第２継続回数画像ＧＢの表示色（緑色）と盤上可動装置ランプ６０の発光色（赤色）が一致しない場合のほうが（図１２、図１６（Ｂ）、図２０（Ｄ−１）参照）、擬似連３回における第３単位期間の開始時に、表示画面５０ａに表示される第２継続回数画像ＧＢの表示色（緑色）と盤上可動装置ランプ６０の発光色（緑色）が一致する場合よりも（図１２、図１６（Ａ）、図１８（Ｄ−１）参照）、大当たり当選期待度が高くなるように設定されている（図１２参照）。これにより、擬似連３回における第３単位期間の開始時に、表示画面５０ａに表示される第２継続回数画像ＧＢの表示色（緑色）と盤上可動装置ランプ６０の発光色（赤色）が一致しなければ、遊技者には大当たりに当選する可能性が高いことを把握させることが可能である。そのため、擬似連３回における第３単位期間の開始時に、表示画面５０ａに表示される第２継続回数画像ＧＢの表示色と盤上可動装置ランプ６０の発光色をより注目させることが可能である。こうして、擬似連演出において第３単位期間が開始するか否かだけでなく、その第３単位期間の開始時に、表示画面５０ａに表示される第２継続回数画像ＧＢの表示色と盤上可動装置ランプ６０の発光色が一致するか否かにも遊技者を注目させて、擬似連演出を楽しませることが可能となる。
【０２３３】
また本形態のパチンコ遊技機ＰＹ１によれば、擬似連３回における第２単位期間の開始に伴って、１段階目として、青色の表示色で示す第１継続回数画像ＧＡが表示画面５０ａに表示される（図１２、図１４（Ａ）、図１６、図１７（Ｄ−１）参照）。次に擬似連３回における第３単位期間の開始に伴って、２段階目として、緑色の表示色で示す第２継続回数画像ＧＢが表示画面５０ａに表示される。また、擬似連３回における第２単位期間の開始時に、１段階目として、盤上可動装置ランプ６０が青色の発光色で点灯されて、第１盤可動体演出が実行される（図１２、図１４（Ｂ）、図１６、図１７（Ｄ−１）参照）。次に擬似連３回における第３単位期間の開始時には、２段階目として、盤上可動装置ランプ６０が緑色又は赤色の発光色で点灯されて、第１盤可動体演出が実行される（図１２、図１４（Ｂ）、図１６、図１８（Ｄ−１）、図２０（Ｄ−１）参照）。これにより、擬似連３回における第２単位期間の開始時に、第１継続回数画像ＧＡの表示色（青色）と盤上可動装置ランプ６０の発光色（青色）が一致するが（図１２、図１４（Ｂ）、図１５、図１６、図１７（Ｄ−１）参照）、次の第３単位期間の開始時に、第２継続回数画像ＧＢの表示色と盤上可動装置ランプ６０の発光色が一致する場合（図１２、図１４（Ｂ）、図１６、図１８（Ｄ−１）、参照）と一致しない場合（図１２、図１４（Ｂ）、図１６、図２０（Ｄ−１）参照）を遊技者に提供することが可能となる。そのため、擬似連３回における第２単位期間では把握できないが、擬似連３回における第３単位期間の開始時に当選期待度が非常に高いか否かを把握することが可能となる。こうして、遊技者に表示画面５０ａに表示される継続回数画像の表示色と盤上可動装置ランプ６０の発光色に興味を持たせて、遊技を楽しませることが可能となる。
【０２３４】
さらに本形態のパチンコ遊技機ＰＹ１によれば、擬似連３回における第２単位期間の開始時には、第１継続回数画像ＧＡの表示色（青色）と盤上可動装置ランプ６０の発光色（青色）が一致するが（図１２、図１４（Ｂ）、図１５、図１６、図１７（Ｄ−１）参照）、次の第３単位期間の開始時には、第２継続回数画像ＧＢの表示色と盤上可動装置ランプ６０の発光色が一致する場合（図１２、図１４（Ｂ）、図１５、図１６、図１８（Ｄ−１）、図１９（Ｄ−１）参照）と、一致しない場合（図１２、図１４（Ｂ）、図１５、図１６、図２０（Ｄ−１）参照）を遊技者に提供することが可能となる。これにより、擬似連演出における第２単位期間では、第１単位期間よりは当選期待度が高いことを遊技者に推測させ、擬似連３回における第３単位期間の開始時に、第２継続回数画像ＧＢの表示色と盤上可動装置ランプ６０の発光色が一致するか否かで、高揚感を遊技者に与えることが可能となる。そのため、擬似連３回における第３単位期間の開始時に、第２継続回数画像ＧＢの表示色と盤上可動装置ランプ６０の発光色が一致するか否かを踏まえて、当選期待度を推測させることが可能となり、今後の遊技展開を楽しませることが可能となる。
【０２３５】
１０．変更例
以下、変更例について説明する。なお、変更例の説明において、上記形態のパチンコ遊技機ＰＹ１と同様の構成については、同じ符号を付して説明を省略する。勿論、変更例に係る構成同士を適宜組み合わせて構成してもよい。また、上記形態および下記変更例中の技術的特徴は、本明細書において必須なものとして説明されていなければ、適宜、削除することが可能である。
【０２３６】
上記形態の第１盤可動体５５ｋが「可動役物」に相当したが、これに限定されることはない。例えば、第２盤可動体５６ｋが「可動役物」に相当するようにしても良い。また他の可動体が「可動役物」に相当するようにしても良い。
【０２３７】
上記形態の継続回数示唆演出が「第１示唆演出」に相当したが、これに限定されることはない。例えば、スピーカ６１０から特定の音声を出力したり、枠ランプ２１２や盤ランプ５４を特定の発光態様で発光させたり、保留アイコン予告、カットイン予告、ステップアップ予告、エフェクト画像を用いた予告等が「第１示唆演出」に相当するようにしても良い。
【０２３８】
上記形態の第１盤可動体演出が「第２示唆演出」に相当したが、これに限定されることはない。例えば、スピーカ６１０から特定の音声を出力したり、枠ランプ２１２や盤ランプ５４を特定の発光態様で発光させたり、保留アイコン予告、カットイン予告、ステップアップ予告、エフェクト画像を用いた予告等が「第２示唆演出」に相当するようにしても良い。
【０２３９】
上記形態の第１盤可動体演出（第２示唆演出）における盤上可動装置ランプ６０の発光色が「第２示唆演出で示す期待度態様」に相当したが、これに限定されることはない。例えば、例えば、第１盤可動体５５ｋの可動態様（例えば、下向きに移動（下降）して、図６（Ｂ）に示す様子になることなど）が、「第２示唆演出で示す期待度態様」に相当するようにしても良い。
【０２４０】
上記形態のパチンコ遊技機ＰＹ１で実行される継続回数示唆演出（第１示唆演出）では、表示画面５０ａにて２種類（第１継続回数画像ＧＡ（「２回目」の文字画像）、第２継続回数画像ＧＢ（「３回目」の文字画像）、図１４（Ａ）参照）の継続回数画像（演出態様）のうち、いずれかの継続回数画像が表示されたが、これに限定されることはない。例えば、演出態様が３種類以上あっても良い。また継続回数示唆演出の演出態様は「２回目」の文字画像、「３回目」の文字画像といった演出態様に限定されることはなく適宜変更可能である。例えば、「×２」の文字画像、「×３」の文字画像といった演出態様であっても良い。
【０２４１】
上記形態のパチンコ遊技機ＰＹ１で実行される第１盤可動体５５ｋを用いた第１盤可動体演出（第２示唆演出）では、盤上可動装置ランプ６０の３種類（発光パターン１（青色）、発光パターン２（緑色）、発光パターン３（赤色）、図１４（Ｂ）参照）発光パターンに基づく発光色（期待度態様）のうち、いずれかの発光パターンに基づく発光色で盤上可動装置ランプ６０が点灯された。しかしながら、これに限定されることはない。例えば、期待度態様が２種類であっても良いし、４種類以上であっても良い。
【０２４２】
上記形態では、継続回数示唆演出（第１示唆演出）での継続回数画像（演出態様）の種類のほうが、第１盤可動体演出（第２示唆演出）での発光パターンに基づく発光色（期待度態様）の種類よりも多かったが、これに限定されることはない（図１４参照）。例えば、第２示唆演出で示す期待度態様の種類のほうが、第１示唆演出で示す期待度態様の種類よりも多くても良い。また第２示唆演出で示す期待度態様の種類が第１示唆演出で示す期待度態様の種類と同じであっても良い。
【０２４３】
上記形態では、１回の特別図柄の抽選結果に基づく変動演出の開始から変動演出の終了までが「所定期間」に相当するが、これに限定されることはない。例えば、１回の大当たり遊技の開始に伴う大当たり演出の開始から、その大当たり遊技の終了に伴って大当たり演出の終了までが「所定期間」に相当するようにしても良い。。また表示画面５０ａに客待ち用のデモ画像の表示開始から表示終了までが「所定期間」に相当するようにしても良い。
【０２４４】
上記形態で実行される擬似連演出では、継続回数演出（第１示唆演出）にて表示画面５０ａに表示される継続回数画像（演出態様）と、第１盤可動体演出（第２示唆演出）にて盤上可動装置ランプ６０の発光色（期待度態様）を基づいて、当選期待度を遊技者に示唆した（図１２参照）。しかしながら、これに限定されることはない。例えば、第１示唆演出で示す演出態様と第２示唆演出で示す期待度態様に基づいて当選期待度を示唆しない場合があっても良い。その他にも、第１示唆演出で示す演出態様と第２示唆演出で示す期待度態様に基づいて当選期待度を示唆する場合や当選期待度を示唆しない場合があっても良い。その場合、変動演出パターンに応じて、第１示唆演出で示す演出態様と第２示唆演出で示す期待度態様に基づいて当選期待度を示唆する場合や当選期待度を示唆しない場合があるようにしても良い。また擬似連演出において、第１示唆演出と第２示唆演出では、別々に当選期待度を示唆するようしても良い。
【０２４５】
上記形態では、例えば擬似連３回における第２単位期間の開始時、第３単位期間の開始時であっても、継続回数演出（第１示唆演出）にて表示画面５０ａに表示される継続回数画像（演出態様）と、第１盤可動体演出（第２示唆演出）にて盤上可動装置ランプ６０の発光色（期待度態様）を基づいて、当選期待度を遊技者に示唆した（図１２参照）。しかしながら、これに限定されることはない。例えば、擬似連３回における第２単位期間の開始時には、第１示唆演出で示す演出態様と第２示唆演出で示す期待度態様に基づいて当選期待度を示唆せず、擬似連３回における第３単位期間の開始時には、第１示唆演出で示す演出態様と第２示唆演出で示す期待度態様に基づいて当選期待度を示唆しても良い。また例えば、擬似連３回における第２単位期間の開始時には、第１示唆演出で示す演出態様と第２示唆演出で示す期待度態様に基づいて当選期待度を示唆し、擬似連３回における第３単位期間の開始時には、第１示唆演出で示す演出態様と第２示唆演出で示す期待度態様に基づいて当選期待度を示唆しないようにしても良い。「
【０２４６】
上記形態では、例えば擬似連３回における第２単位期間の開始時、第３単位期間の開始時であっても、継続回数演出（第１示唆演出）にて表示画面５０ａに表示される継続回数画像（演出態様）と、第１盤可動体演出（第２示唆演出）にて盤上可動装置ランプ６０の発光色（期待度態様）を基づいて、当選期待度を遊技者に示唆した（図１２参照）。しかしながら、これに限定されることはない。例えば、擬似連演出における単位期間の開始時に、第１示唆演出で示す演出態様と第２示唆演出で示す期待度態様に基づいて当選期待度を示唆しない場合があっても良い。その他にも、擬似連演出における単位期間の開始時に、第１示唆演出で示す演出態様と第２示唆演出で示す期待度態様に基づいて当選期待度を示唆する場合や当選期待度を示唆しない場合があっても良い。その場合、変動演出パターンや変動パターンに応じて、擬似連演出における単位期間の開始時に、第１示唆演出で示す演出態様と第２示唆演出で示す期待度態様に基づいて当選期待度を示唆する場合や当選期待度を示唆しない場合があるようにしても良い。また擬似連演出における単位期間の開始時に、第１示唆演出と第２示唆演出では、別々に当選期待度を示唆するようしても良い。
【０２４７】
また上記形態では、１回の特別図柄の抽選結果に基づく変動演出にて表示画面５０ａに表示される継続回数画像と盤上可動装置ランプ６０の発光色が変化可能となっていたが、これに限定されることはない。例えば、選択される変動パターンや変動演出パターンに応じて、１回の特別図柄の抽選結果に基づく変動演出において、表示画面５０ａに表示される演出画像の表示色（青色）と盤上可動装置ランプ６０の発光色（青色）に基づいて当選期待度約１０％を示唆する場合、１回の特別図柄の抽選結果に基づく変動演出において、表示画面５０ａに表示される演出画像の表示色（緑色）と入力部ランプ４０Ｌａの発光色（緑色）に基づいて当選期待度約３０％を示唆する場合、１回の特別図柄の抽選結果に基づく変動演出において、表示画面５０ａに表示される演出画像の表示色（緑色）と入力部ランプ４０Ｌａの発光色（赤色）に基づいて当選期待度約７０％を示唆する場合があっても良い。
【０２４８】
また上記形態では、継続回数示唆演出（第１示唆演出）での継続回数画像の表示色（演出態様）と、第１盤可動体演出（第２示唆演出）での発光パターンに基づく盤上可動装置ランプ６０の発光色（期待度態様）が一致する場合が、「第１示唆演出で示す演出態様と第２示唆演出で示す期待度態様が対応する場合」に相当する。また、継続回数示唆演出（第１示唆演出）での継続回数画像の表示色（演出態様）と、第１盤可動体演出（第２示唆演出）での発光パターンに基づく盤上可動装置ランプ６０の発光色（期待度態様）が一致しない場合が、「第１示唆演出で示す演出態様と第２示唆演出で示す期待度態様が対応する場合」に相当する。しかしながら、これらに限定されることはない。表示画面５０ａに表示される演出の少なくとも一部が第１盤可動体５５ｋを用いた演出の少なくとも一部が遊技者にとって共通の当選期待度である印象を与える場合であれば、「第１示唆演出で示す演出態様と第２示唆演出で示す期待度態様が対応する場合」に相当するようにしても良い。また表示画面５０ａに表示される演出の少なくとも一部が第１盤可動体５５ｋを用いた演出の少なくとも一部が遊技者にとって共通の当選期待度ではない印象を与え、違和感を与える場合であれば、「第１示唆演出で示す演出態様と第２示唆演出で示す期待度態様が対応しない場合」に相当するようにしても良い。例えば、表示画面５０ａに表示される演出での第１画像（青色）、第２画像（緑色）、第３画像（赤色）の３種類あり、第１画像（青色）⇒第２画像（緑色）⇒第３画像（赤色）の順で当選期待度が高いこととする。また例えば、第１盤可動体５５ｋを用いた演出として盤上可動装置ランプ６０を用いた演出とする。その場合、盤上可動装置ランプ６０の発光色（青色、緑色、赤色）の３種類あり、青色⇒緑色⇒赤色の順で当選期待度が高いこととする。この場合において、例えば、共通の当選期待度である印象とは、遊技者が表示画面５０ａに表示された第１画像（青色）と盤上可動装置ランプ６０の発光色（青色）を確認したときに、おおよそ同じぐらいの当選期待度が示唆されていると感じることである。一方、例えば、共通の当選期待度ではない印象とは、遊技者が表示画面５０ａに表示された第１画像（青色）と盤上可動装置ランプ６０の発光色（緑色）を確認したときに、両者の色を比較して、同じような当選期待度が示唆されていないと感じることである。
【０２４９】
また上記形態では、変動パターンＰ１又は変動パターンＰ２１に基づく擬似連演出では、第２単位期間にて第１継続回数画像ＧＡの表示色（青色）と盤上可動装置ランプ６０の発光色（青色）とが一致し、第３単位期間にて第２継続回数画像ＧＢの表示色（緑色）と盤上可動装置ランプ６０の発光色（赤色）となったが、これに限定されることはない。例えば、第２単位期間にて第１継続回数画像ＧＡの表示色（青色）と盤上可動装置ランプ６０の発光色（緑色）とが不一致し、第３単位期間にて第２継続回数画像ＧＢの表示色（緑色）と盤上可動装置ランプ６０の発光色（緑色）が一致する擬似連３回が実行される変動パターンを設けるようにしても良い。これにより、擬似連３回における第２単位期間の開始時に、第１継続回数画像ＧＡの表示色（青色）と盤上可動装置ランプ６０の発光色（緑色）とが不一致となるため、変動パターンＰ３又は変動パターンＰ２３に基づく擬似連３回が実行される場合よりも、遊技者を期待させることが可能となる。
【０２５０】
また上記形態では、変動パターンＰ１又は変動パターンＰ２１に基づく擬似連演出では、第２単位期間にて第１継続回数画像ＧＡの表示色（青色）と盤上可動装置ランプ６０の発光色（青色）とが一致し、第３単位期間にて第２継続回数画像ＧＢの表示色（緑色）と盤上可動装置ランプ６０の発光色（赤色）となったが、これに限定されることはない。例えば、第２単位期間にて第１継続回数画像ＧＡの表示色（青色）と盤上可動装置ランプ６０の発光色（青色）とが一致し、第３単位期間にて第２継続回数画像ＧＢの表示色（緑色）と盤上可動装置ランプ６０の発光色（青色）が不一致となる擬似連３回が実行される変動パターンを設けるようにしても良い。これにより、擬似連演出において第３単位期間の開始時に、第３単位期間にて第２継続回数画像ＧＢの表示色（緑色）と盤上可動装置ランプ６０の発光色（青色）が不一致となるため、変動パターンＰ３又は変動パターンＰ２３に基づく擬似連３回が実行される場合よりも当選期待度が低いかもしれないと遊技者を落ち込ませることになり得るが、遊技者に対して様々な演出を提供することが可能となる。
【０２５１】
また上記形態では、１回の特別図柄の抽選結果に基づく変動演出の開始から変動演出の終了まで（所定期間）において、継続回数示唆演出（第１示唆演出）での継続回数画像（演出態様）の表示色と第１盤可動体演出（第２示唆演出）での発光パターンに基づく盤上可動装置ランプ６０の発光色（期待度態様）が一致しない場合のほうが、継続回数画像の表示色と盤上可動装置ランプ６０の発光色が一致する場合よりも、当選期待度が高くなるように設定されていた（図１２参照）。しかしながら、これに限定されることはない。例えば、第１示唆演出で示す演出態様と第２示唆演出で示す期待度態様が一致する場合のほうが、第１示唆演出で示す演出態様と第２示唆演出で示す期待度態様が一致しない場合のほうが、当選期待度が高くなり得るように設定されても良い。
【０２５２】
また上記形態では、１回の特別図柄の抽選結果に基づく変動演出の開始から変動演出の終了まで（所定期間）において実行される継続回数示唆演出（第１示唆演出）では、例えば擬似連３回の場合、１段階目に第１継続回数画像ＧＡ（演出態様）が表示画面５０ａに表示され、２段階目に第２継続回数画像ＧＢ（演出態様）が表示画面５０ａに表示された。所定期間における第１示唆演出では、２段階にわたって演出態様が変化したが、これに限定されることはない。例えば、所定期間において、３段階以上にわたって演出態様が変化可能であっても良い。
【０２５３】
上記形態では、１回の特別図柄の抽選結果に基づく変動演出の開始から変動演出の終了まで（所定期間）において実行される第１盤可動体演出（第２示唆演出）では、例えば擬似連３回の場合、１段階目に盤上可動装置ランプ６０が青色の発光色（期待度態様）で点灯され、２段階目に盤上可動装置ランプ６０が緑色（期待度態様）の発光色で点灯された。所定期間における第２示唆演出では、２段階にわたって期待度態様が変化したが、これに限定されることはない。例えば、所定期間において、３段階以上にわたって期待度態様が変化可能であっても良い。
【０２５４】
また上記形態では、１回の特別図柄の変動表示の開始からその特別図柄が停止表示するまでの期間を複数の単位期間（変動サイクル）で区切って、各単位期間において、演出図柄ＥＺの変動表示を開始させ、演出図柄ＥＺを仮停止表示させる演出（本実施例では、左演出図柄ＥＺ１及び右演出図柄ＥＺ３を同じ数字で仮停止表示させ、中演出図柄ＥＺ２を「継続」で仮停止表示させる演出）が実行される擬似連演出が実行可能であった。そして本形態の変動サイクルの回数は、最大３回であった（図１２、図１５、図１６参照）。しかしながら、これに限定されることはない。例えば、最大２回であっても良い。その他にも変動サイクルの回数は最大４回以上であっても良い。また変動サイクルの４回目が開始されたときに、継続回数示唆演出と第１盤可動体演出が実行されるようにしても良い。その場合、継続回数示唆演出において表示画面５０ａで表示される第３継続回数画像（例えば、「４回目」の文字画像）の表示色（例えば、赤色）と、第１盤可動体演出での盤上可動装置ランプ６０の発光色（例えば、赤色）が一致する場合があっても良い。また継続回数示唆演出において表示画面５０ａで表示される第３継続回数画像（例えば、「４回目」の文字画像）の表示色（例えば、虹色）と、第１盤可動体演出での盤上可動装置ランプ６０の発光色（赤色）が一致しない場合があっても良い。
【０２５５】
上記形態の単位期間（変動サイクル）において、演出図柄ＥＺの変動表示を開始させ、演出図柄ＥＺを仮停止表示させる演出（本実施例では、左演出図柄ＥＺ１及び右演出図柄ＥＺ３を同じ数字（例えば、「２」）で仮停止表示させ、中演出図柄ＥＺ２を「継続」で仮停止表示させる演出）が実行されたが、これに限定されることはない。例えば、演出図柄ＥＺが所定の表示態様（例えば、「２２３」）で仮停止表示される演出や、演出図柄ＥＺとは異なる擬似演出図柄（例えば、「ＮＥＸＴ」）が仮停止表示される演出などが実行されるようにしても良い。
【０２５６】
上記形態では、演出図柄ＥＺを仮停止表示させる（本実施例では、左演出図柄ＥＺ１及び右演出図柄ＥＺ３を同じ数字（例えば、「２」）で仮停止表示させ、中演出図柄ＥＺ２を「継続」で仮停止表示させる演出）ことで、擬似連演出における１回の単位期間が終了され、演出図柄の再変動表示が開始されることで次の単位期間が開始されることになったが、これに限定されることはない。例えば、演出図柄の再変動表示が開始されることで、１回の単位期間が終了して、次の単位期間が開始されるようにしても良い。
【０２５７】
上記形態の擬似連３回における第２単位期間が終了して、第３単位期間の開始時が、「複数の変動サイクルのうち所定の変動サイクルから、次の変動サイクルが開始されるとき」に相当する。しかしながら、これに限定されることはない。例えば、擬似連２回又は擬似連３回における第１単位期間が終了して、第２単位期間の開始時が、「複数の変動サイクルのうち所定の変動サイクルから、次の変動サイクルが開始されるとき」に相当するようにしても良い。また、擬似連２回又は擬似連３回における第１単位期間が終了して、第２単位期間の開始時と、擬似連３回における第２単位期間が終了して、第３単位期間の開始時が、「複数の変動サイクルのうち所定の変動サイクルから、次の変動サイクルが開始されるとき」に相当するようにしても良い。
【０２５８】
上記形態の擬似連３回における第２単位期間が終了して、第３単位期間の開始時が、「複数の変動サイクルのうち所定の変動サイクルから、次の変動サイクルが開始されるとき」に相当する。しかしながら、これに限定されることはない。例えば、擬似連演出における第１単位期間、又は第２単位期間の開始から次の単位期間の開始時までが、「複数の変動サイクルのうち所定の変動サイクルから、次の変動サイクルが開始されるとき」に相当するようにしても良い。その他にも、擬似連演出における第１単位期間、又は第２単位期間の開始から次の単位期間が開始されて所定時間（例えば、３秒）が経過する時が、「複数の変動サイクルのうち所定の変動サイクルから、次の変動サイクルが開始されるとき」に相当するようにしても良い。
【０２５９】
上記形態の擬似連３回における第２単位期間が終了して、第３単位期間の開始時に、継続回数示唆演出（第１示唆演出）での継続回数画像（演出態様）の表示色（緑色）と第１盤可動体演出（第２示唆演出）での発光パターンに基づく盤上可動装置ランプ６０の緑色の発光色（期待度態様）が一致する場合と、継続回数画像の表示色（緑色）と盤上可動装置ランプ６０の発光色（赤色）が一致しない場合があった。しかしながら、これに限定されることはない。例えば、擬似連３回における第２単位期間が終了して、第３単位期間の開始時に、第１示唆演出で示す演出態様と第２示唆演出で示す期待度態様が一致する場合のみだけでも良い。その他に、擬似連３回における第２単位期間が終了して、第３単位期間の開始時に、第１示唆演出で示す演出態様と第２示唆演出で示す期待度態様が一致しない場合のみだけでも良い。
【０２６０】
上記形態では、変動パターンＰ１又は変動パターンＰ２１に基づく擬似連３回における第３単位期間の開始時に、継続回数示唆演出での継続回数画像の表示色（緑色）と第１盤可動体演出での発光パターンに基づく盤上可動装置ランプ６０の赤色の発光色が一致しない可能性を示唆する不一致示唆演出が実行されなかったが、これに限定されることはない。例えば、変動パターンＰ１又は変動パターンＰ２１に基づく擬似連３回における第３単位期間の開始前に、擬似連３回における第３単位期間の開始時には、継続回数示唆演出での継続回数画像の表示色（緑色）と第１盤可動体演出での発光パターンに基づく盤上可動装置ランプ６０の赤色の発光色が一致しない可能性を示唆する不一致示唆演出が実行されるようにしても良い。これにより、擬似連３回における第３単位期間が開始されるよりも前に、当選期待度が非常に高いかもしれないと遊技者を煽ることが可能となる。そのため、擬似連３回における第３単位期間の開始時に、継続回数示唆演出での継続回数画像の表示色（緑色）と第１盤可動体演出での発光パターンに基づく盤上可動装置ランプ６０の赤色の発光色が一致しなかったときの遊技者の気持ちをより高めることが可能となる。
【０２６１】
上記形態の変形例として、例えば、表示画面５０ａに表示される継続回数画像の種類と盤上可動装置ランプ６０の発光色の種類は、それぞれ単独で抽選して決定するようにしても良い。その場合、表示画面５０ａに表示される継続回数画像の表示色と盤上可動装置ランプ６０の発光色が一致する場合と表示画面５０ａに表示される継続回数画像の表示色と盤上可動装置ランプ６０の発光色が一致しない場合を発生させるようしても良い。これにより、表示画面５０ａに表示される継続回数画像の種類と盤上可動装置ランプ６０の発光色の種類は、それぞれ単独で抽選して決定することで、遊技者に対して当選期待度を示唆する面白さを高めることが可能となる。
【０２６２】
また上記形態では、図１７〜図２０に示す演出は、非時短状態での擬似連演出において行われる演出の一例に過ぎず、これらに限定されることはない。例えば、非時短状態での擬似連演出においてスピーカ６１０から特定の音声を出力したり、枠ランプ２１２や盤ランプ５４を特定の発光態様で発光させたり、保留アイコン予告、カットイン予告、ステップアップ予告、エフェクト画像を用いた予告等が適宜実行可能であっても良い。
【０２６３】
また上記形態では、演出図柄ＥＺの変動表示が１回行われる単位期間を１回（所定の第１回数）だけ含む擬似連演出を擬似連１回と呼ぶこととしたが、これに限定されることはない。例えば、演出図柄ＥＺの変動表示が１回行われる単位期間を１回（所定の第１回数）だけ含む擬似連演出を「擬似連なし」と呼ぶようにしても良い。
【０２６４】
また上記形態の特図変動パターンには、擬似連演出、継続回数示唆演出（第１継続回数画像ＧＡ、第２継続回数画像ＧＢ）、第１盤可動体演出、盤上可動装置ランプ６０の発光パターン、第２盤可動体演出などに関する識別情報が含まれていた（図１２参照）。しかしながら、これに限定されることはない。例えば、特図変動パターンに、継続回数示唆演出、第１盤可動体演出、盤上可動装置ランプ６０の発光パターン、第２盤可動体演出などに関する識別情報を含めないようにしても良い。その場合、演出制御用マイコン１２１は、例えば、変動演出パターン選択処理(S4504)において、変動開始コマンドの解析結果に基づいて、擬似連２回目用変動演出パターン選択テーブル、擬似連３回目用変動演出パターン選択テーブル又はその他のテーブルのいずれかを選択して、選択した変動開始コマンド選択テーブルを用いて、取得した変動演出パターン抽出乱数を判定することにより、擬似連変動演出における継続回数示唆演出、第１盤可動体演出、盤上可動装置ランプ６０の発光パターン、第２盤可動体演出などの内容の詳細を決めるようにしても良い。
【０２６５】
また上記形態では、当選した大当たり図柄の種類に基づいて高確率状態への移行が決定される遊技機として構成したが、いわゆるＶ確機（大入賞口内の特定領域（Ｖ領域）の通過に基づいて高確率状態に制御する遊技機）として構成してもよい。また上記形態では、一旦高確率状態に制御されると次の大当たり遊技の開始まで高確率状態への制御が続く遊技機（いわゆる確変ループタイプの遊技機）として構成したが、いわゆるＳＴ機（確変の回数切りの遊技機）として構成してもよい。また、いわゆる１種２種混合機や、ハネモノタイプの遊技機として構成してもよい。すなわち、本明細書に示されている発明は、遊技機のゲーム性を問わず、種々のゲーム性の遊技機に対して好適に採用することが可能である。
【０２６６】
また、特別遊技状態として、小当たり遊技（大入賞口の総開放時間が所定時間（例えば１．８秒）以下と短い特別遊技）を行うことがあってもよい。小当たり遊技の実行中の状態を小当たり遊技状態と言う。
【０２６７】
また、大入賞口（大入賞装置）は、複数（例えば２つ）あってもよい。この場合には、第１大入賞口と、第１大入賞口に入賞した遊技球を検出可能な第１大入賞口センサと、第２大入賞口と、第２大入賞口に入賞した遊技球を検出可能な第２大入賞口センサとが設けられている遊技機になる。
【０２６８】
また上記形態では、第１始動口１１又は第２始動口１２への入賞に基づいて取得する乱数（判定用情報）として、大当たり乱数等の４つの乱数を取得することとしたが、一つの乱数を取得してその乱数に基づいて、大当たりか否か、当たりの種別、リーチの有無、及び変動パターンの種類を決めるようにしてもよい。すなわち、始動入賞に基づいて取得する乱数の個数および各乱数において何を決定するようにするかは任意に設定可能である。
【０２６９】
また上記形態では、大当たりに当選してそのことを示す特別図柄が停止表示されたことを制御条件として、大当たり遊技状態（特別遊技状態）に制御されるパチンコ遊技機として構成した。なお上記形態において、大当たりに当選してそのことを示す特別図柄が停止表示されることを「所定の条件」に相当する。
【０２７０】
１１．上記した実施の形態に示されている発明
上記した実施の形態には、以下の各手段の発明が示されている。以下に記す手段の説明では、上記した実施の形態における対応する構成名や表現、図面に使用した符号を参考のためにかっこ書きで付記している。但し、各発明の構成要素はこの付記に限定されるものではない。
【０２７１】
＜手段Ａ＞
手段Ａ１に係る発明は、
所定の条件（大当たりに当選してそのことを示す特別図柄が停止表示されること）が成立することに基づいて、遊技者に有利な特別遊技状態（大当たり遊技状態）に制御するか否かの判定を実行可能な遊技機（パチンコ遊技機ＰＹ１）において、
所定の演出を制御可能な演出制御手段（演出制御用マイコン１２１）と、
可動可能な可動役物（第１盤可動体５５ｋ）と、を備え、
前記演出制御手段は、
前記特別遊技状態に制御される期待度を、複数の演出態様（第１継続回数画像ＧＡ、第２継続回数画像ＧＢ、図１４（Ａ）参照）のうちから、いずれかの演出態様で示すことにより示唆可能な第１示唆演出（継続回数示唆演出、図１４（Ａ）、図１７（Ｄ−１）、図１８（Ｄ−１）、図２０（Ｄ−１）参照）と、
前記可動役物を用いて前記特別遊技状態に制御される期待度を、複数の期待度態様（発光パターン１に基づく発光色（青色）、発光パターン２に基づく発光色（緑色）、発光パターン３に基づく発光色（赤色）、図１４（Ｂ）参照）のうちから、いずれかの期待度態様で示すことにより示唆可能な第２示唆演出（第１盤可動体演出、図１７（Ｄ−１）、図１８（Ｄ−１）、図２０（Ｄ−１）参照）と、を実行可能であり、
所定期間（１回の特別図柄の抽選結果に基づく変動演出の開始から変動演出の終了まで）において、前記第１示唆演出で示す演出態様と前記第２示唆演出で示す期待度態様が対応する場合（表示画面５０ａに緑色の表示色で示す第２継続回数画像ＧＢ（「３回目」の文字画像）が表示され、第１盤可動体演出での盤上可動装置ランプ６０が緑色の発光色で点灯される、図１２、図１８（Ｄ−１）参照）と、前記第１示唆演出で示す演出態様と前記第２示唆演出で示す期待度態様が対応しない場合（表示画面５０ａに緑色の表示色で示す第２継続回数画像ＧＢ（「３回目」の文字画像）が表示され、第１盤可動体演出での盤上可動装置ランプ６０が赤色の発光色で点灯される、図１２、図２０（Ｄ−１）参照）と、があることを特徴とする遊技機である。
【０２７２】
この構成の遊技機によれば、特別遊技状態に制御される期待度を、複数の演出態様のうちから、いずれかの演出態様で示すことにより示唆可能な第１示唆演出を実行可能である。また、可動役物を用いて特別遊技状態に制御される期待度を、複数の期待度態様のうちから、いずれかの期待度態様で示すことにより示唆可能な第２示唆演出を実行可能である。さらに所定期間において、第１示唆演出で示す演出態様と第２示唆演出で示す期待度態様が対応する場合と、第１示唆演出で示す演出態様と第２示唆演出で示す期待度態様が対応しない場合がある。これにより、第１示唆演出だけでなく、可動役物を用いた第２示唆演出にも遊技者を注目させることが可能となる。そのため、第１示唆演出で示す演出態様と第２示唆演出で示す期待度態様をもとに、遊技者に特別遊技状態に制御されるか否かを推測させることが可能となり、遊技興趣を高めることが可能となる。
【０２７３】
手段Ａ２に係る発明は、
手段Ａ１に記載の遊技機において、
前記所定期間において、前記第１示唆演出で示す演出態様と前記第２示唆演出で示す期待度態様が対応しない場合（表示画面５０ａに緑色の表示色で示す第２継続回数画像ＧＢ（「３回目」の文字画像）が表示され、第１盤可動体演出での盤上可動装置ランプ６０が赤色の発光色で点灯される、図１２、図２０（Ｄ−１）参照）のほうが、前記所定期間において、前記第１示唆演出で示す演出態様と前記第２示唆演出で示す期待度態様が対応する場合（表示画面５０ａに緑色の表示色で示す第２継続回数画像ＧＢ（「３回目」の文字画像）が表示され、第１盤可動体演出での盤上可動装置ランプ６０が緑色の発光色で点灯される、図１２、図１８（Ｄ−１）参照）よりも、前記特別遊技状態に制御され易い（大当たりへの当選期待度が高くなるように、変動パターンＰ１の振分率が設定されている、図１２参照）ことを特徴とする遊技機である。
【０２７４】
この構成の遊技機によれば、所定期間において、第１示唆演出で示す演出態様と第２示唆演出で示す期待度態様が対応しない場合のほうが、所定期間において、第１示唆演出で示す演出態様と第２示唆演出で示す期待度態様が対応する場合よりも、特別遊技状態に制御され易い。これにより、第１示唆演出で示す演出態様と第２示唆演出で示す期待度態様が対応しなければ、第１示唆演出で示す演出態様と第２示唆演出で示す期待度態様が対応する場合よりも、特別遊技状態に制御される可能性が高いことを遊技者に把握させることが可能となる。そのため、第１示唆演出で示す演出態様と第２示唆演出で示す期待度態様が対応するか否かを遊技者に注目させることが可能となり、遊技興趣を高めることが可能となる。
【０２７５】
手段Ａ３に係る発明は、
手段Ａ１又は手段Ａ２に記載の遊技機において、
前記演出制御手段は、
前記所定期間において、前記第１示唆演出では複数段階（２段階）にわたって前記演出態様を変化可能であり（擬似連３回における第２単位期間では表示画面５０ａに青色の表示色で示す第１継続回数画像ＧＡ（「２回目」の文字画像）が表示され、擬似連３回の第３単位期間では表示画面５０ａに青色の表示色で示す第２継続回数画像ＧＢ（「３回目」の文字画像）が表示される場合がある、図１２、図１４（Ａ）、図１５（Ａ）、図１６（Ａ）参照）、
前記所定期間において、前記第２示唆演出では複数段階（２段階）にわたって前記期待度態様を変化可能である（擬似連３回における第２単位期間では第１盤可動体演出での盤上可動装置ランプ６０が青色の発光色で点灯され、擬似連３回の第３単位期間では第１盤可動体演出での盤上可動装置ランプ６０が緑色の発光色で点灯される場合がある、図１２、図１４（Ｂ）、図１５（Ａ）、図１６（Ａ）参照）ことを特徴とする遊技機である。
【０２７６】
この構成の遊技機によれば、所定期間における第１示唆演出では複数段階にわたって演出態様が変化可能となっている。また所定期間における第２示唆演出では複数段階にわたって期待度態様が変化可能となっている。これにより所定期間において第１示唆演出で示す演出態様と第２示唆演出で示す期待度態様が対応し、その所定期間において第１示唆演出で示す演出態様と第２示唆演出で示す期待度態様が対応しないことがあり得る。そのため、遊技者に所定期間における第１示唆演出で示す演出態様と可動役物を用いた第２示唆演出で示す期待度態様に興味を持たせることが可能となり、遊技を楽しませることが可能となる。
【０２７７】
手段Ａ４に係る発明は、
手段Ａ１から手段Ａ３のいずれかに記載の遊技機において、
前記演出制御手段は、
前記所定期間において、複数の変動サイクル（単位期間）を含む擬似連演出（１回の特別図柄の変動表示の開始からその特別図柄が停止表示するまでの期間を複数の単位期間（変動サイクル）で区切って、各単位期間において、演出図柄ＥＺの変動表示を開始させ、演出図柄ＥＺを仮停止表示させる演出（本実施例では、左演出図柄ＥＺ１及び右演出図柄ＥＺ３を同じ数字（例えば、「２」）で仮停止表示させ、中演出図柄ＥＺ２を「継続」で仮停止表示させる演出）が実行される演出）を実行可能であり、
前記複数の変動サイクルのうち所定の変動サイクル（擬似連３回における第２単位期間）から、次の変動サイクル（擬似連３回における第３単位期間）が開始されるときに、前記第１示唆演出で示す演出態様と前記第２示唆演出で示す期待度態様が対応する場合（表示画面５０ａに緑色の表示色で示す第２継続回数画像ＧＢ（「３回目」の文字画像）が表示され、第１盤可動体演出での盤上可動装置ランプ６０が緑色の発光色で点灯される、図１２、図１６（Ａ）、図１８（Ｄ−１）参照）と、前記第１示唆演出で示す演出態様と前記第２示唆演出で示す期待度態様が対応しない場合（表示画面５０ａに緑色の表示色で示す第２継続回数画像ＧＢ（「３回目」の文字画像）が表示され、第１盤可動体演出での盤上可動装置ランプ６０が赤色の発光色で点灯される、図１２、図１６（Ｂ）、図２０（Ｄ−１）参照）と、があることを特徴とする遊技機である。
【０２７８】
この構成の遊技機によれば、所定期間において複数の変動サイクルを含む擬似連演出が実行される場合がある。また複数の変動サイクルのうち所定の変動サイクルから、次の変動サイクルが開始されるときに、第１示唆演出で示す演出態様と第２示唆演出で示す期待度態様が対応する場合と、第１示唆演出で示す演出態様と第２示唆演出で示す期待度態様が対応しない場合とがある。これにより、所定期間に実行される擬似連演出にて所定の変動サイクルから、次の変動サイクルが開始さるときに、第１示唆演出で示す演出態様と第２示唆演出で示す期待度態様に注目させることが可能となる。そのため、擬似連演出にて次の変動サイクルが開始されるときの第１示唆演出で示す演出態様と第２示唆演出で示す期待度態様をもとに、遊技者に特別遊技状態に制御されるか否かを推測させることが可能となり、今後の遊技展開に面白みを与えることが可能となる。
【０２７９】
ところで、特開２００３−２１０６９４号公報に記載の遊技機のように、演出を制御可能な演出制御手段を備えている。また上記特許文献１の遊技機では、遊技領域内に可動役物が設けられている。上記特許文献１の遊技機では、演出制御手段により様々な演出が実行させることが可能であって、可動役物を用いて、演出制御手段により実行される所定の演出の演出態様に対応して様々なタイミングで所定の演出動作が行われる。ところが、可動役物を備えた遊技機において、遊技興趣を高めるための改善の余地があった。そこで上記した手段１〜４に係る発明は、特開２００３−２１０６９４号公報に記載の遊技機に対して、特別遊技状態に制御される期待度を、表示手段を用いて複数の演出態様のうちから、いずれかの演出態様で示すことにより示唆可能な第１示唆演出と、可動役物を用いて特別遊技状態に制御される期待度を、複数の期待度態様のうちから、いずれかの期待度態様で示すことにより示唆可能な第２示唆演出と、を実行可能であって、所定期間において、第１示唆演出で示す演出態様と第２示唆演出で示す期待度態様が対応する場合と、第１示唆演出で示す演出態様と第２示唆演出で示す期待度態様が対応しない場合とがある点で相違している。これにより、遊技興趣を高めることが可能な遊技機を提供するという課題を解決する（作用効果を奏する）ことが可能である。
【０２８０】
＜手段Ｂ＞
手段Ｂ１に係る発明は、
所定の条件（大当たりに当選してそのことを示す特別図柄が停止表示されること）が成立することに基づいて、遊技者に有利な特別遊技状態（大当たり遊技状態）に制御するか否かの判定を実行可能な遊技機（パチンコ遊技機ＰＹ１）において、
所定の演出を制御可能な演出制御手段（演出制御用マイコン１２１）と、
可動可能な可動役物（第１盤可動体５５ｋ）と、を備え、
前記演出制御手段は、
前記特別遊技状態に制御される期待度を、複数の演出態様（第１継続回数画像ＧＡ、第２継続回数画像ＧＢ、図１４（Ａ）参照）のうちから、いずれかの演出態様で示すことにより示唆可能な第１示唆演出（継続回数示唆演出、図１４（Ａ）、図１７（Ｄ−１）、図１８（Ｄ−１）、図２０（Ｄ−１）参照）と、
前記可動役物を用いて前記特別遊技状態に制御される期待度を、複数の期待度態様（発光パターン１に基づく発光色（青色）、発光パターン２に基づく発光色（緑色）、発光パターン３に基づく発光色（赤色）、図１４（Ｂ）参照）のうちから、いずれかの期待度態様で示すことにより示唆可能な第２示唆演出（第１盤可動体演出、図１７（Ｄ−１）、図１８（Ｄ−１）、図２０（Ｄ−１）参照）と、を実行可能であり、
所定期間（１回の特別図柄の抽選結果に基づく変動演出の開始から変動演出の終了まで）において、前記第１示唆演出（継続回数示唆演出）で示す演出態様（第１継続回数画像ＧＡ、第２継続回数画像ＧＢ、図１４（Ａ）参照）と前記第２示唆演出（第１盤可動体演出、第２盤可動体演出）で示す期待度態様（発光パターン１に基づく発光色（青色）、発光パターン２に基づく発光色（緑色）、発光パターン３に基づく発光色（赤色）、図１４（Ｂ）参照）に基づいて前記特別遊技状態に制御される期待度を示唆可能であることを特徴とする遊技機である。
【０２８１】
この構成の遊技機によれば、特別遊技状態に制御される期待度を、複数の演出態様のうちから、いずれかの演出態様で示すことにより示唆可能な第１示唆演出を実行可能である。また、可動役物を用いて特別遊技状態に制御される期待度を、複数の期待度態様のうちから、いずれかの期待度態様で示すことにより示唆可能な第２示唆演出を実行可能である。さらに所定期間において、第１示唆演出で示す演出態様と第２示唆演出で示す期待度態様に基づいて特別遊技状態に制御される期待度が示唆される場合がある。これにより、第１示唆演出だけでなく、可動役物を用いた第２示唆演出にも遊技者を注目させることが可能となる。そのため、第１示唆演出で示す演出態様と第２示唆演出で示す期待度態様に基づいて示唆される特別遊技状態に制御される期待度をもとに、遊技者に特別遊技状態に制御されるか否かを推測させることが可能となり、遊技興趣を高めることが可能となる。
【０２８２】
手段Ｂ２に係る発明は、
手段Ｂ１に記載の遊技機において、
前記演出制御手段は、
前記所定期間において、前記第１示唆演出では複数段階（２段階）にわたって前記演出態様を変化可能であり（擬似連３回における第２単位期間では表示画面５０ａに青色の表示色で示す第１継続回数画像ＧＡ（「２回目」の文字画像）が表示され、擬似連３回の第３単位期間では表示画面５０ａに青色の表示色で示す第２継続回数画像ＧＢ（「３回目」の文字画像）が表示される場合がある、図１２、図１４（Ａ）、図１５（Ａ）、図１６（Ａ）参照）、
前記所定期間において、前記第２示唆演出では複数段階（２段階）にわたって前記期待度態様を変化可能である（擬似連３回における第２単位期間では第１盤可動体演出での盤上可動装置ランプ６０が青色の発光色で点灯され、擬似連３回の第３単位期間では第１盤可動体演出での盤上可動装置ランプ６０が緑色の発光色で点灯される場合がある、図１２、図１４（Ｂ）、図１５（Ａ）、図１６（Ａ）参照）ことを特徴とする遊技機である。
【０２８３】
この構成の遊技機によれば、所定期間における第１示唆演出では複数段階にわたって演出態様が変化可能となっている。また所定期間における第２示唆演出では複数段階にわたって期待度態様が変化可能となっている。これにより所定期間において、第１示唆演出で示す演出態様と第２示唆演出で示す期待度態様に基づいて特別遊技状態に制御される期待度が示唆される可能性を高めることが可能となる。そのため、遊技者に所定期間における第１示唆演出で示す演出態様と操作手段を用いた第２示唆演出で示す期待度態様に興味を持たせることが可能となり、遊技者を楽しませることが可能となる。
【０２８４】
手段Ｂ３に係る発明は、
手段Ｂ１又は手段Ｂ２に記載の遊技機において、
前記演出制御手段は、
前記所定期間において、複数の変動サイクル（単位期間）を含む擬似連演出（１回の特別図柄の変動表示の開始からその特別図柄が停止表示するまでの期間を複数の単位期間（変動サイクル）で区切って、各単位期間において、演出図柄ＥＺの変動表示を開始させ、演出図柄ＥＺを仮停止表示させる演出（本実施例では、左演出図柄ＥＺ１及び右演出図柄ＥＺ３を同じ数字（例えば、「２」）で仮停止表示させ、中演出図柄ＥＺ２を「継続」で仮停止表示させる演出）が実行される演出）を実行可能であり、
前記複数の変動サイクルのうち所定の変動サイクル（擬似連３回における第２単位期間）から、次の変動サイクル（擬似連３回における第３単位期間）が開始されるときに、前記第１示唆演出（継続回数示唆演出）で示す演出態様（第１継続回数画像ＧＡ、第２継続回数画像ＧＢ、図１４（Ａ）参照）と前記第２示唆演出（第１盤可動体演出、第２盤可動体演出）で示す期待度態様（発光パターン１に基づく発光色（青色）、発光パターン２に基づく発光色（緑色）、発光パターン３に基づく発光色（赤色）、図１４（Ｂ）参照）に基づいて前記特別遊技状態に制御される期待度を示唆可能であることを特徴とする遊技機である。
【０２８５】
この構成の遊技機によれば、所定期間において実行される擬似連演出における複数の変動サイクルのうち所定の変動サイクルから、次の変動サイクルが開始されるときに、特別遊技状態に制御される期待度を、複数の演出態様のうちから、いずれかの演出態様で示すことにより示唆可能な第１示唆演出を実行可能である。また、その擬似連演出における複数の変動サイクルのうち所定の変動サイクルから、次の変動サイクルが開始されるときに可動役物を用いて特別遊技状態に制御される期待度を、複数の期待度態様のうちから、いずれかの期待度態様で示すことにより示唆可能な第２示唆演出を実行可能である。さらに複数の変動サイクルのうち所定の変動サイクルから、次の変動サイクルが開始されるときに、第１示唆演出で示す演出態様と第２示唆演出で示す期待度態様に基づいて特別遊技状態に制御される期待度が示唆される場合がある。これにより、擬似連演出にて次の変動サイクルが開始されるときの第１示唆演出で示す演出態様と第２示唆演出で示す期待度態様に基づいて示唆される特別遊技状態に制御される期待度をもとに、遊技者に特別遊技状態に制御されるか否かを推測させることが可能となり、今後の遊技展開に面白みを与えることが可能となる。
【０２８６】
ところで、特開２００３−２１０６９４号公報に記載の遊技機のように、演出を制御可能な演出制御手段を備えている。また上記特許文献１の遊技機では、遊技領域内に可動役物が設けられている。上記特許文献１の遊技機では、演出制御手段により様々な演出が実行させることが可能であって、可動役物を用いて、演出制御手段により実行される所定の演出の演出態様に対応して様々なタイミングで所定の演出動作が行われる。ところが、可動役物を備えた遊技機において、遊技興趣を高めるための改善の余地があった。そこで上記した手段１〜４に係る発明は、特開２００３−２１０６９４号公報に記載の遊技機に対して、特別遊技状態に制御される期待度を、表示手段を用いて複数の演出態様のうちから、いずれかの演出態様で示すことにより示唆可能な第１示唆演出と、可動役物を用いて特別遊技状態に制御される期待度を、複数の期待度態様のうちから、いずれかの期待度態様で示すことにより示唆可能な第２示唆演出と、を実行可能であって、所定期間において、第１示唆演出で示す演出態様と第２示唆演出で示す期待度態様に基づいて特別遊技状態に制御される期待度を示唆可能である点で相違している。これにより、遊技興趣を高めることが可能な遊技機を提供するという課題を解決する（作用効果を奏する）ことが可能である。
【符号の説明】
【０２８７】
ＰＹ１…パチンコ遊技機
１Ｕ…演出用ユニット
５０…画像表示装置
５０ａ…表示画面
５５…盤上可動装置
５５ｋ…第１盤可動体
５６…盤下可動装置
５６ｋ…第２盤可動体
６０…盤上可動装置ランプ
１２１…演出制御用マイコン
ＥＺ…演出図柄
【図１】
2020162868.tif 000003
【図２】
2020162868.tif 000004
【図３】
2020162868.tif 000005
【図４】
2020162868.tif 000006
【図５】
2020162868.tif 000007
【図６】
2020162868.tif 000008
【図７】
2020162868.tif 000009
【図８】
2020162868.tif 000010
【図９】
2020162868.tif 000011
【図１０】
2020162868.tif 000012
【図１１】
2020162868.tif 000013
【図１２】
2020162868.tif 000014
【図１３】
2020162868.tif 000015
【図１４】
2020162868.tif 000016
【図１５】
2020162868.tif 000017
【図１６】
2020162868.tif 000018
【図１７】
2020162868.tif 000019
【図１８】
2020162868.tif 000020
【図１９】
2020162868.tif 000021
【図２０】
2020162868.tif 000022
【図２１】
2020162868.tif 000023
【図２２】
2020162868.tif 000024
【図２３】
2020162868.tif 000025
【図２４】
2020162868.tif 000026
【図２５】
2020162868.tif 000027
【図２６】
2020162868.tif 000028
【図２７】
2020162868.tif 000029
【図２８】
2020162868.tif 000030
【図２９】
2020162868.tif 000031
【図３０】
2020162868.tif 000032
【図３１】
2020162868.tif 000033
【図３２】
2020162868.tif 000034
【図３３】
2020162868.tif 000035
【図３４】
2020162868.tif 000036
【図３５】
2020162868.tif 000037
【図３６】
2020162868.tif 000038
【図３７】
2020162868.tif 000039
【図３８】
2020162868.tif 000040
【図３９】
2020162868.tif 000041
【図４０】
2020162868.tif 000042
【図４１】
2020162868.tif 000043
【図４２】
2020162868.tif 000044